(57)【要約】  本発明の実施形態は、通信技術の分野に関し、狭ビームカバレージシナリオにおいて各ビームがワイヤレス信号を送信してユーザ機器にサービスするために使用される従来技術において引き起こされるシステムオーバーヘッドが大きい問題を解決するために、ワイヤレス通信の方法およびシステム、ならびにデバイスを提供する。解決策は以下の通りである：第1のネットワークデバイスが、m個の第1の信号、各第1の信号に対応する第1の空間リソース、および各第1の空間リソースが属するリソースセットを決定し、各対応する第1の空間リソース上で第1の信号を送信し、第2のネットワークデバイスが、少なくとも1つの受信された第1の信号、第1の信号に対応する第1の空間リソース、および各第1の空間リソースが属するリソースセットに従って応答信号を決定し、第1のネットワークデバイスに応答信号を送信し、第1のネットワークデバイスが、受信された応答信号に従って、k個の第2の空間リソース上で第2のネットワークデバイスに第2の信号を送信する。本発明の実施形態はワイヤレス通信に使用される。
2019500815.tif 000002
【特許請求の範囲】
【請求項１】
ワイヤレス通信方法であって、
m個の第1の信号、各第1の信号に対応する第1の空間リソース、および各第1の空間リソースが属するリソースセットを決定するステップであって、mが正の整数である、ステップと、
各対応する第1の空間リソース上で第1の信号を送信するステップであって、各第1の信号が対応する識別情報を備え、前記対応する識別情報が、第1の信号に対応する第1の空間リソースを示すために使用され、前記対応する識別情報が、第1の空間リソースが属するリソースセットを示すためにさらに使用される、ステップと、
第2のネットワークデバイスによって送信された応答信号を受信するステップであって、前記応答信号がn個の第1の空間リソースを示すために使用され、nが正の整数である、ステップと、
前記応答信号に従ってk個の第2の空間リソース上で前記第2のネットワークデバイスに第2の信号を送信するステップであって、kが正の整数である、ステップと
を備える、方法。
【請求項２】
前記対応する識別情報が、前記第1の空間リソースが属する前記リソースセットを示すために使用されるセット識別情報を備え、前記セット識別情報が、
前記第1の信号に備えられるセット識別文字、または
前記第1の信号に備えられるシーケンスのタイプ、または
前記第1の信号内の情報用に付加されたスクランブリングコードのタイプ、または
前記第1の信号内の情報用に付加されたマスクのタイプ、または
前記第1の信号内の情報の巡回冗長検査コードCRCの計算方式
である、請求項1に記載の方法。
【請求項３】
前記応答信号に従ってk個の第2の空間リソース上で前記第2のネットワークデバイスに第2の信号を送信する前記ステップが、
前記応答信号に従ってs個の第1の空間リソースを決定するステップであって、sが正の整数である、ステップと、
前記s個の第1の空間リソースに対応する前記k個の第2の空間リソースを決定し、前記k個の第2の空間リソース上で前記第2のネットワークデバイスに前記第2の信号を送信するステップと
を備える、請求項1に記載の方法。
【請求項４】
前記応答信号に従ってs個の第1の空間リソースを決定する前記ステップが、
前記応答信号によって示された前記n個の第1の空間リソースの中で、前記第1の空間リソースが属するリソースセットに対応する優先順位に従って、前記s個の第1の空間リソースを決定するステップ
を備える、請求項3に記載の方法。
【請求項５】
前記応答信号によって示された前記n個の第1の空間リソースの中で、前記第1の空間リソースが属するリソースセットに対応する優先順位に従って、前記s個の第1の空間リソースを決定する前記ステップが、
各応答信号によって示された第1の空間リソースの中で、優先順位が最も高いリソースセットに属する第1の空間リソースを決定するステップと、
前記s個の第1の空間リソースを形成するために、前記応答信号によって示された前記第1の空間リソースの中で、優先順位が最も高いリソースセットに属する第1の空間リソースを使用するステップと
を備える、請求項4に記載の方法。
【請求項６】
カバレージ幅がより大きい第1の空間リソースが属するリソースセットが、より高い優先順位に対応する、請求項4または5に記載の方法。
【請求項７】
前記応答信号に従ってs個の第1の空間リソースを決定する前記ステップが、
前記応答信号によって示された前記n個の第1の空間リソースの中で、前記第1の空間リソースに対応する優先順位に従って、前記s個の第1の空間リソースを決定するステップ
を備える、請求項3に記載の方法。
【請求項８】
前記応答信号によって示された前記n個の第1の空間リソースの中で、前記第1の空間リソースに対応する優先順位に従って、前記s個の第1の空間リソースを決定する前記ステップが、
好ましくは、前記選択されたs個の第1の空間リソースが事前設定条件を満たすまで、前記応答信号によって示された前記n個の第1の空間リソースの中で優先順位がより高い第1の空間リソースを選択するステップ
を備える、請求項7に記載の方法。
【請求項９】
前記事前設定条件が、すべての第2のネットワークデバイスのカバレージ要件が満たされることである、請求項8に記載の方法。
【請求項１０】
前記応答信号を使用して前記第1の空間リソースを示す多数の第2のネットワークデバイスが存在する場合、前記第1の空間リソースが高い優先順位を有する、請求項7から9のいずれか一項に記載の方法。
【請求項１１】
ワイヤレス通信方法であって、
少なくとも1つの第1の信号を受信するステップであって、各第1の信号が対応する識別情報を備え、前記対応する識別情報が、第1の信号に対応する第1の空間リソースを示すために使用され、前記対応する識別情報が、第1の空間リソースが属するリソースセットを示すためにさらに使用される、ステップと、
前記少なくとも1つの第1の信号、前記第1の信号に対応する前記第1の空間リソース、および各第1の空間リソースが属するリソースセットに従って応答信号を決定するステップであって、前記応答信号が少なくとも1つの選択された第1の空間リソースを示すために使用される、ステップと、
前記第1のネットワークデバイスに前記応答信号を送信するステップと
を備える、方法。
【請求項１２】
前記少なくとも1つの第1の信号、前記第1の信号に対応する前記第1の空間リソース、および各第1の空間リソースが属するリソースセットに従って応答信号を決定する前記ステップであって、前記応答信号が少なくとも1つの選択された第1の空間リソースを示すために使用される、前記ステップが、
前記少なくとも1つの第1の信号の中で、事前設定条件を満たす第1の信号を決定するステップと、
前記事前設定条件を満たすすべての第1の信号に対応する第1の空間リソースを選択し、前記選択された第1の空間リソースの識別情報を前記応答信号に付加するステップと
を備える、請求項11に記載の方法。
【請求項１３】
前記少なくとも1つの第1の信号、前記第1の信号に対応する前記第1の空間リソース、および各第1の空間リソースが属するリソースセットに従って応答信号を決定する前記ステップであって、前記応答信号が少なくとも1つの選択された第1の空間リソースを示すために使用される、前記ステップが、
前記少なくとも1つの第1の信号の中で、事前設定条件を満たす第1の信号を決定するステップと、
リソースセットに対応する優先順位に従って、前記事前設定条件を満たす第1の信号に対応する第1の空間リソースの中で少なくとも1つの第1の空間リソースを選択し、前記選択された第1の空間リソースの識別情報を前記応答信号に付加するステップ、または
第1の空間リソースに対応する優先順位に従って、前記事前設定条件を満たす第1の信号に対応する第1の空間リソースの中で少なくとも1つの第1の空間リソースを選択し、前記選択された第1の空間リソースの識別情報を前記応答信号に付加するステップと
を備える、請求項11に記載の方法。
【請求項１４】
事前設定条件を満たす第1の信号を決定する前記ステップが、
対応するしきい値以上の信号強度を有する第1の信号を決定するステップであって、前記対応するしきい値が、前記第1の信号に対応する第1の空間リソースが属するリソースセットに対応するしきい値である、ステップ
を備える、請求項12または13に記載の方法。
【請求項１５】
リソースセットに対応する優先順位に従って、前記事前設定条件を満たす第1の信号に対応する第1の空間リソースの中で少なくとも1つの第1の空間リソースを選択する前記ステップが、
前記リソースセットに対応する前記優先順位に従って、かつ前記事前設定条件を満たす前記第1の信号に対応する前記第1の空間リソースの中で、優先順位が最も高いリソースセットに属する第1の空間リソースを選択するステップ
を備える、請求項13または14に記載の方法。
【請求項１６】
しきい値がより小さいリソースセットがより高い優先順位に対応する、請求項15に記載の方法。
【請求項１７】
カバレージ幅がより大きい第1の空間リソースが属するリソースセットが、より小さいしきい値に対応する、請求項16に記載の方法。
【請求項１８】
プロセッサ、メモリ、およびトランシーバを備えるネットワークデバイスであって、前記メモリが命令を記憶するように構成され、前記プロセッサが、前記メモリに記憶された前記命令を実行して、信号の受信および送信を実行するように前記トランシーバを制御するように構成され、前記プロセッサが前記メモリに記憶された前記命令を実行すると、前記ネットワークデバイスが、請求項1から10のいずれか一項に記載の方法を実行するように構成される、ネットワークデバイス。
【請求項１９】
プロセッサ、メモリ、およびトランシーバを備えるネットワークデバイスであって、前記メモリが命令を記憶するように構成され、前記プロセッサが、前記メモリに記憶された前記命令を実行して、信号の受信および送信を実行するように前記トランシーバを制御するように構成され、前記プロセッサが前記メモリに記憶された前記命令を実行すると、前記ネットワークデバイスが、請求項11から17のいずれか一項に記載の方法を実行するように構成される、ネットワークデバイス。
【請求項２０】
請求項18に記載のネットワークデバイスと、請求項19に記載のネットワークデバイスとを備える、ワイヤレス通信システム。
【発明の詳細な説明】
【技術分野】
【０００１】
本発明は、通信技術の分野に関し、詳細には、ワイヤレス通信の方法およびシステム、ならびにデバイスに関する。
【背景技術】
【０００２】
高周波数シナリオでは、経路損失の増加に起因して、非常に高いアンテナ利得を形成して経路損失を補償するために、大規模な多入力多出力（Massive MIMO）ビームフォーミング（Beam Forming）技術が使用される必要がある。多くのMassive MIMOアンテナ、さらに数百のアンテナさえも存在する。大きいアンテナ利得が形成されると、形成されたビームはより大きい空間カバレージ長を有するが、空間カバレージ幅はより小さくなる。たとえば、図1では、形成されたビームはユーザ機器（User Equipment、UE）1のみをカバーすることができ、UE2はビームによってカバーすることができない。したがって、1つのビームは、セル内のすべてのユーザ機器をカバーすることができない。セル内のすべてのユーザ機器をカバーし、事前設定されたカバレージ要件を満たすために、複数の狭ビームが、セルをカバーしてセル内のすべてのユーザ機器の通信要件を満たすために使用される必要がある。
【０００３】
狭ビームによってカバーされるユーザ機器のサービス要件を満たすために、従来技術では、通常、各狭ビームを使用することにより、ワイヤレス信号がユーザ機器に送信され、それにより、システムリソースのオーバーヘッドが増加する。たとえば、図2に示されたセル1の狭ビームのカバレージ状況を参照されたい。現在、セル1には、2つのユーザ機器UE1およびUE2しか存在しない。UE1およびUE2がワイヤレスネットワークにアクセスするとき、図2に示されたビーム0からビーム7の各狭ビームを使用することにより、同期情報およびシステム情報などのアクセス信号が送信される必要がある。ビーム7はUE1またはUE2をカバーしておらず、ビーム7によって送信されたアクセス信号は、ワイヤレスネットワークにアクセスするためにユーザ機器によって使用されないことが図2から分かる。しかしながら、ビーム7を使用してアクセス信号を送信するためにシステムリソースも占有され、それにより、システムリソースのオーバーヘッドが増加する。
【発明の概要】
【０００４】
本発明の実施形態は、狭ビームカバレージシナリオにおいてワイヤレス信号を送信してユーザ機器にサービスするために各ビームが使用される従来技術において引き起こされるシステムオーバーヘッドが大きい問題を解決するために、通信方法、デバイス、およびシステムを提供する。
【０００５】
前述の目的を達成するために、本発明の実施形態は以下の技術的解決策を使用する。
【課題を解決するための手段】
【０００６】
第1の態様によれば、ワイヤレス通信方法が提供される。第1のネットワークデバイスは、異なるリソースセット内の第1の空間リソースを使用してm個の第1の信号を送信し、各第1の信号は対応する識別情報を含み、対応する識別情報は第1の信号に対応する第1の空間リソースを示すために使用され、第1の空間リソースが属するリソースセットを示すためにさらに使用される。第2のネットワークデバイスは、少なくとも1つの受信された第1の信号、第1の信号に対応する第1の空間リソース、および各第1の空間リソースが属するリソースセットに従って、少なくとも1つの第1の空間リソースを選択し、応答信号を使用して第1のネットワークデバイスに選択された第1の空間リソースを示す。第1のネットワークデバイスは、応答信号に従って、既存の第2のネットワークデバイス、および第2のワイヤレスネットワークと示された第1の空間リソースとの間の対応関係を知り、したがって、事前設定されたカバレージ要件を満たすことができるk個の第2の空間リソースを決定し、k個の第2の空間リソース上で第2の信号を送信し、kは比較的小さい値である。
【０００７】
したがって、第2の信号はより効率的に送信することができ、それにより、第2の空間リソースが節約され、無効な第2の空間リソース上で第2の信号を送信するために必要なシステムリソースのオーバーヘッドが節約される。加えて、第2の信号がk個の第2の空間リソース以外の無効な第2の空間リソース上で送信されるときの干渉がさらに回避されてもよい。
【０００８】
第1の態様を参照して、第1の態様の第1の可能な実装形態では、m個の第1の信号に対応し、第1のネットワークデバイスによって決定されたm個の第1の空間リソースは、異なるリソースセットに属する。
【０００９】
第1の信号を送信するために第1のネットワークデバイスによって使用された第1の空間リソースが異なるリソースセットに属するとき、第2のネットワークデバイスによって送信された応答信号内で示された第1の空間リソースも異なるリソースセットに属してもよい。異なるリソースセット内の第1の空間リソースの空間カバレージエリアは同じではないので、カバレージエリアが異なる第1の空間リソースは、異なる数の第2のネットワークデバイスのカバレージ要件を満たすことができる。したがって、第1のネットワークデバイスは、第2のネットワークデバイスと送信された応答信号内で示された第1の空間リソースとの間の対応関係に従って、かつ異なるリソースセットに属する第1の空間リソースのカバレージエリアに応じて、事前設定されたカバレージ要件を満たすことができる比較的少数の第2の空間リソースの組合せを決定し、決定された第2の空間リソースを使用して第2の信号を送信することができ、それにより、第2のネットワークデバイスにサービスする第2の空間リソースの数が削減され、システムリソースのオーバーヘッドが低減される。
【００１０】
第1の態様の第1の可能な実装形態を参照して、第1の態様の第2の可能な実装形態では、m個の第1の空間リソース内にあり、同じリソースセットに属する第1の空間リソースは、1つのエリアのカバレージに対応し、そのエリアは同じセル内にある。
【００１１】
したがって、同じセル内の第2のネットワークデバイスは、タイムリーに同期されてもよい。
【００１２】
第1の態様から第1の態様の第2の可能な実装形態のいずれか1つを参照して、第1の態様の第3の可能な実装形態では、第1の信号に含まれる情報量は第2の信号に含まれる情報量よりも少ない。
【００１３】
比較的大量の情報を含む第2の信号は、比較的少数の第2の空間リソースを使用して送信されるが、比較的少量の情報を含む第1の信号は、比較的多数の第1の空間リソースを使用して送信される。これにより、第1のネットワークデバイスの電力オーバーヘッドおよびエネルギーオーバーヘッドが低減されてもよく、それにより、システムリソースのオーバーヘッドが低減される。
【００１４】
第1の態様から第1の態様の第3の可能な実装形態のいずれか1つを参照して、第1の態様の第4の可能な実装形態では、対応する識別情報は、第1の空間リソースが属するリソースセットを示すために使用されるセット識別情報を含み、セット識別情報は、
第1の信号に含まれるセット識別文字、
第1の信号に含まれるシーケンスのタイプ、
第1の信号内の情報用に付加されたスクランブリングコードのタイプ、
第1の信号内の情報用に付加されたマスクのタイプ、または
第1の信号内の情報の巡回冗長検査コードCRCの計算方式
である。
【００１５】
第1の態様から第1の態様の第4の可能な実装形態のいずれか1つを参照して、第1の態様の第5の可能な実装形態では、第2のネットワークデバイスは、少なくとも1つの受信された第1の信号の中で、事前設定条件を満たす第1の信号を決定する。
【００１６】
第1の態様の第5の可能な実装形態を参照して、第1の態様の第6の可能な実装形態では、事前設定条件を満たす第1の信号は、しきい値以上の信号強度を有する第1の信号であり、しきい値は、第1の信号に対応する第1の空間リソースが属するリソースセットに対応するしきい値である。
【００１７】
このようにして、第2のネットワークデバイスによって受信された第1の信号の信号強度が、事前設定されたしきい値以上であるとき、それは、第1の信号の信号が比較的強いこと、および第1の信号に対応する第1の空間リソースが第2のネットワークデバイスのカバレージ要件を満たすことができることを示すことができる。
【００１８】
第1の態様の第5の可能な実装形態を参照して、第1の態様の第7の可能な実装形態では、第1の事前設定条件を満たす一組の第1の信号は、第2のネットワークデバイスによって受信された第1の信号の中で、第2のネットワークデバイスと第1のネットワークデバイスとの間で合意された第1の空間リソースに対応する第1の信号を含む。
【００１９】
第1の態様から第1の態様の第7の可能な実装形態のいずれか1つを参照して、第1の態様の第8の可能な実装形態では、第2のネットワークデバイスは、リソースセットに対応する優先順位または第1の空間リソースに対応する優先順位に従って、事前設定条件を満たす第1の信号に対応する第1の空間リソースの中で少なくとも1つの第1の空間リソースを選択し、選択された第1の空間リソースの識別情報を応答信号に付加する。
【００２０】
第1の態様から第1の態様の第7の可能な実装形態のいずれか1つを参照して、第1の態様の第9の可能な実装形態では、第1のネットワークデバイスは、応答信号によって示されたn個の第1の空間リソースの中で、第1の空間リソースが属するリソースセットに対応する優先順位、または第1の空間リソースに対応する優先順位に従って、s個の第1の空間リソースを決定することであって、sが正の整数である、決定することと、s個の第1の空間リソースに対応するk個の第2の空間リソースを決定し、k個の第2の空間リソース上で第2のネットワークデバイスに第2の信号を送信することとを行う。
【００２１】
第1の態様の第8または第9の可能な実装形態を参照して、第1の態様の第10の可能な実装形態では、カバレージ幅がより大きい第1の空間リソースが属するリソースセットは、より小さいしきい値に対応し、しきい値がより小さいリソースセットは、より高い優先順位に対応する。
【００２２】
このようにして、第2のネットワークデバイスは、好ましくは、異なるリソースセット内のカバレージ幅がより大きい第1の空間リソースを第1のネットワークデバイスに送信することができる。カバレージ幅がより大きい第1の空間リソースは、より多くの第2のネットワークデバイスのカバレージ要件を満たすことができ、その結果、第1のネットワークデバイスは、カバレージ幅がより大きい第1の空間リソースに従って、事前設定されたカバレージ要件を満たすことができる比較的少数の第2の空間リソースをより簡単に決定することができ、それにより、システムリソースのオーバーヘッドが低減される。
【００２３】
第1の態様の第9の可能な実装形態を参照して、第1の態様の第11の可能な実装形態では、応答信号を使用して第1の空間リソースを示す多数の第2のネットワークデバイスが存在する場合、第1の空間リソースは高い優先順位を有する。
【００２４】
複数の第2のネットワークデバイスによって示された第1の空間リソースは、複数の第2のネットワークデバイスのカバレージ要件を満たすことができるので、第1のネットワークデバイスは、好ましくは、複数の第2のネットワークデバイスのカバレージ要件を満たすことができる第1の空間デバイスを選択することができ、それにより、事前設定されたカバレージ要件を満たすことができるs個の第1の空間リソースの数が削減され、対応する第2の空間リソースの数kがさらに削減され、システムリソースのオーバーヘッドが低減される。
【００２５】
第1の態様の第8または第9の可能な実装形態を参照して、第1の態様の第12の可能な実装形態では、リソースセットに対応する優先順位および第1の空間リソースに対応する優先順位は、第1のネットワークデバイスと第2のネットワークデバイスとの間で事前交渉される。
【００２６】
第2の態様によれば、プロセッサ、メモリ、およびトランシーバを含むネットワークデバイスが提供される。メモリは命令を記憶するように構成される。プロセッサは、メモリに記憶された命令を実行して、信号の受信および送信を実行するようにトランシーバを制御するように構成される。プロセッサがメモリに記憶された命令を実行すると、ネットワークデバイスは、第1の態様および第1の態様のすべての可能な実装形態のいずれか1つによる方法において、第1のネットワークデバイスに対応するアクションを実行するように構成される。
【００２７】
第3の態様によれば、プロセッサ、メモリ、およびトランシーバを含むネットワークデバイスが提供される。メモリは命令を記憶するように構成される。プロセッサは、メモリに記憶された命令を実行して、信号の受信および送信を実行するようにトランシーバを制御するように構成される。プロセッサがメモリに記憶された命令を実行すると、ネットワークデバイスは、第1の態様および第1の態様のすべての可能な実装形態のいずれか1つによる方法において、第2のネットワークデバイスに対応するアクションを実行するように構成される。
【００２８】
第4の態様によれば、第2の態様に記載されたネットワークデバイスおよび第3の態様に記載されたネットワークデバイスを含むワイヤレス通信システムが提供される。
【００２９】
理解を容易にするために、以下では、参考のため本発明に関連するいくつかの概念を記載するために例を使用する。
【００３０】
第3世代パートナーシッププロジェクト（英語：3rd Generation Partnership Project、略して3GPP）は、ワイヤレス通信ネットワークの開発に専念するプロジェクトである。一般に、3GPPに関連する機関は3GPP機関と呼ばれる。
【００３１】
ワイヤレス通信ネットワークは、ワイヤレス通信機能を提供するネットワークである。ワイヤレス通信ネットワークは、様々な通信技術、たとえば、符号分割多元接続（英語：Code Division Multiple Access、略してCDMA）、広帯域符号分割多元接続（Wideband Code Division Multiple Access、略してWCDMA（登録商標））、時分割多元接続（英語：Time Division Multiple Access、略してTDMA）、周波数分割多元接続（英語：Frequency Division Multiple Access、略してFDMA）、直交周波数分割多元接続（英語：Orthogonal Frequency−division Multiple access、略してOFDMA）、シングルキャリア周波数分割多元接続（英語：Single Carrier FDMA、略してSC−FDMA）、または衝突回避を伴うキャリアセンス多元接続（英語：Carrier Sense Multiple Access with Collision Avoidance）を使用することができる。様々なネットワークの容量、速度、および遅延などの要因に応じて、ネットワークは2G（英語：Generation）ネットワーク、3Gネットワーク、または4Gネットワークに分類されてもよい。典型的な2Gネットワークには、モバイル通信用グローバルシステム（英語：Global System For Mobile Communications／General Packet Radio Service、略してGSM（登録商標））ネットワークまたは汎用パケット無線サービス（英語：General Packet Radio Service、略してGPRS）ネットワークが含まれる。典型的な3Gネットワークには、ユニバーサルモバイルテレコミュニケーションシステム（英語：Universal Mobile Telecommunications System、略してUMTS）ネットワークが含まれる。典型的な4Gネットワークには、ロングタームエボリューション（英語：Long Term Evolution、略してLTE）ネットワークが含まれる。UMTSネットワークは、時々、ユニバーサル地上無線アクセスネットワーク（英語：Universal Terrestrial Radio Access Network、略してUTRAN）と呼ばれる場合がある。LTEネットワークは、時々、発展型ユニバーサル地上無線アクセスネットワーク（英語：Evolved Universal Terrestrial Radio Access Network、略してE−UTRAN）と呼ばれる場合がある。様々なリソース割振り方式に応じて、ネットワークは、セルラー通信ネットワークおよびワイヤレスローカルエリアネットワーク（英語：Wireless Local Area Networks、略してWLAN）に分類されてもよい。セルラー通信ネットワークはスケジューリング優位であり、WLANは競争優位である。前述の2G、3G、および4Gネットワークは、すべてセルラー通信ネットワークである。当業者は、技術の発展に伴い、本発明の実施形態において提供される技術的解決策が、別のワイヤレス通信ネットワーク、たとえば、4．5Gネットワークもしくは5Gネットワーク、または別の非セルラー通信ネットワークに適用されてもよいことを知るべきである。簡潔にするために、ワイヤレス通信ネットワークは、本発明の実施形態では、時々、単にネットワークと呼ばれる場合がある。
【００３２】
FDMAは、周波数分割多重マルチキャリア伝送方式である。多重化された信号（サブキャリア）は直交している。
【００３３】
セルラー通信ネットワークは、ワイヤレス通信ネットワークの1つである。セルラー通信ネットワークは、セルラーワイヤレスネットワーキング方式でワイヤレスチャネルを使用することにより、端末デバイスとワイヤレスネットワークデバイスを接続し、その結果、ユーザは活動中に互いに通信することができる。セルラー通信ネットワークの主な特徴は端末のモビリティである。セルラー通信ネットワークは、セル間のハンドオーバー、およびローカルエリアネットワーク間の自動ローミングを実行する機能をサポートする。
【００３４】
ユーザ機器（英語：User Equipment、略してUE）は端末デバイスである。ユーザ機器は、モバイル端末デバイスであってもよいし、非モバイル端末デバイスであってもよい。機器は、主にサービスデータを受信または送信するように構成される。ユーザ機器はネットワーク内に分散されていてもよい。ユーザ機器は、様々なネットワークにおける様々な名称、たとえば、端末、移動局、ユーザユニット、局、携帯電話、ワイヤレスモデム、ワイヤレス通信デバイス、セッション開始プロトコル（SIP）電話、スマートフォン、ワイヤレスローカルループ（WLL）ステーション、携帯情報端末（PDA）、ラップトップコンピュータ、ハンドヘルド通信デバイス、および衛星ワイヤレスデバイスを有する。ユーザ機器は、無線アクセスネットワーク（Radio Access Network、略してRAN）（ワイヤレス通信ネットワークのアクセス部分）を使用することにより、1つまたは複数のコアネットワークと通信することができる。ユーザ機器は、1つまたは複数のユーザ機器と通信するように構成されてもよいし（たとえば、D2D通信）、1つまたは複数の基地局と通信するように構成されてもよい。ユーザ機器は、ユーザ端末と呼ばれる場合もあり、システム、ユーザユニット、ユーザ局、移動局、モバイルワイヤレス端末、モバイルデバイス、ノード、デバイス、リモートステーション、リモート端末、端末、ワイヤレス通信デバイス、ワイヤレス通信装置、またはユーザエージェントの機能の一部またはすべてを含んでもよい。
【００３５】
基地局（英語：Base Station、略してBS）デバイスは、基地局と呼ばれる場合もあり、無線アクセスネットワーク上に展開されてワイヤレス通信機能を提供する装置である。たとえば、2Gネットワークにおいて基地局機能を提供するデバイスには、ワイヤレストランシーバ基地局（英語：Base Transceiver Station、略してBTS）および基地局コントローラ（英語：Base Station Controller、略してBSC）が含まれ、3Gネットワークにおいて基地局機能を提供するデバイスには、ノードB（英語略称：NodeB）および無線ネットワークコントローラ（英語：Radio Network Controller、略してRNC）が含まれ、4Gネットワークにおいて基地局機能を提供するデバイスには、発展型ノードB（英語：Evolved NodeB、略してeNB）が含まれ、WLANにおいて基地局機能を提供するデバイスは、アクセスポイント（英語：Access Point、略してAP）である。基地局は、1つまたは複数のユーザ機器と通信するように構成されてもよいし、いくつかのユーザ機器機能（たとえば、マクロ基地局とマイクロ基地局との間の通信、またはアクセスポイント間の通信）を有する1つまたは複数の基地局と通信するように構成されてもよい。基地局は、エアインタフェースを使用してワイヤレス端末と通信することができる。通信は、1つまたは複数のセクタを使用することによって実施されてもよい。基地局はまた、ワイヤレス端末とアクセスネットワークの別の部分との間のルータとして働くために、受信されたエアインタフェースフレームをIPパケットに変換することができ、アクセスネットワークにはインターネットプロトコル（IP）ネットワークが含まれる。加えて、基地局は、エアインタフェース属性の管理を調整することができ、また有線ネットワークとワイヤレスネットワークとの間のゲートウェイであってもよい。
【００３６】
ワイヤレスネットワークデバイスは、ワイヤレス通信ネットワーク内に配置されたデバイスである。そのデバイスは、基地局、ユーザ機器などであってもよい。
【００３７】
フレーム構造、無線フレーム、サブフレーム、シンボル、およびタイムスロットは、以下のように説明される。
【００３８】
フレーム構造は、信号を送信するために使用される時間リソース（時間領域）の分割を示す構造である。ワイヤレス通信では、フレーム構造内で通常使用される時間単位は、降順の無線フレーム、サブフレーム、およびタイムスロットである。具体的には、各時間単位に対応する時間長は、具体的なプロトコル要件に応じて設定されてもよい。一例として、LTEにおけるフレーム構造が使用される。無線フレーム（Radio Frame）は、10msの長さを有し、10個のサブフレーム（Subframe）を含む。各サブフレームは1msの長さを有し、2つのタイムスロットをさらに含む。各タイムスロット（Slot）は0．5msである。シンボル（Symbol）は信号の最小単位である。一例として、LTEネットワークが使用される。各OFDMサブキャリアはOFDMシンボルに対応する。シンボル間のガードインターバルが考慮されないとき、OFDMシンボルの長さ（占有時間）は1  ／サブキャリア間の間隔である。シンボル間のガードインターバルが考慮されると、OFDMシンボルによって占有される時間は、OFDMシンボルの長さとサイクリックプレフィックス（CP）の長さの和である。
【００３９】
OFDMシステムでは、シンボル間干渉を最大限に除去するために、各OFDMシンボルの間にガードインターバルが挿入される必要がある。ガードインターバルの長さTgは、一般に、無線チャネルの最大遅延拡散よりも大きくなければならない。このようにして、シンボルのマルチパス成分は次のシンボルと干渉しない。
【００４０】
ガードインターバル内では、信号は挿入されない。すなわち、ガードインターバルはアイドル送信時間セグメントである。しかしながら、この場合、マルチパス伝搬に起因して、チャネル間干渉が発生する。すなわち、サブキャリア間の直交性が損なわれ、結果として、異なるサブキャリア間で干渉が発生する。マルチパス伝播によって生じるチャネル間干渉を除去するために、元の幅がTであるOFDMシンボルに対して周期的な拡張が実行され、ガードインターバルを満たすために拡張信号が使用される。
【００４１】
フレーム番号は、各無線フレームの番号である。一例として、LTEネットワークが使用される。LTEにおけるフレームは、0から1023までの番号が付けられ、次いで、再び0からの番号が付けられる。
【００４２】
リソースには、時間リソース、周波数リソース、コードリソース、および空間リソースが含まれる。
【００４３】
時間リソースは、信号によって占有され、時間で測定されるリソースである。たとえば、信号は、2つのOFDMシンボル、または1つのサブフレーム、または3つの無線フレームを時間的に占有する。時間リソースは、絶対時間リソースおよび相対時間リソース、たとえば、無線フレーム番号、無線フレーム内のサブフレームの相対位置、またはサブフレーム内のシンボルの相対位置のうちの少なくとも1つを含んでもよい。時間リソースが固定または可変であるという一般的な説明は、相対時間リソースについてである。しかしながら、時間リソースが同じであるという一般的な説明は、絶対時間リソースが同じであることを意味してもよいし、相対時間リソースが同じであることを意味してもよい。
【００４４】
周波数リソースは、信号によって占有され、周波数で測定されるリソースである。たとえば、信号は10MHzの周波数を占有する。OFDMシステムでは、占有された周波数リソースを記述するために、一般にサブキャリア数が使用される。
【００４５】
時間周波数リソースは、信号によって占有され、時間および周波数で測定されるリソースである。たとえば、信号は時間的に2つのOFDMシンボルを占有し、10MHzの周波数を占有する。
【００４６】
コードリソースは、信号によって占有され、コード、たとえば、WCDMA（登録商標）における拡散コードで測定されるリソースである。信号によって使用されるシーケンスリソース、たとえば、同期信号によって使用されるシーケンスも、コードリソースと呼ばれる。
【００４７】
シーケンスはコードリソースの1つである。
【００４８】
空間リソースは、信号によって占有され、ビームで測定されるリソースである。多入力多出力（Multiple Input Multiple Output、MIMO）送信の場合、信号は異なる方向を指すビームを使用して同じ時間周波数リソース上で並列に送信されてもよい。
【００４９】
アクセスは、ワイヤレスネットワークデバイス間の初期接続を確立するプロセスである。ワイヤレスネットワークデバイスの具体的なタイプは限定されなくてもよい。アクセスは、通常、UEと基地局との間、およびマイクロ基地局とマクロ基地局との間で実行される。本発明の実施形態では、アクセスはUE間にも適用される。
【００５０】
同期信号は、送信側との周波数同期または時間同期のうちの少なくとも1つを実施するために受信側によって使用される信号である。
【００５１】
セル固有基準信号（英語：Cell Reference Signal、略してCRS）は、チャネルプリコーディングに関連する情報を搬送し、ダウンリンクチャネル推定を実行する際にUEを支援し、またチャネル品質検出に使用されてもよい。
【００５２】
チャネル状態情報基準信号（英語：Channel State Information−Reference Signal、略してCSI−RS）は、基準信号が配置されたときのチャネル品質インジケータ、プリコーディングインジケータ、またはランクなどの情報を測定するために使用される。
【００５３】
物理ブロードキャストチャネル（英語：Physical Broadcast Channel、略してPBCH）は、ブロードキャストチャネルを搬送し、QPSK変調を使用する。トランスポートブロックの持続時間は40msである。
【００５４】
システム情報、すなわち、システム情報ブロードキャスト（System Information Broadcast）は、主に、UEとのワイヤレス接続を確立するためのアクセス対象ネットワークの主要情報を提供し、その結果、UEは、十分なアクセス情報ならびにセルの選択および再選択の公開構成パラメータを取得する。LTEにおけるシステム情報は、複数のシステム情報ブロック（System Information Block、SIB）に分割される。システム情報ブロックの1つは、マスタ情報ブロック（Master Information Block、MIB）と呼ばれる。MIBはブロードキャスト信号とも呼ばれる。他のSIBはシステム情報と呼ばれる。LTEシステム情報のブロードキャスティングおよび3Gシステム情報のブロードキャスティングは機能的に同じであるが、スケジューリングおよび具体的な情報内容には依然として大きい違いがある。MIBは、通常、限られた数の最も重要で最も一般的に使用される伝送パラメータを含むが、他のSIBは、通常、セル無線構成、セル再選択情報、隣接セルリスト、ホームeNB識別子（Home eNB Identifier）、地震津波警報システム（ETWS）または商用モバイル警告システム（CMAS）などの通知情報、およびマルチメディアマルチキャスト（MBMS）制御情報などのパラメータを含む。
【００５５】
本発明の実施形態または従来技術における技術的解決策をより明確に記載するために、以下で、実施形態または従来技術を記載するために必要とされる添付図面を簡単に記載する。明らかに、以下の説明における添付図面は本発明のいくつかの実施形態を示すにすぎず、当業者は、創造的な努力なしに、これらの添付図面から他の図面をさらに導出することができる。
【図面の簡単な説明】
【００５６】
【図１】本発明の一実施形態による、1つのタイプのビームカバレージの概略図である。
【図２】本発明の一実施形態による、別のタイプのビームカバレージの概略図である。
【図３】本発明の一実施形態による、ワイヤレス通信方法のフローチャートである。
【図４ａ】本発明の一実施形態による、別のタイプのビームカバレージの概略図である。
【図４ｂ】本発明の一実施形態による、別のタイプのビームカバレージの概略図である。
【図５】本発明の一実施形態による、別のワイヤレス通信方法のフローチャートである。
【図６】本発明の一実施形態による、別のワイヤレス通信方法のフローチャートである。
【図７】本発明の一実施形態による、別のワイヤレス通信方法のフローチャートである。
【図８】本発明の一実施形態による、別のワイヤレス通信方法のフローチャートである。
【図９】本発明の一実施形態による、別のワイヤレス通信方法のフローチャートである。
【図１０】本発明の一実施形態による、別のワイヤレス通信方法のフローチャートである。
【図１１】本発明の一実施形態による、別のワイヤレス通信方法のフローチャートである。
【図１２】本発明の一実施形態による、別のタイプのビームカバレージの概略図である。
【図１３】本発明の一実施形態による、別のワイヤレス通信方法のフローチャートである。
【図１４】本発明の一実施形態による、別のワイヤレス通信方法のフローチャートである。
【図１５】本発明の一実施形態による、別のタイプのビームカバレージの概略図である。
【図１６】本発明の一実施形態による、ネットワークデバイスの概略構造図である。
【図１７】本発明の一実施形態による、別のネットワークデバイスの概略構造図である。
【図１８】本発明の一実施形態による、ワイヤレス通信システムの基本アーキテクチャの概略図である。
【発明を実施するための形態】
【００５７】
以下で、本発明の実施形態における添付図面を参照して、本発明の実施形態における技術的解決策を明確かつ完全に説明する。明らかに、説明される実施形態は、本発明の実施形態のうちの一部にすぎず、すべてではない。創造的な努力なしに、本発明の実施形態に基づいて当業者によって取得されるすべての他の実施形態は、本発明の保護範囲内に入るべきである。
【００５８】
本出願において使用される「構成要素」、「モジュール」、および「システム」などの用語は、コンピュータ関連エンティティを示すために使用される。コンピュータ関連エンティティは、ハードウェア、ファームウェア、ハードウェアとソフトウェアの組合せ、ソフトウェア、または実行中のソフトウェアであってもよい。たとえば、構成要素は、限定はしないが、プロセッサ上で動作するプロセス、プロセッサ、オブジェクト、実行可能ファイル、実行スレッド、プログラム、および／またはコンピュータであってもよい。一例では、コンピューティングデバイスとコンピューティングデバイス上で動作するアプリケーションの両方は、構成要素であってもよい。1つまたは複数の構成要素は、プロセスおよび／または実行スレッドの中に存在してもよく、1つの構成要素は、1つのコンピュータ上に配置されてもよく、かつ／または2つ以上のコンピュータ間で分散されてもよい。加えて、これらの構成要素は、様々なデータ構造をもつ様々なコンピュータ可読媒体から実行されてもよい。これらの構成要素は、ローカルおよび／またはリモートのプロセスを使用することにより、かつ、たとえば、1つまたは複数のデータパケット（たとえば、ローカルシステムもしくは分散システム内の別の構成要素と対話する、かつ／または信号を使用することにより、インターネットなどのネットワークを介して他のシステムと対話する1つの構成要素からのデータ）を有する信号に従って、通信することができる。
【００５９】
すべての態様、実施形態、または特徴は、複数のデバイス、構成要素、モジュールなどを含んでもよいシステムを説明することにより、本出願において提示される。各システムは、別のデバイス、構成要素、モジュールなどを含んでもよく、かつ／または添付の図面を参照して説明されるすべてのデバイス、構成要素、モジュールなどを含まなくてもよいことを諒解されたい。加えて、これらの解決策の組合せが使用されてもよい。
【００６０】
本発明の実施形態における「例」という単語は、例、例示、または説明を与えることを表すために使用される。本出願において「例」として記載される任意の実施形態または設計方式は、別の実施形態または設計方式よりも好ましいか、または多くの利点を有するものとして説明されるべきではない。正確には、「たとえば」は、具体的に概念を提示するために使用される。
【００６１】
本発明の実施形態では、情報（Information）、信号（Signal）、メッセージ（Message）、またはチャネル（Channel）のうちの1つが時々使用される場合がある。違いが強調されていないとき、表現された意味が一致していることに留意されたい。「の（of）」、「関連する（Corresponding、Relevant）」、または「対応する（Corresponding）」のうちの1つが時々使用される場合がある。違いが強調されていないとき、表現された意味が一致していることに留意されたい。
【００６２】
本発明の実施形態に記載されたネットワークアーキテクチャおよびサービスシナリオは、本発明の実施形態における技術的解決策をより明確に記載するものであり、本発明の実施形態において提供される技術的解決策に対していかなる制限も構成しない。当業者は、ネットワークアーキテクチャの進化および新しいサービスシナリオの出現に伴い、本発明の実施形態において提供される技術的解決策が、同様の技術的問題にも適用可能であることを理解することができる。
【００６３】
本発明の実施形態は、時分割複信（Time Division Duplexing、TDD）シナリオだけでなく、周波数分割複信（Frequency Division Duplexing、FDD）シナリオにも適用されてよい。
【００６４】
本発明の実施形態は、ワイヤレス通信ネットワークの中のLTEネットワークのシナリオに基づいて記載される。本発明の実施形態における解決策は、別のワイヤレス通信ネットワークに適用されてもよいことに留意されたい。対応する名称は、別のワイヤレス通信ネットワーク内の対応する機能の名称で置き換えられてもよい。
【００６５】
LTEネットワークはOFDM技術を使用する。OFDM技術は、シリアル／パラレル変換により高速データストリームを複数の並列低速データストリームに変換し、次いで、低速データストリームを送信用に異なる周波数のいくつかのサブキャリア上のサブチャネルに割り振る。OFDM技術は、互いに直交するサブキャリアを利用する。各サブキャリアはシンボルに対応するので、サブキャリアのスペクトルが重複し、それによってスペクトル利用率が大幅に改善される。OFDMシステムでは、サブキャリア間隔Δfは、OFDMシステムにおける2つの隣接するサブキャリア間の周波数差である。OFDMシステムの帯域幅は、サブキャリア間隔にシステムのサブキャリアの理論上の最大数を掛けたものに等しい。システムのサブキャリアの理論上の最大数は、周波数ガード帯域幅が考慮されていないときのサブキャリアの最大数である。しかしながら、実際のところ、OFDMシステムは、通常、ガード帯域幅の約10％を確保する。したがって、システム向けに実際に構成されたサブキャリアの数は、サブキャリアの最大数よりも少ない。
【００６６】
本発明の実施形態における方法またはデバイスは、狭ビームカバレージシナリオにおいて基地局とユーザ機器との間に適用されてもよいし、基地局間（たとえば、マクロ基地局とマイクロ基地局との間）に適用されてもよいし、（たとえば、D2Dシナリオにおいて）ユーザ機器間に適用されてもよい。このことは本明細書では限定されない。
【００６７】
狭ビームカバレージシナリオにおいて、ユーザ機器の通信要件を満たすために、従来技術では、ワイヤレス信号は、通常、ユーザ機器にサービスために各ビームを使用して送信され、それにより、システムリソースのオーバーヘッドが大きくなるという問題がもたらされる。
【００６８】
ワイヤレス通信が狭ビームカバレージシナリオにおいて実行されるときに存在する従来技術における前述の問題に対処するために、本発明の実施形態は、通信方法およびシステム、ならびにデバイスを提供する。主要原理は以下の通りである：第1のネットワークデバイスは、異なるリソースセット内の第1の空間リソースを使用してm個の第1の信号を送信し、各第1の信号は対応する識別情報を含み、対応する識別情報は第1の信号に対応する第1の空間リソースを示すために使用され、第1の空間リソースが属するリソースセットを示すためにさらに使用される。第2のネットワークデバイスは、少なくとも1つの受信された第1の信号、第1の信号に対応する第1の空間リソース、および各第1の空間リソースが属するリソースセットに従って、少なくとも1つの第1の空間リソースを選択し、応答信号を使用して第1のネットワークデバイスに選択された第1の空間リソースを示す。第1のネットワークデバイスは、応答信号に従って、既存の第2のネットワークデバイス、および第2のワイヤレスネットワークと示された第1の空間リソースとの間の対応関係を知り、したがって、事前設定されたカバレージ要件を満たすことができるk個の第2の空間リソースを決定し、k個の第2の空間リソース上で第2の信号を送信し、kは比較的小さい値である。このようにして、第1のネットワークデバイスは、k個の第2の空間リソースを使用して第2のネットワークデバイスにサービスする。したがって、第2の信号はより効率的に送信することができ、それにより、第2の空間リソースが節約され、無効な第2の空間リソース上で第2の信号を送信するために必要なシステムリソースのオーバーヘッドが節約される。
【００６９】
第1の信号および第2の信号は、ワイヤレス通信プロセスにおいて作用される様々なタイプのワイヤレス信号であってもよい。本発明の実施形態では、第1の信号および第2の信号の情報タイプは限定されない。たとえば、第1の信号は、同期信号、CRSまたはCSI−RSなどの測定信号、PBCHブロードキャスト信号などであってもよく、第2の信号は、システム情報、同期信号、基準信号、データ信号などであってもよい。
【００７０】
前述の事前設定されたカバレージ要件は、実際の要件に応じて設定されてもよい。たとえば、事前設定されたカバレージ要件を満たすことは、すべての第2のネットワークデバイスのカバレージ要件を満たすこと、または第2のネットワークデバイスの95％のカバレージ要件を満たすことであってもよい。第2の空間リソースを使用して第2のネットワークデバイスによって受信された第2の信号の信号強度が事前設定された値以上であるとき、それは、第2のネットワークデバイスのカバレージ要件が満たされていることを示す。
【００７１】
第1の信号を送信するために第1のネットワークデバイスによって使用された第1の空間リソースが異なるリソースセットに属するとき、第2のネットワークデバイスによって送信された応答信号内で示された第1の空間リソースも異なるリソースセットに属してもよい。異なるリソースセット内の第1の空間リソースの空間カバレージエリアは同じではないので、カバレージエリアが異なる第1の空間リソースは、異なる数の第2のネットワークデバイスのカバレージ要件を満たすことができる。したがって、第1のネットワークデバイスは、第2のネットワークデバイスと送信された応答信号内で示された第1の空間リソースとの間の対応関係に従って、かつ異なるリソースセットに属する第1の空間リソースのカバレージエリアに応じて、事前設定されたカバレージ要件を満たすことができる比較的少数の第2の空間リソースの組合せを決定し、決定された第2の空間リソースを使用して第2の信号を送信することができ、それにより、第2のネットワークデバイスにサービスする第2の空間リソースの数が削減され、システムリソースのオーバーヘッドが低減される。
【００７２】
加えて、第1の信号および第2の信号を送信するとき、第1のネットワークデバイスは、いくつかの空間リソース、時間リソース、周波数リソース、およびコードリソースを占有する。第2のネットワークデバイスにサービスする空間リソースの数が減少すると、第2のネットワークデバイスにサービスする時間リソース、周波数リソース、およびコードリソースがそれに応じて減少し、それにより、システムリソースのオーバーヘッドがさらに低減される。
【００７３】
以下に、具体的な実施形態を使用することによって詳細説明を提供する。
【００７４】
図3を参照すると、本発明の一実施形態はワイヤレス通信方法を提供し、方法は以下のステップを含んでもよい。
【００７５】
101．第1のネットワークデバイスが、m個の第1の信号、各第1の信号に対応する第1の空間リソース、および各第1の空間リソースが属するリソースセットを決定し、ここで、mは正の整数である。
【００７６】
このステップでは、第1のネットワークデバイスは、m個の第1の信号、m個の第1の信号を送信するm個の第1の空間リソース、およびm個の第1の空間リソースが属するリソースセットを決定することができ、ここで、mは1より大きい正の整数であってもよい。本明細書における空間リソースは、ビームと同じ意味をもつ。各ビームは、カバレージ幅およびカバレージ長を含む、特定の空間カバレージエリアを有する。本明細書におけるリソースセットは、ビームセットと同じ意味をもつ。
【００７７】
m個の第1の空間リソースは異なるリソースセットに属してもよい。異なるリソースセット内のビームは、正確に同じカバレージ長または正確に同じカバレージ幅をもたない。同じリソースセット内の異なる第1の空間リソースは、おおよそ同じカバレージ長およびおおよそ同じカバレージ幅をもつ。
【００７８】
たとえば、第1のネットワークデバイスは、図4aに示された2つのリソースセット内の12個のビームを使用して第1の信号を送信することができる。12個のビームは、同じセル識別子を有してもよく、または同じ無線リソース制御レイヤによって制御されてもよい。加えて、各リソースセット内のビームは、セル1のエリアのカバレージに対応してもよい。ビーム0からビーム7は、リソースセット1に属し、セル1をカバーすることができる。ビーム8からビーム11は、リソースセット2に属し、セル1をカバーすることができる。
【００７９】
別の例を挙げると、第1のネットワークデバイスは、図4bに示された3つのリソースセット内の14個のビームを使用して第1の信号を送信することができる。14個のビームは、同じセル識別子を有してもよく、または同じ無線リソース制御レイヤによって制御されてもよい。ビーム0からビーム7はリソースセット1に属してもよく、ビーム8からビーム11はリソースセット2に属してもよく、ビーム12およびビーム13はリソースセット3に属してもよい。ビーム12およびビーム13も、セル1をカバーすることができる。
【００８０】
図4aおよび図4bに示されたビーム0からビーム7は、図2に示された狭ビームセット内のビーム0からビーム7と同じである。
【００８１】
リソースセット2のビームと比較して、リソースセット1のビームはより小さいカバレージ幅およびより大きいカバレージ長を有し、リソースセット1のビームと比較して、リソースセット2のビームはより大きいカバレージ幅およびより小さいカバレージ長を有することが図4aから分かる。リソースセット1のビーム、リソースセット2のビーム、およびリソースセット3のビームが比較されると、リソースセット1のビームは最小のカバレージ幅および最大のカバレージ長を有し、リソースセット3のビームは最大のカバレージ幅および最小のカバレージ長を有し、リソースセット2のビームは中程度のカバレージ幅および同様に中程度のカバレージ長を有することが図4bから分かる。実際には、アンテナから放射されるエネルギーは限られているので、形成されるビームのカバレージ幅およびカバレージ長は通常反比例する。
【００８２】
本発明のこの実施形態は、第1の信号を送信するために使用される第1の空間リソースの具体的な数、および第1の空間リソースが属するリソースセットの具体的な数に対していかなる制限も行わないことに留意されたい。好ましくは、m個の第1の空間リソースが属するリソースセットの数は、2以上である。
【００８３】
本発明のこの実施形態では、第1の信号を送信するために使用される第1の空間リソースが、図4aに示された2つのリソースセット内の12個のビームであり、図4aに示された基地局が第1のネットワークデバイスであり、図4aに示されたユーザ機器UE1およびユーザ機器UE2が第2のネットワークデバイスである例を使用することによって、説明が提供される。
【００８４】
102．第1のネットワークデバイスが、各対応する第1の空間リソース上で第1の信号を送信し、各第1の信号は対応する識別情報を含み、対応する識別情報は、第1の信号に対応する第1の空間リソースを示すために使用され、対応する識別情報は、第1の空間リソースが属するリソースセットを示すためにさらに使用される。
【００８５】
第1のネットワークデバイスは、図4aに示された各第1の空間リソース上で1つの第1の信号を送信する。第1の信号が送信される第1の空間リソースは、第1の信号に対応する第1の空間リソースである。加えて、第1の信号を送信するために使用される時間リソース、周波数リソース、およびコードリソースは、システムの実際の要件に応じて設定されてもよい。このことは本明細書では限定されない。
【００８６】
各第1の信号は対応する識別情報を含む。対応する識別情報は、第1の信号に対応する第1の空間リソース、および第1の空間リソースが属するリソースセットを示すために使用されてもよい。
【００８７】
対応する識別情報は、第1の信号に対応する第1の空間リソースを示すために使用されるリソース識別情報を含んでもよい。図2に示されたように、従来技術では、ワイヤレス信号は、通常、ビームセット1に対応するビーム0からビーム7の各ビーム上で送信され、ワイヤレス信号は、通常、ビームを識別するために使用されるビーム識別情報を含む。したがって、本発明のこの実施形態では、従来技術に存在する識別方式、たとえばビーム番号が、識別情報の中のリソース識別情報に使用されてもよい。詳細は本明細書では記載されない。
【００８８】
対応する識別情報は、第1の空間リソースが属するリソースセットを示すために使用されるセット識別情報をさらに含んでもよい。セット識別情報は、
第1の信号に含まれるセット識別文字、
第1の信号に含まれるシーケンスのタイプ、
第1の信号内の情報用に付加されたスクランブリングコードのタイプ、
第1の信号内の情報用に付加されたマスクのタイプ、または
第1の信号内の情報の巡回冗長検査コードCRCの計算方式
であってもよい。
【００８９】
たとえば、第1の信号は同期信号を含む。同期信号は、一次同期信号PSSおよび／または二次同期信号SSSを含む。セット識別情報は、PSSおよび／またはSSS内のシーケンスのタイプである。同期信号の中の一次同期信号PSSは、シーケンス1〜8を使用して、第1の信号に対応する第1の空間リソースが属するリソースセットをリソースセット1として識別し、シーケンス9〜12を使用して、第1の信号に対応する第1の空間リソースが属するリソースセットをリソースセット2として識別することができる。加えて、同期信号がSSSをさらに含むとき、異なるリソースセットを識別するために、PSSおよび／またはSSS内で異なるシーケンスタイプが使用されてもよい。
【００９０】
たとえば、第1の信号は、物理ブロードキャストチャネルPBCH搬送情報を含み、セット識別情報は、PBCH搬送情報内のリソースセット識別文字である。現在、PBCH搬送情報は14ビットの指示情報を含む。指示情報は、主に、ダウンリンクシステム帯域幅、システムフレーム番号、物理ハイブリッド自動再送インジケータチャネル（Physical Hybrid ARQ Indicator Channel、PHICH）構成などを示すために使用される。14ビットの指示情報以外に、PBCH搬送情報は10個のアイドルビットをさらに含む。本発明のこの実施形態では、第1のネットワークデバイスは、10個のアイドルビットを使用してセット識別文字を搬送し、セット識別情報としてセット識別文字を使用して、第1の信号に対応する第1の空間リソースが属するリソースセットを識別することができる。たとえば、PBCH搬送情報では、セット識別文字を搬送するために15番目のビットが使用される。15ビット番目のビット内の文字が0であるとき、それは、第1の信号に対応する第1の空間リソースが属するリソースセットがリソースセット1であることを表すことができる。15ビット番目のビット内の文字が1であるとき、それは、第1の信号に対応する第1の空間リソースが属するリソースセットがリソースセット2であることを表すことができる。
【００９１】
たとえば、第1の信号は、物理ブロードキャストチャネルPBCH搬送情報を含み、セット識別情報は、PBCH搬送情報用に付加されたスクランブリングコードのタイプである。たとえば、第1の信号内のPBCH搬送情報用に付加されたスクランブリングコード1は、第1の信号に対応する第1の空間リソースが属するリソースセットをリソースセット1として識別するために使用されてもよく、第1の信号内のPBCH搬送情報用に付加されたスクランブリングコード2は、第1の信号に対応する第1の空間リソースが属するリソースセットをリソースセット2として識別するために使用されてもよい。
【００９２】
たとえば、第1の信号はCSRまたはCSI−RSを含み、セット識別情報は、CSRまたはCSI−RS用に付加されたスクランブリングコードのタイプである。
【００９３】
たとえば、第1の信号は、物理ブロードキャストチャネルPBCH搬送情報を含み、セット識別情報は、PBCH搬送情報の巡回冗長検査コードCRC用に付加されたマスクのタイプである。たとえば、第1の信号内のPBCH搬送情報の巡回冗長検査コードCRC用に付加されたマスク1は、第1の信号に対応する第1の空間リソースが属するリソースセットをリソースセット1として識別するために使用されてもよく、第1の信号内のPBCH搬送情報の巡回冗長検査コードCRC用に付加されたマスク2は、第1の信号に対応する第1の空間リソースが属するリソースセットをリソースセット2として識別するために使用されてもよい。
【００９４】
たとえば、第1の信号は、物理ブロードキャストチャネルPBCH搬送情報を含み、セット識別情報は、PBCH搬送情報の巡回冗長検査コードCRCの計算方式である。たとえば、第1の信号内のPBCH搬送情報の巡回冗長検査コードCRCによって使用される計算方式1は、第1の信号が配置された第1の空間リソースセットを第1のビームセットとして識別するために使用されてもよく、第1の信号内のPBCH搬送情報の巡回冗長検査コードCRCによって使用される計算方式2は、第1の信号が配置された第1の空間リソースセットを第2のビームセットとして識別するために使用されてもよい。
【００９５】
第1の信号内のセット識別情報の前述の説明は例にすぎず、またセット識別情報が他の形態であってもよいことに留意されたい。例は本明細書では一つずつ記載されていない。
【００９６】
103．第2のネットワークデバイスが少なくとも1つの第1の信号を受信する。
【００９７】
第2のネットワークデバイスは、第1のネットワークデバイスによって送信された少なくとも1つの第1の信号を受信する。各第1の信号は対応する識別情報を含む。対応する識別情報は、第1の信号に対応する第1の空間リソースを示すために使用され、対応する識別情報は、第1の空間リソースが属するリソースセットを示すためにさらに使用される。異なる第1の空間リソース上で第2のネットワークデバイスが受信する第1の信号は、異なる信号強度を有する。
【００９８】
104．第2のネットワークデバイスが、少なくとも1つの第1の信号、第1の信号に対応する第1の空間リソース、および各第1の空間リソースが属するリソースセットに従って応答信号を決定し、応答信号は、少なくとも1つの選択された第1の空間リソースを示すために使用される。
【００９９】
少なくとも1つの第1の信号を受信した後、第2のネットワークデバイスは、少なくとも1つの第1の信号、第1の信号に対応する第1の空間リソース、および各第1の空間リソースが属するリソースセットに従って、第2のネットワークデバイスに対応する少なくとも1つの第1の空間リソースを選択し、応答信号を使用して第1のネットワークデバイスに選択された第1の空間リソースを示すことができる。
【０１００】
105．第2のネットワークデバイスが第1のネットワークデバイスに応答信号を送信する。
【０１０１】
106．第1のネットワークデバイスが、第2のネットワークデバイスによって送信された応答信号を受信し、応答信号はn個の第1の空間リソースを示すために使用され、nは正の整数である。
【０１０２】
第1のネットワークデバイスは、各第2のネットワークデバイスによって送信された応答信号を受信し、応答信号内で示されたn個の第1の空間リソースを取得し、ここで、nは正の整数である。
【０１０３】
107．第1のネットワークデバイスが、応答信号に従ってk個の第2の空間リソース上で第2のネットワークデバイスに第2の信号を送信し、ここで、kは正の整数である。
【０１０４】
応答信号を受信した後、第1のネットワークデバイスは、応答信号に従って、セル1内に存在する第2のネットワークデバイス、および第2のワイヤレスネットワークと示された第1の空間リソースとの間の対応関係を知り、したがって、事前設定されたカバレージ要件を満たすことができるk個の第2の空間リソースを決定することができ、ここで、kは比較的小さい値である。このようにして、第1のネットワークデバイスは、k個の第2の空間リソースを使用して第2のネットワークデバイスにサービスする。したがって、第2の信号はより効率的に送信することができ、それにより、第2の空間リソースが節約され、無効な第2の空間リソース上で第2の信号を送信するために必要なシステムリソースのオーバーヘッドが節約される。加えて、第2の信号がk個の第2の空間リソース以外の無効な第2の空間リソース上で送信されるときの干渉がさらに回避されてもよい。
【０１０５】
第1の信号を送信するために第1のネットワークデバイスによって使用された第1の空間リソースが異なるリソースセットに属するとき、第2のネットワークデバイスによって送信された応答信号内で示された第1の空間リソースも異なるリソースセットに属してもよいことに留意されたい。異なるリソースセット内の第1の空間リソースの空間カバレージエリアは同じではないので、カバレージエリアが異なる第1の空間リソースは、異なる数の第2のネットワークデバイスのカバレージ要件を満たすことができる。したがって、第1のネットワークデバイスは、第2のネットワークデバイスと送信された応答信号内で示された第1の空間リソースとの間の対応関係に従って、かつ異なるリソースセットに属する第1の空間リソースのカバレージエリアに応じて、事前設定されたカバレージ要件を満たすことができる比較的少数の第2の空間リソースを決定し、決定された第2の空間リソースを使用して第2の信号を送信することができ、それにより、第2のネットワークデバイスにサービスする第2の空間リソースの数が削減され、システムリソースのオーバーヘッドが低減される。
【０１０６】
加えて、ユーザ機器にサービスする空間リソースの数が減少すると、ユーザ機器にサービスする時間リソース、周波数リソース、およびコードリソースがそれに応じて減少し、それにより、システムオーバーヘッドがさらに低減される。
【０１０７】
前述のプロセスでは、第1の信号は、比較的少量の情報を含む信号であってもよく、第2の信号は、比較的大量の情報を含む信号であってもよい。第2の信号は、第1のネットワークデバイスによって決定された比較的少数の第2の空間リソース上で送信される。したがって、比較的大量の情報を含む第2の信号が比較的少数の第2の空間リソースを使用して送信され、比較的少量の情報を含む第1の信号が比較的多数の第1の空間リソースを使用して送信されるとき、第1のネットワークデバイスの電力オーバーヘッドおよびエネルギーオーバーヘッドはさらに低減されてもよい。
【０１０８】
図5、図6、および図7を参照すると、前述のステップ104は、具体的に、以下のステップ1041および1042の組合せ、以下のステップ1041および1043の組合せ、または以下のステップ1041および1044の組合せを含んでもよい。
【０１０９】
1041．第2のネットワークデバイスが、少なくとも1つの第1の信号の中で、事前設定条件を満たす第1の信号を決定する。
【０１１０】
場合によっては、第2のネットワークデバイスにより、事前設定条件を満たす第1の信号を決定するステップは、
第2のネットワークデバイスにより、対応するしきい値以上の信号強度を有する第1の信号を決定するステップであって、対応するしきい値は、第1の信号に対応する第1の空間リソースが属するリソースセットに対応するしきい値である、ステップ
を含んでもよい。
【０１１１】
具体的には、第2のネットワークデバイスによって受信された少なくとも1つの第1の信号の中で、第1の信号の信号強度が、第1の信号に対応する第1の空間リソースが属するリソースセットに対応するしきい値以上であるとき、それは、第1の空間リソース上で送信された第1の信号が比較的強いこと、および第1の空間リソースが第2のワイヤレスネットワークのカバレージ要件を満たすことができることを示すことができる。異なるリソースセットに対応するしきい値は、具体的なケースに応じて設定されてもよい。この場合、たとえば、事前設定条件を満たし、UE1によって決定された第1の信号に対応する第1の空間リソースは、ビーム2およびビーム9であってもよく、事前設定条件を満たし、UE2によって決定された第1の信号に対応する第1の空間リソースは、ビーム3およびビーム9であってもよい。
【０１１２】
前述の事前設定条件は一例にすぎず、保護範囲を限定するものではなく、事前設定条件は実際の要件に応じて具体的に設定されてもよいことに留意されたい。たとえば、事前設定条件を満たす第1の信号は、第1のネットワークデバイスと第2のネットワークデバイスとの間であらかじめ合意された第1の空間リソース上で送信される第1の信号であってもよい。第1のネットワークデバイスが第1の信号を受信すると、第1の信号に対応する第1の空間リソースが、第2のネットワークデバイスと第1のネットワークデバイスとの間であらかじめ合意された第1の空間リソースである場合、第1の信号は事前設定条件を満たす第1の信号である。
【０１１３】
事前設定条件を満たす第1の信号を決定した後、第2のネットワークデバイスは、事前設定条件を満たす第1の信号に対応する第1の空間リソースの中で、少なくとも1つの第1の空間リソースを選択することができる。少なくとも1つの第1の空間リソースは、事前設定条件を満たす第1の信号に対応する第1の空間リソースのうちの少なくとも1つの第1の空間リソース、複数の第1の空間リソース、またはすべての第1の空間リソースを含んでもよい。たとえば、UE1は、事前設定条件を満たす第1の信号に対応するビーム2およびビーム9中のビーム2もしくはビーム9を選択し、選択されたビームを基地局に示すか、またはビーム2およびビーム9を選択し、2つのビームを基地局に示すことができ、UE2は、事前設定条件を満たす第1の信号に対応するビーム3およびビーム9中のビーム3もしくはビーム9を選択し、選択されたビームを基地局に示すか、またはビーム3およびビーム9を選択し、2つのビームを基地局に示すことができる。
【０１１４】
具体的には、第2のネットワークデバイスは、ステップ1042またはステップ1043を実行することにより、事前設定条件を満たす第1の信号に対応する第1の空間リソースの中で、少なくとも1つの第1の空間リソースを選択することができる。
【０１１５】
1042．第2のネットワークデバイスが、リソースセットに対応する優先順位に従って、事前設定条件を満たす第1の信号に対応する第1の空間リソースの中で、少なくとも1つの第1の空間リソースを選択し、選択された第1の空間リソースの識別情報を応答信号に付加する。
【０１１６】
このステップでは、第2のネットワークデバイスは、リソースセットに対応する優先順位に従って、かつ事前設定条件を満たす第1の信号に対応する第1の空間リソースの中で、比較的高い優先順位に対応するリソースセットに属する1つまたは複数の第1の空間リソースを選択し、選択された1つまたは複数の第1の空間リソースの識別情報を応答信号に付加して、選択された1つまたは複数の第1の空間リソースを第1のネットワークデバイスに示すことができる。
【０１１７】
リソースセットに対応する優先順位は、実際のケースに応じて設定されてもよい。たとえば、リソースセットの優先順位は、セット識別情報に従ってあらかじめソートされてもよい。たとえば、セット識別情報がPBCH搬送情報内で搬送されたセット識別文字であり、PBCH搬送情報内の15番目のビット0はリソースセット1に対応し、PBCH搬送情報内の15番目のビット1はリソースセット2に対応するとき、セット識別文字1に対応するリソースセット2の優先順位が、セット識別文字0に対応するリソースセット1の優先順位よりも高いと事前設定されてもよい。たとえば、しきい値がより小さいリソースセットはより高い優先順位に対応する。
【０１１８】
場合によっては、図8を参照すると、前述のステップ1042は、具体的に、以下のステップであってもよい。
【０１１９】
10420．第2のネットワークデバイスが、リソースセットに対応する優先順位に従って、かつ事前設定条件を満たす第1の信号に対応する第1の空間リソースの中で、優先順位が最も高いリソースセットに属する第1の空間リソースを選択する。
【０１２０】
しきい値がより小さいリソースセットがより高い優先順位に対応する場合、第2のネットワークデバイスは、リソースセットに対応する優先順位に従って、かつ事前設定条件を満たす第1の信号に対応する第1の空間リソースの中で、しきい値がより小さいリソースセットに属する第1の空間リソースを選択することができる。
【０１２１】
場合によっては、カバレージ幅がより大きい第1の空間リソースが属するリソースセットは、より小さいしきい値に対応する。一般に、アンテナの利得がより大きいとき、アンテナによって放射される一組のビーム内のビームのカバレージ幅はより小さく、空間カバレージ長はより大きく、信号強度を検出するために使用され、一組のビーム、たとえば、図4aに示されたビームセット1に対応するしきい値もより大きくなければならず、アンテナの利得がより小さいとき、アンテナによって放射される一組のビーム内のビームのカバレージ長はより小さく、カバレージ幅はより大きく、信号強度を検出するために使用され、一組のビーム、たとえば、図4aに示されたビームセット2に対応するしきい値もより小さくなければならない。
【０１２２】
前述のステップ10420において、第2のネットワークデバイスは、事前設定条件を満たす第1の信号の中で、カバレージ幅が最も大きい第1の空間リソースを選択することができる。カバレージ幅が最も大きい第1の空間リソースが属するリソースセットは、最小のしきい値に対応し、したがって、そのリソースセットの優先順位が最も高い。たとえば、UE1は、選択される第1の空間リソースとして、ビーム2およびビーム9の中でカバレージ幅がより大きいビーム9を選択することができるか、または、UE2は、選択される第1の空間リソースとして、ビーム2およびビーム9の中でカバレージ幅がより大きいビーム9を選択することができる。
【０１２３】
狭ビームカバレージシナリオは、第1のネットワークデバイスからより遠く離れた第2のネットワークデバイスのカバレージ要件を満たすことであり、第1のネットワークデバイスは、通常、第2のワイヤレスネットワークが比較的集中している場所に配置され、第1のネットワークデバイスからより遠く離れた第2のワイヤレスネットワーク（たとえば、セルエッジ）の割合は比較的小さく、したがって、一般に、カバレージ幅が比較的小さいがカバレージ長が比較的大きい狭ビームと比較して、カバレージ幅が比較的大きいがカバレージ長が比較的大きい広ビームは、比較的多数の第2のネットワークデバイスのカバレージ要件を満たす可能性がより高いことに留意されたい。
【０１２４】
カバレージ幅がより大きい第1の空間リソースが属するリソースセットは、より小さいしきい値に対応する。したがって、しきい値がより小さいリソースセットがより高い優先順位に対応するとき、かつ第1のネットワークデバイスが、事前設定条件を満たす第1の信号に属する第1の空間リソースの中で、優先順位が最も高いリソースセットに属する第1の空間リソースを選択するとき、第1のネットワークデバイスは、事前設定条件を満たす第1の信号に対応する第1の空間リソースの中で、カバレージ幅が最も大きい第1の空間リソースセットを選択することができる。加えて、第2のネットワークデバイスが第1のネットワークデバイスに近いとき、カバレージ幅が比較的大きい第1の空間リソースは、複数のUEのカバレージ要件を同時に満たすことができる。カバレージ要件は、第1の空間リソース上で送信され、UEによって受信された第1の信号の信号強度が、第1の空間リソースが属するリソースセットに対応するしきい値以上であることと理解されてもよい。したがって、応答信号は、第1のワイヤレスデバイスに対して比較的大きいカバレージ幅を有する第1の空間リソースを示すために使用され、その結果、第1のネットワークデバイスは、異なる第2のネットワークデバイスによって示された比較的大きいカバレージ幅を有する第1の空間リソースに従って、事前設定されたカバレージ要件を満たすことができる比較的少数の第2の空間リソースを決定することができ、それにより、第2のネットワークデバイスにサービスする第2の空間リソースの数が削減され、システムリソースのオーバーヘッドが低減される。
【０１２５】
1043．第2のネットワークデバイスが、第1の空間リソースに対応する優先順位に従って、事前設定条件を満たす第1の信号に対応する第1の空間リソースの中で、少なくとも1つの第1の空間リソースを選択し、選択された第1の空間リソースの識別情報を応答信号に付加する。
【０１２６】
このステップでは、第1の空間リソースに対応する優先順位は、実際のケースに応じて設定されてもよい。たとえば、リソース識別情報に従ってリソースセットに対して優先順位のソーティングが実行されてもよい。たとえば、第1の空間リソースに対応する事前設定された優先順位に関する情報は、ビーム9の優先順位がビーム2の優先順位よりも高く、ビーム9の優先順位がビーム3の優先順位より高いことを含む場合がある。事前設定条件を満たす第1の第1の信号がビーム2およびビーム9であると判断すると、UE1は、選択される第1の空間リソースとして優先順位がより高いビーム9を使用し、ビーム9を基地局に示すことができる。事前設定条件を満たす第1の信号に対応する第1の空間リソースがビーム3およびビーム9であると判断した後、UE2は、選択される第1の空間リソースとして優先順位がより高いビーム9を使用し、ビーム9を基地局に示すことができる。
【０１２７】
1044．第2のネットワークデバイスが、事前設定条件を満たすすべての第1の信号に対応する第1の空間リソースを選択し、選択された第1の空間リソースの識別情報を応答信号に付加する。
【０１２８】
ステップ1041において事前設定条件を満たす第1の信号を決定した後、第2のネットワークデバイスは、事前設定条件を満たすすべての第1の信号に対応する第1の空間リソースを選択し、選択された第1の空間リソースの識別情報を応答信号に付加して、選択された第1の空間リソースを第1のネットワークデバイスに示すことができる。
【０１２９】
たとえば、UE1が事前設定条件を満たす第1の信号に対応する第1の空間リソースがビーム2およびビーム9であると判断すると、UE1は、応答信号を使用してビーム2とビーム9の両方を基地局に示す。UE2が事前設定条件を満たす第1の信号に対応する第1の空間リソースがビーム3およびビーム9であると判断すると、UE2は、応答信号を使用してビーム3とビーム9の両方を基地局に示す。
【０１３０】
図9を参照すると、前述のステップ107において、第1のネットワークデバイスにより、応答信号に従ってk個の第2の空間リソース上で第2のネットワークデバイスに第2の信号を送信するステップは、以下のステップを含んでもよい。
【０１３１】
1071．第1のネットワークデバイスが、応答信号に従ってs個の第1の空間リソースを決定し、ここで、sは正の整数である。
【０１３２】
1072．第1のネットワークデバイスが、s個の第1の空間リソースに対応するk個の第2の空間リソースを決定し、k個の第2の空間リソース上で第2のネットワークデバイスに第2の信号を送信する。
【０１３３】
ステップ1072におけるs個の第1の空間リソースの各々は、それに対応する第2の空間リソースを有することができる。本明細書における第1の空間リソースと第2の空間リソースとの間の対応関係は、カバレージエリアがおおよそ同じであることを意味することができる。たとえば、beamの主ローブは均一なカバレージを有するか、またはカバレージエリアは高い相関性を有する。第1の空間リソースのビーム幅および対応する第2の空間リソースのビーム幅は、同じであっても異なっていてもよい。第1の空間リソースのビーム方向および対応する第2の空間リソースのビーム方向は、同じであっても異なっていてもよい。第1の空間リソースおよび第2の空間リソースは、同じ空間分割粒度または異なる空間分割粒度（小もしくは大）を使用してもよい。たとえば、8つの第1の空間リソースがあり、8つの第1の空間リソースは第2の空間リソースであるか、または8つの第1の空間リソースおよび4つの第2の空間リソースがあり、2つごとの第1の空間リソースは1つの第2の空間リソースに対応する。第1の空間リソースと第2の空間リソースとの間の具体的な対応関係は、実際の要件に応じて設定されてもよく、1対多の対応関係、多対1の対応関係、または多対多の対応関係であってもよい。このことは本明細書では限定されない。たとえば、対応する第2の空間リソースおよび第1の空間リソースは、同じビーム幅およびビーム方向を有し、または対応する第2の空間リソースおよび第1の空間リソースは、同じビーム幅を有するが、第2の空間リソースのビーム方向と第1の空間リソースのビーム方向との間に、あるしきい値以内の位相偏差が存在し、しきい値は、実際の要件、たとえば、10度もしくは20度に応じて定義されてもよく、または対応する第2の空間リソースおよび第1の空間リソースは、同じビーム方向を有するか、もしくはあるしきい値以内の位相偏差が存在し、第2の空間リソースのビーム幅は第1の空間リソースのビーム幅よりも大きいかもしくは小さい。1つの第2の空間リソースは、2つ以上の第1の空間リソースに対応してもよく、または1つの第1の空間リソースは、2つ以上の第2の空間リソースに対応する。前述の対応関係は、s個の第1の空間リソースとk個の第2の空間リソースとの間に存在するので、kとsは等しくても異なっていてもよい。
【０１３４】
第1の信号を送信するために第1のネットワークデバイスによって使用された第1の空間リソースが異なるリソースセットに属するとき、第2のネットワークデバイスによって送信された応答信号内で示された第1の空間リソースも異なるリソースセットに属してもよいことに留意されたい。異なるリソースセット内の第1の空間リソースの空間カバレージエリアは同じではないので、カバレージエリアが異なる第1の空間リソースは、異なる数の第2のネットワークデバイスのカバレージ要件を満たすことができる。したがって、第1のネットワークデバイスは、空間カバレージエリアが異なる第1の空間リソースの組合せを使用することにより、複数のリソースセット内の第1の空間リソースの中で、事前設定されたカバレージ要件を満たすことができるs個の第1の空間リソースを決定することであって、sが可能な限り小さい、決定することと、s個の第1の空間リソースに従って、s個の第1の空間リソースに対応するk個の第2の空間リソースを決定することであって、sおよびkが比較的小さい値である、決定することと、k個の第2の空間リソース上で第2の信号を送信することとを行うことができ、それにより、第2のネットワークデバイスにサービスする第2の空間リソースの数が削減され、システムリソースのオーバーヘッドが低減される。
【０１３５】
場合によっては、図10を参照すると、前述のステップ1071は、具体的に、以下のステップであってもよい。
【０１３６】
108．第1のネットワークデバイスが、応答信号によって示されたn個の第1の空間リソースの中で、第1の空間リソースが属するリソースセットに対応する優先順位に従って、s個の第1の空間リソースを決定する。
【０１３７】
第1のネットワークデバイスは、各第2のネットワークデバイスによって送信された応答信号を受信する。応答信号は、第2のネットワークデバイスによって選択されたn個の第1の空間リソースを示す。第1のネットワークデバイスは、リソースセットに対応する優先順位に従って、s個の第1の空間リソースを決定することができる。リソースセットに対応する優先順位の説明については、前述のステップ1042を参照されたい。場合によっては、カバレージ幅がより大きい第1の空間リソースが属するリソースセットは、より高い優先順位に対応する。
【０１３８】
図11を参照すると、ステップ108は、具体的に、以下のステップであってもよい。
【０１３９】
1080．第1のネットワークデバイスが、各応答信号によって示された第1の空間リソースの中で、優先順位が最も高いリソースセットに属する第1の空間リソースを決定し、s個の第1の空間リソースを形成するために、すべての応答信号によって示された第1の空間リソースの中で、優先順位が最も高いリソースセットに属する第1の空間リソースを使用する。
【０１４０】
s個の第1の空間リソースは、すべての応答信号によって示された第1の空間リソースの中で優先順位が最も高いリソースセットに属する第1の空間リソースである。したがって、s個の第1の空間リソースは、応答信号を送信するすべての第2のネットワークデバイスのカバレージ要件を満たすことができる。カバレージ幅が比較的大きい第1の空間リソースは、より多くの第2のネットワークデバイスのカバレージ要件を満たすことができるので、カバレージ幅がより大きい第1の空間リソースが属するリソースセットはより高い優先順位を有し、その結果、第1のネットワークデバイスによってより少ない第1の空間リソースが決定され、すなわち、第1の空間リソース数sはより小さい。加えて、すべての第1の空間リソースに対応する第2の空間リソースは、おおよそ同じカバレージエリアを有し、したがって数sが比較的小さいとき、第2の空間リソース数kも比較的小さくてもよく、それにより、第2のネットワークデバイスにサービスする第2の空間リソースの数が削減され、システムリソースのオーバーヘッドが低減される。
【０１４１】
たとえば、図4aに示されたシナリオが一例として使用される。UE1によって送信された応答信号によって示された第1の空間リソースがビーム2およびビーム9を含み、UE2によって送信された応答信号によって示された第1の空間リソースがビーム3およびビーム9を含む場合、基地局は、各応答信号によって示された第1の空間リソースの中で、優先順位が最も高いリソースセットに属する第1の空間リソースを決定する。
【０１４２】
カバレージ幅がより大きい第1の空間リソースが属するリソースセットがより高い優先順位に対応する場合、基地局は、UE1によって送信された応答信号によって示された第1の空間リソースの中で、カバレージ幅が最も大きいビーム9を優先順位が最も高いリソースセットに属する第1の空間リソースとして決定することができ、基地局は、UE2によって送信された応答信号によって示された第1の空間リソースの中で、カバレージ幅が最も大きいビーム9を優先順位が最も高いリソースセットに属する第1の空間リソースとして決定することができる。したがって、形成されたs個の第1の空間リソースはビーム9であり、sは1である。基地局は、ビーム9（s個の第1の空間リソース）に従って、ビーム9に対応する第2の空間リソースが、ビーム9とおおよそ同じカバレージエリアを有するビーム9’であると判断することができる。詳細については、図12に示された概略ビームカバレージ図を参照されたい。基地局は、1つのビーム9’を使用することにより第2の信号を送信して、UE1およびUE2に同時にサービスする。基地局が、ビーム2とおおよそ同じカバレージエリアを有するビーム2’を使用することにより、かつビーム3とおおよそ同じカバレージエリアを有するビーム3’を使用することにより第2の信号を送信することと比較して、または基地局が、図2に示されたビーム0〜ビーム7を使用することにより、（本発明のこの実施形態における第1の信号および第2の信号を含む）ワイヤレス信号を送信することと比較して、ビーム9’を使用することにより第2の信号を送信することは、UEにサービスするビームの数を削減することができ、それにより、システムリソースのオーバーヘッドが低減される。
【０１４３】
たとえば、図4aに示されたシナリオが一例としてまだ使用される。UE1によって送信された応答信号によって示された第1の空間リソースが比較的広いカバレージエリアを有するビーム9のみを含み、UE2によって送信された応答信号によって示された第1の空間リソースが比較的広いカバレージエリアを有するビーム9のみを含む場合、すべての応答信号によって示された第1の空間リソースは、比較的広いカバレージエリアを有するビーム9のみを含み、すべての応答信号に従って基地局によって決定されたs個の第1の空間リソースは、ビーム9である必要がある。この場合、基地局は、ビーム9（s個の第1の空間リソース）に従って、ビーム9に対応する第2の空間リソースが、ビーム9とおおよそ同じカバレージエリアを有するビーム9’であると判断することができる。
【０１４４】
別の例を挙げると、図4aに示されたシナリオが一例としてまだ使用される。UE1によって送信された応答信号によって示された第1の空間リソースがビーム2およびビーム9を含む場合、基地局は、UE1によって送信された応答信号によって示された第1の空間リソースの中で、カバレージ幅が最も大きいビーム9を優先順位が最も高いリソースセットに属する第1の空間リソースとして決定することができ、基地局は、UE2によって送信された応答信号によって示された第1の空間リソースの中で、カバレージ幅が最も大きいビーム9を優先順位が最も高いリソースセットに属する第1の空間リソースとして決定することができる。したがって、形成されたs個の第1の空間リソースはビーム9である。それに応じて、基地局は、ビーム9（s個の第1の空間リソース）に従って、ビーム9に対応する第2の空間リソースが、ビーム9とおおよそ同じカバレージエリアを有するビーム9’であると判断することができる。
【０１４５】
場合によっては、図13を参照すると、前述のステップ1071は、具体的に、以下のステップであってもよい。
【０１４６】
109．第1のネットワークデバイスが、応答信号によって示されたn個の第1の空間リソースの中で、第1の空間リソースに対応する優先順位に従って、s個の第1の空間リソースを決定する。
【０１４７】
第1のネットワークデバイスは、各第2のネットワークデバイスによって送信された応答信号を受信する。応答信号は、第2のネットワークデバイスによって選択されたn個の第1の空間リソースを示す。第1のネットワークデバイスは、第1の空間リソースに対応する優先順位に従って、s個の第1の空間リソースを決定することができる。第1の空間リソースに対応する優先順位の説明については、前述のステップ1043を参照されたい。加えて、応答信号を使用して第1の空間リソースを示す多数の第2のネットワークデバイスが存在する場合、第1の空間リソースは高い優先順位を有する。
【０１４８】
図14を参照すると、ステップ109は、具体的に、以下のステップであってもよい。
【０１４９】
1090．第1のネットワークデバイスが、好ましくは、選択されたs個の第1の空間リソースが事前設定条件を満たすまで、応答信号によって示されたn個の第1の空間リソースの中で、優先順位がより高い第1の空間リソースを選択する。
【０１５０】
本明細書における事前設定条件は、要件に応じて設定されてもよく、事前設定条件は、事前設定されたカバレージ要件であってもよい。場合によっては、事前設定条件は、すべての第2のネットワークデバイスのカバレージ要件が満たされることであるか、または事前設定条件は、第2のネットワークデバイスの95％のカバレージ要件が満たされることなどである。本明細書におけるすべての第2のネットワークデバイスは、第1の空間リソースによってカバーされるセル1内のすべての第2のネットワークデバイスである。
【０１５１】
第1の空間リソースを示すより多数の対応する応答信号は、示された第1の空間リソースが、より多くの第2のネットワークデバイスのカバレージ要件を満たすことができることを示す。したがって、比較的少数の第1の空間リソースは、第2のネットワークデバイスのすべてまたは一部のカバレージ要件を満たすことができる。すなわち、数sは比較的小さくてもよい。このようにして、第1の空間リソース数sに対応する第2の空間リソース数kも比較的小さくてもよく、それにより、第2のネットワークデバイスにサービスする第2の空間リソースの数が削減され、システムリソースオーバーヘッドが低減される。
【０１５２】
たとえば、図4aに示されたシナリオが一例として使用される。UE1によって送信された応答信号によって示された第1の空間リソースがビーム2およびビーム9を含み、UE2によって送信された応答信号によって示された第1の空間リソースがビーム3およびビーム9を含む場合、応答信号を使用してビーム2を示すUEの数は1であり、応答信号を使用してビーム3を示すUEの数は1であり、応答信号を使用してビーム9を示すUEの数は2である。したがって、ビーム9は最も高い優先順位に対応する。加えて、ビーム9は、UE1のカバレージ要件だけでなく、UE2のカバレージ要件も満たすことができるので、ビーム9は決定された第1の空間リソースである。この場合、基地局は、ビーム9とおおよそ同じカバレージエリアを有し、ビーム9（s個の第1の空間リソース）に対応するビーム9’がk個の第2の空間リソースであると判断し、したがって、ビーム9’上の第2の信号を送信して、UE1およびUE2に同時にサービスすることができる。
【０１５３】
前述のプロセスから、m個の第1の空間リソースが図2に示されたリソースセット1内のビーム0からビーム7のみを含む場合、第2の空間リソースに対応する第1の空間リソースが、ビーム0からビーム7の中で決定され得ることが分かる。この場合、第2の信号は、第1の空間リソースビーム2に対応する第2の空間リソースビーム2’を使用してUE1に送信されてもよく、第2の信号は、第1の空間リソースビーム3に対応する第2の空間リソースビーム3’を使用してUE2に送信されてもよい。詳細については、図15に示された概略ビームカバレージ図を参照されたい。
【０１５４】
m個の第1の空間リソースが複数のリソースセット、たとえば図4aに示されたリソースセット1およびリソースセット2を含む場合、第2の空間リソースに対応する第1の空間リソースは、ビーム0からビーム11の中で決定されてもよい。この場合、第2の信号は、第1の空間リソースビーム9に対応する第2の空間リソースビーム9’を使用してUE1およびUE2に同時に送信されてもよく、それにより、UEにサービスする第2の空間リソースの数が削減され、システムリソースのオーバーヘッドが低減される。
【０１５５】
加えて、本発明のこの実施形態において提供された前述のワイヤレス通信方法の理解を容易にするために、以下で、例を使用して前述のワイヤレス通信方法の具体的な適用シナリオを簡単に説明する。
【０１５６】
たとえば、アクセスシナリオでは、第1のネットワークデバイスは、第1の信号内で、前述のワイヤレス通信方法を使用することにより、比較的少量の情報を有する同期信号を送信することができ、その結果、第1の信号を受信する第2のネットワークデバイスは、第1のネットワークデバイスと同期されてもよい。第1のネットワークデバイスは、前述のワイヤレス通信方法に従って、事前設定されたカバレージ要件を満たすことができる比較的少数の第2の空間リソースを決定し、第2の空間リソース上で第2の信号を送信する。第2の信号は、比較的大量の情報を含み、アクセスに必要な別の信号を含む。すべての第1の空間リソースを使用することにより、アクセスに必要な各信号が送信される従来技術と比較して、前述のワイヤレス通信方法は、第2のネットワークデバイスがワイヤレスネットワークにアクセスするときに、システムリソースのオーバーヘッドを低減することができる。
【０１５７】
たとえば、CSI−RSを構成するとき、第1のネットワークデバイスは、前述のワイヤレス通信方法を使用することにより、事前設定されたカバレージ要件を満たすことができる比較的少数の第2の空間リソースを決定し、各第2の空間リソース上にCSI−RSを構成することができる。しかしながら、従来技術では、CSI−RSは、各第1の空間リソース上にのみ構成されてもよい。したがって、従来技術と比較して、前述のワイヤレス通信方法を使用してCSI−RSを構成すると、システムリソースのオーバーヘッドが低減され得る。
【０１５８】
本発明の前述の実施形態は、ワイヤレス通信方法を提供する。第1のネットワークデバイスは、異なるリソースセット内の第1の空間リソースを使用してm個の第1の信号を送信し、各第1の信号は対応する識別情報を含み、対応する識別情報は第1の信号に対応する第1の空間リソースを示すために使用され、第1の空間リソースが属するリソースセットを示すためにさらに使用される。第2のネットワークデバイスは、少なくとも1つの受信された第1の信号、第1の信号に対応する第1の空間リソース、および各第1の空間リソースが属するリソースセットに従って、少なくとも1つの第1の空間リソースを選択し、応答信号を使用して第1のネットワークデバイスに選択された第1の空間リソースを示す。第1のネットワークデバイスは、応答信号に従って、既存の第2のネットワークデバイス、および第2のワイヤレスネットワークと第1の空間リソースとの間の対応関係を知り、したがって、事前設定されたカバレージ要件を満たすことができるk個の第2の空間リソースを決定し、k個の第2の空間リソース上で第2の信号を送信し、kは比較的小さい値である、それにより、k個の第2の空間リソースを使用して第2のネットワークデバイスがサービスされる。したがって、第2の信号はより効率的に送信することができ、それにより、第2の空間リソースが節約され、無効な第2の空間リソース上で第2の信号を送信するために必要なシステムリソースのオーバーヘッドが節約される。
【０１５９】
第1の信号を送信するために第1のネットワークデバイスによって使用された第1の空間リソースが異なるリソースセットに属するとき、第2のネットワークデバイスによって送信された応答信号内で示された第1の空間リソースも異なるリソースセットに属してもよい。異なるリソースセット内の第1の空間リソースの空間カバレージエリアは同じではないので、カバレージエリアが異なる第1の空間リソースは、異なる数の第2のネットワークデバイスのカバレージ要件を満たすことができる。したがって、第1のネットワークデバイスは、第2のネットワークデバイスと送信された応答信号内で示された第1の空間リソースとの間の対応関係に従って、かつ異なるリソースセットに属する第1の空間リソースのカバレージエリアに応じて、事前設定されたカバレージ要件を満たすことができる比較的少数の第2の空間リソースを決定し、決定された第2の空間リソースを使用して第2の信号を送信することができ、それにより、第2のネットワークデバイスにサービスする第2の空間リソースの数が削減され、システムリソースのオーバーヘッドが低減される。
【０１６０】
加えて、第2のネットワークデバイスにサービスする空間リソースの数が減少すると、第2のネットワークデバイスにサービスする時間リソース、周波数リソース、およびコードリソースがそれに応じて減少し、それにより、システムリソースのオーバーヘッドがさらに低減される。
【０１６１】
本発明の前述の実施形態において提供された方法によれば、本発明の一実施形態は、図16に示されたようなネットワークデバイス100をさらに提供する。ネットワークデバイス100は、前述の方法実施形態における第1のネットワークデバイスに対応し、プロセッサ110と、メモリ120と、システムバス130と、受信機140と、送信機150とを含んでもよい。メモリ120は命令を記憶するように構成される。プロセッサ110は、前述のワイヤレス通信方法におけるステップを実行するために、メモリ120に記憶された命令を実行して、信号を受信するように受信機140を制御し、信号を送信するように送信機150を制御するように構成される。受信機140および送信機150は、同じ物理エンティティまたは異なる物理エンティティであってもよい。同じ物理エンティティであるとき、受信機140および送信機150はトランシーバと総称される場合がある。
【０１６２】
一実装形態では、受信機140および送信機150の機能は、トランシーバ回路または専用トランシーバチップを使用することによって実現されてもよい。プロセッサ110は、専用処理チップ、処理回路、プロセッサ、または汎用チップを使用することによって実装されてもよい。
【０１６３】
前述のワイヤレス通信方法におけるステップは、少なくとも、
m個の第1の信号、各第1の信号に対応する第1の空間リソース、および各第1の空間リソースが属するリソースセットを決定するステップであって、mが正の整数である、ステップと、
各対応する第1の空間リソース上で第1の信号を送信するステップであって、各第1の信号が対応する識別情報を含み、対応する識別情報が、第1の信号に対応する第1の空間リソースを示すために使用され、対応する識別情報が、第1の空間リソースが属するリソースセットを示すためにさらに使用される、ステップと、
第2のネットワークデバイスによって送信された応答信号を受信するステップであって、応答信号がn個の第1の空間リソースを示すために使用され、nが正の整数である、ステップと、
応答信号に従ってk個の第2の空間リソース上で第2のネットワークデバイスに第2の信号を送信するステップであって、kが正の整数である、ステップと
を含んでもよい。
【０１６４】
対応する識別情報は、第1の空間リソースが属するリソースセットを示すために使用されるセット識別情報を含み、セット識別情報は、
第1の信号に含まれるセット識別文字、
第1の信号に含まれるシーケンスのタイプ、
第1の信号内の情報用に付加されたスクランブリングコードのタイプ、
第1の信号内の情報用に付加されたマスクのタイプ、または
第1の信号内の情報の巡回冗長検査コードCRCの計算方式
である。
【０１６５】
場合によっては、応答信号に従ってk個の第2の空間リソース上で第2のネットワークデバイスに第2の信号を送信するステップは、
応答信号に従ってs個の第1の空間リソースを決定するステップであって、sが正の整数である、ステップと、
s個の第1の空間リソースに対応するk個の第2の空間リソースを決定し、k個の第2の空間リソース上で第2のネットワークデバイスに第2の信号を送信するステップと
を含む。
【０１６６】
場合によっては、応答信号に従ってs個の第1の空間リソースを決定するステップは、
応答信号によって示されたn個の第1の空間リソースの中で、第1の空間リソースが属するリソースセットに対応する優先順位に従って、s個の第1の空間リソースを決定するステップ
を含む。
【０１６７】
具体的には、応答信号によって示されたn個の第1の空間リソースの中で、第1の空間リソースが属するリソースセットに対応する優先順位に従って、s個の第1の空間リソースを決定するステップは、
各応答信号によって示された第1の空間リソースの中で、優先順位が最も高いリソースセットに属する第1の空間リソースを決定するステップと、
s個の第1の空間リソースを形成するために、応答信号によって示された第1の空間リソースの中で、優先順位が最も高いリソースセットに属する第1の空間リソースを使用するステップと
を含む。
【０１６８】
カバレージ幅がより大きい第1の空間リソースが属するリソースセットは、より高い優先順位に対応する。
【０１６９】
場合によっては、応答信号に従ってs個の第1の空間リソースを決定するステップは、
応答信号によって示されたn個の第1の空間リソースの中で、第1の空間リソースに対応する優先順位に従って、s個の第1の空間リソースを決定するステップ
を含む。
【０１７０】
具体的には、応答信号によって示されたn個の第1の空間リソースの中で、第1の空間リソースに対応する優先順位に従って、s個の第1の空間リソースを決定するステップは、
好ましくは、選択されたs個の第1の空間リソースが事前設定条件を満たすまで、応答信号によって示されたn個の第1の空間リソースの中で優先順位がより高い第1の空間リソースを選択するステップ
を含む。
【０１７１】
事前設定条件は、すべての第2のネットワークデバイスのカバレージ要件が満たされることである。
【０１７２】
加えて、応答信号を使用して第1の空間リソースを示す多数の第2のネットワークデバイスが存在する場合、第1の空間リソースは高い優先順位を有する。
【０１７３】
第1のネットワークデバイスに関して本発明のこの実施形態において提供された技術的解決策に関連する概念、説明、詳細説明、および他のステップについては、前述の方法または別の実施形態における内容の説明を参照されたい。詳細は本明細書では記載されない。
【０１７４】
本発明の前述の実施形態において提供された方法によれば、図17を参照すると、本発明の一実施形態はネットワークデバイス200をさらに提供する。ネットワークデバイス200は、前述の方法実施形態における第2のネットワークデバイスに対応し、プロセッサ210と、メモリ220と、システムバス230と、受信機240と、送信機250とを含んでもよい。プロセッサ210、メモリ220、受信機240、および送信機250は、システムバス230を使用して接続される。メモリ220は命令を記憶するように構成される。プロセッサ210は、前述のワイヤレス通信方法におけるステップを実行するために、メモリ220に記憶された命令を実行して、信号を受信するように受信機240を制御し、信号を送信するように送信機250を制御するように構成される。受信機240および送信機250は、同じ物理エンティティまたは異なる物理エンティティであってもよい。同じ物理エンティティであるとき、受信機240および送信機250はトランシーバと総称される場合がある。
【０１７５】
一実装形態では、受信機140および送信機150の機能は、トランシーバ回路または専用トランシーバチップを使用することによって実現されてもよい。プロセッサ110は、専用処理チップ、処理回路、プロセッサ、または汎用チップを使用することによって実装されてもよい。
【０１７６】
前述のワイヤレス通信方法におけるステップは、少なくとも、
少なくとも1つの第1の信号を受信するステップであって、各第1の信号が対応する識別情報を含み、対応する識別情報が、第1の信号に対応する第1の空間リソースを示すために使用され、対応する識別情報が、第1の空間リソースが属するリソースセットを示すためにさらに使用される、ステップと、
少なくとも1つの第1の信号、第1の信号に対応する第1の空間リソース、および各第1の空間リソースが属するリソースセットに従って応答信号を決定するステップであって、応答信号が少なくとも1つの選択された第1の空間リソースを示すために使用される、ステップと、
第1のネットワークデバイスに応答信号を送信するステップと
を含んでもよい。
【０１７７】
場合によっては、少なくとも1つの第1の信号、第1の信号に対応する第1の空間リソース、および各第1の空間リソースが属するリソースセットに従って応答信号を決定するステップであって、応答信号が少なくとも1つの選択された第1の空間リソースを示すために使用される、ステップは、
少なくとも1つの第1の信号の中で、事前設定条件を満たす第1の信号を決定するステップと、
リソースセットに対応する優先順位に従って、事前設定条件を満たす第1の信号に対応する第1の空間リソースの中で少なくとも1つの第1の空間リソースを選択し、選択された第1の空間リソースの識別情報を応答信号に付加するステップ、または
第1の空間リソースに対応する優先順位に従って、事前設定条件を満たす第1の信号に対応する第1の空間リソースの中で少なくとも1つの第1の空間リソースを選択し、選択された第1の空間リソースの識別情報を応答信号に付加するステップと
を含む。
【０１７８】
場合によっては、リソースセットに対応する優先順位に従って、事前設定条件を満たす第1の信号に対応する第1の空間リソースの中で少なくとも1つの第1の空間リソースを選択するステップは、
リソースセットに対応する優先順位に従って、かつ事前設定条件を満たす第1の信号に対応する第1の空間リソースの中で、優先順位が最も高いリソースセットに属する第1の空間リソースを選択するステップ
を含む。
【０１７９】
場合によっては、事前設定条件を満たす第1の信号を決定するステップは、
対応するしきい値以上の信号強度を有する第1の信号を決定するステップであって、対応するしきい値は、第1の信号に対応する第1の空間リソースが属するリソースセットに対応するしきい値である、ステップ
を含む。
【０１８０】
しきい値がより小さいリソースセットはより高い優先順位に対応する。
【０１８１】
加えて、カバレージ幅がより大きい第1の空間リソースが属するリソースセットは、より小さいしきい値に対応する。
【０１８２】
場合によっては、少なくとも1つの第1の信号、第1の信号に対応する第1の空間リソース、および各第1の空間リソースが属するリソースセットに従って応答信号を決定するステップであって、応答信号が少なくとも1つの選択された第1の空間リソースを示すために使用される、ステップは、
少なくとも1つの第1の信号の中で、事前設定条件を満たす第1の信号を決定するステップと、
事前設定条件を満たすすべての第1の信号に対応する第1の空間リソースを選択し、選択された第1の空間リソースの識別情報を応答信号に付加するステップと
を含む。
【０１８３】
第2のネットワークデバイスに関して本発明のこの実施形態において提供された技術的解決策に関連する概念、説明、詳細説明、および他のステップについては、前述の方法または別の実施形態における内容の説明を参照されたい。詳細は本明細書では記載されない。
【０１８４】
本発明のこの実施形態では、プロセッサ110もしくは210は中央処理装置（Central Processing Unit、略して「CPU」）であってもよいか、またはプロセッサは、別の汎用プロセッサ、デジタル信号プロセッサ（DSP）、特定用途向け集積回路（ASIC）、フィールドプログラマブルゲートアレイ（FPGA）もしくは別のプログラマブル論理デバイス、個別ゲートもしくはトランジスタ論理デバイス、個別ハードウェアアセンブリなどであってもよいことを理解されたい。汎用プロセッサはマクロプロセッサであってもよいか、またはプロセッサは任意の従来のプロセッサなどであってもよい。
【０１８５】
メモリ120または220は、読取り専用メモリおよびランダムアクセスメモリを含み、プロセッサに命令およびデータを供給することができる。メモリの一部は、不揮発性ランダムアクセスメモリをさらに含んでもよい。たとえば、メモリは、デバイスタイプ情報をさらに記憶することができる。
【０１８６】
システムバス130または230は、データバスだけでなく、電源バス、制御バス、ステータス信号バスなども含んでよい。しかしながら、説明を明確にするために、図において、様々なバスはバスシステムによって表記されている。
【０１８７】
一実装プロセスでは、前述の方法のステップは、プロセッサ110または210内のハードウェアの集積論理回路により、またはソフトウェアの形態の命令を使用することによって実施されてもよい。本発明の実施形態を参照して開示された方法のステップは、ハードウェアプロセッサによって直接実装されてもよいし、ハードウェアとプロセッサ内のソフトウェアモジュールの組合せによって実行されてもよい。ソフトウェアモジュールは、ランダムアクセスメモリ、フラッシュメモリ、読取り専用メモリ、プログラマブル読取り専用メモリもしくは電気的消去可能プログラマブルメモリ、またはレジスタなどの、当技術分野で成熟した記憶媒体内に配置されてもよい。記憶媒体はメモリ内に配置され、プロセッサはメモリ内の情報を読み取り、プロセッサのハードウェアと組み合わせて前述の方法内のステップを完了する。繰返しを避けるために、本明細書では詳細は記載されない。
【０１８８】
前述の実施形態において提供された方法およびネットワークデバイスによれば、図18を参照すると、本発明の一実施形態はワイヤレス通信システム300をさらに提供する。ワイヤレス通信システム300は、図16に示された第1のネットワークデバイスと、図17に示された第2のネットワークデバイスとを含んでもよい。第1のネットワークデバイスおよび第2のネットワークデバイスは、前述の方法実施形態におけるステップを実行するように構成される。
【０１８９】
便利で簡潔な説明のために、前述の装置の詳細な動作プロセスについては、前述の方法実施形態内の対応するプロセスに対して参照が行われてもよく、本明細書では詳細は記載されないことは、当業者によって明確に理解されよう。
【０１９０】
本出願において提供されたいくつかの実施形態では、開示されたデバイス、方法、およびシステムは他の方式で実装されてもよいことを理解されたい。たとえば、記載された装置実施形態は例にすぎない。たとえば、ユニット分割は論理的な機能分割にすぎず、実際の実装形態では他の分割であってもよい。たとえば、複数のユニットまたは構成要素は組み合わされるか、もしくは別のシステムに統合されてもよく、または、いくつかの特徴は無視されるか、もしくは実行されなくてもよい加えて、表示または説明された相互結合または直接結合または通信接続は、いくつかのインタフェースを使用して実装されてもよい。装置間またはユニット間の間接結合または通信接続は、電気、機械、または他の形態で実装されてもよい。別々の部分として記載されたユニットは、物理的に分かれていても、分かれていなくてもよく、ユニットとして表示された部分は、物理ユニットであってもそうでなくてもよく、1つの場所に配置されてもよく、複数のネットワークユニット上に分散されてもよい。ユニットの一部またはすべては、本発明の実施形態の解決策の目的を達成するために、実際の必要に応じて選択されてもよい。加えて、本発明の実施形態における機能ユニットは1つの処理ユニットに統合されてもよく、またはユニットの各々は物理的に単独で存在してもよく、または2つ以上のユニットは1つのユニットに統合されてもよい。統合ユニットは、ハードウェアの形態で実装されてもよく、またはソフトウェア機能ユニットに加えてハードウェアの形態で実装されてもよい。
【０１９１】
前述の統合ユニットがソフトウェア機能ユニットの形態で実装されるとき、統合ユニットはコンピュータ可読記憶媒体に記憶されてもよい。ソフトウェア機能ユニットは、記憶媒体に記憶され、本発明の実施形態に記載された方法のステップの一部を実行するように、（パーソナルコンピュータ、サーバ、またはネットワークデバイスであってもよい）コンピュータデバイスに命令するためのいくつかの命令を含む。前述の記憶媒体には、USBフラッシュドライブ、リムーバブルハードディスク、読取り専用メモリ（Read−Only Memory、略してROM）、ランダムアクセスメモリ（Random Access Memory、略してRAM）、磁気ディスク、または光ディスクなどの、プログラムコードを記憶することができる任意の媒体が含まれる。
【０１９２】
装置、システム、またはデバイスのいくつかの具体的な機能については、前述の方法実施形態における説明を参照されたい。
【０１９３】
最後に、前述の実施形態は本発明の技術的解決策を記載するためのものにすぎず、本発明を限定するためのものではないことに留意されたい。前述の実施形態を参照して本発明が詳細に記載されたが、当業者は、本発明の実施形態の技術的解決策の趣旨および範囲から逸脱することなく、前述の実施形態に記載された技術的解決策に修正をさらに行うか、またはそれらのいくつかの技術的特徴に均等な置換を行うことができることを理解するべきである。
【符号の説明】
【０１９４】
100  ネットワークデバイス
110  プロセッサ
120  メモリ
130  システムバス
140  受信機
150  送信機
200  ネットワークデバイス
210  プロセッサ
220  メモリ
230  システムバス
240  受信機
250  送信機
300  ワイヤレス通信システム
【図１】
2019500815.tif 000003
【図２】
2019500815.tif 000004
【図３】
2019500815.tif 000005
【図４ａ】
2019500815.tif 000006
【図４ｂ】
2019500815.tif 000007
【図５】
2019500815.tif 000008
【図６】
2019500815.tif 000009
【図７】
2019500815.tif 000010
【図８】
2019500815.tif 000011
【図９】
2019500815.tif 000012
【図１０】
2019500815.tif 000013
【図１１】
2019500815.tif 000014
【図１２】
2019500815.tif 000015
【図１３】
2019500815.tif 000016
【図１４】
2019500815.tif 000017
【図１５】
2019500815.tif 000018
【図１６】
2019500815.tif 000019
【図１７】
2019500815.tif 000020
【図１８】
2019500815.tif 000021
【手続補正書】
【提出日】平成30年8月14日(2018.8.14)
【手続補正１】
【補正対象書類名】明細書
【補正対象項目名】全文
【補正方法】変更
【補正の内容】
【発明の詳細な説明】
【技術分野】
【０００１】
本発明は、通信技術の分野に関し、詳細には、ワイヤレス通信の方法およびシステム、ならびにデバイスに関する。
【背景技術】
【０００２】
高周波数シナリオでは、経路損失の増加に起因して、非常に高いアンテナ利得を形成して経路損失を補償するために、大規模な多入力多出力（Massive MIMO）ビームフォーミング（Beam Forming）技術が使用される必要がある。多くのMassive MIMOアンテナ、さらに数百のアンテナさえも存在する。大きいアンテナ利得が形成されると、形成されたビームはより大きい空間カバレージ長を有するが、空間カバレージ幅はより小さくなる。たとえば、図1では、形成されたビームはユーザ機器（User Equipment、UE）1のみをカバーすることができ、UE2はビームによってカバーすることができない。したがって、1つのビームは、セル内のすべてのユーザ機器をカバーすることができない。セル内のすべてのユーザ機器をカバーし、事前設定されたカバレージ要件を満たすために、複数の狭ビームが、セルをカバーしてセル内のすべてのユーザ機器の通信要件を満たすために使用される必要がある。
【０００３】
狭ビームによってカバーされるユーザ機器のサービス要件を満たすために、従来技術では、通常、各狭ビームを使用することにより、ワイヤレス信号がユーザ機器に送信され、それにより、システムリソースのオーバーヘッドが増加する。たとえば、図2に示されたセル1の狭ビームのカバレージ状況を参照されたい。現在、セル1には、2つのユーザ機器UE1およびUE2しか存在しない。UE1およびUE2がワイヤレスネットワークにアクセスするとき、図2に示されたビーム0からビーム7の各狭ビームを使用することにより、同期情報およびシステム情報などのアクセス信号が送信される必要がある。ビーム7はUE1またはUE2をカバーしておらず、ビーム7によって送信されたアクセス信号は、ワイヤレスネットワークにアクセスするためにユーザ機器によって使用されないことが図2から分かる。しかしながら、ビーム7を使用してアクセス信号を送信するためにシステムリソースも占有され、それにより、システムリソースのオーバーヘッドが増加する。
【発明の概要】
【０００４】
本発明の実施形態は、狭ビームカバレージシナリオにおいてワイヤレス信号を送信してユーザ機器にサービスするために各ビームが使用される従来技術において引き起こされるシステムオーバーヘッドが大きい問題を解決するために、通信方法、デバイス、およびシステムを提供する。
【０００５】
前述の目的を達成するために、本発明の実施形態は以下の技術的解決策を使用する。
【課題を解決するための手段】
【０００６】
第1の態様によれば、ワイヤレス通信方法が提供される。第1のネットワークデバイスは、異なるリソースセット内の第1の空間リソースを使用してm個の第1の信号を送信し、各第1の信号は対応する識別情報を含み、対応する識別情報は第1の信号に対応する第1の空間リソースを示すために使用され、第1の空間リソースが属するリソースセットを示すためにさらに使用される。第2のネットワークデバイスは、少なくとも1つの受信された第1の信号、第1の信号に対応する第1の空間リソース、および各第1の空間リソースが属するリソースセットに従って、少なくとも1つの第1の空間リソースを選択し、応答信号を使用して第1のネットワークデバイスに選択された第1の空間リソースを示す。第1のネットワークデバイスは、応答信号に従って、既存の第2のネットワークデバイス、および第2のワイヤレスネットワークと示された第1の空間リソースとの間の対応関係を知り、したがって、事前設定されたカバレージ要件を満たすことができるk個の第2の空間リソースを決定し、k個の第2の空間リソース上で第2の信号を送信し、kは比較的小さい値である。
【０００７】
したがって、第2の信号はより効率的に送信することができ、それにより、第2の空間リソースが節約され、無効な第2の空間リソース上で第2の信号を送信するために必要なシステムリソースのオーバーヘッドが節約される。加えて、第2の信号がk個の第2の空間リソース以外の無効な第2の空間リソース上で送信されるときの干渉がさらに回避されてもよい。
【０００８】
第1の態様を参照して、第1の態様の第1の可能な実装形態では、m個の第1の信号に対応し、第1のネットワークデバイスによって決定されたm個の第1の空間リソースは、異なるリソースセットに属する。
【０００９】
第1の信号を送信するために第1のネットワークデバイスによって使用された第1の空間リソースが異なるリソースセットに属するとき、第2のネットワークデバイスによって送信された応答信号内で示された第1の空間リソースも異なるリソースセットに属してもよい。異なるリソースセット内の第1の空間リソースの空間カバレージエリアは同じではないので、カバレージエリアが異なる第1の空間リソースは、異なる数の第2のネットワークデバイスのカバレージ要件を満たすことができる。したがって、第1のネットワークデバイスは、第2のネットワークデバイスと送信された応答信号内で示された第1の空間リソースとの間の対応関係に従って、かつ異なるリソースセットに属する第1の空間リソースのカバレージエリアに応じて、事前設定されたカバレージ要件を満たすことができる比較的少数の第2の空間リソースの組合せを決定し、決定された第2の空間リソースを使用して第2の信号を送信することができ、それにより、第2のネットワークデバイスにサービスする第2の空間リソースの数が削減され、システムリソースのオーバーヘッドが低減される。
【００１０】
第1の態様の第1の可能な実装形態を参照して、第1の態様の第2の可能な実装形態では、m個の第1の空間リソース内にあり、同じリソースセットに属する第1の空間リソースは、1つのエリアのカバレージに対応し、そのエリアは同じセル内にある。
【００１１】
したがって、同じセル内の第2のネットワークデバイスは、タイムリーに同期されてもよい。
【００１２】
第1の態様から第1の態様の第2の可能な実装形態のいずれか1つを参照して、第1の態様の第3の可能な実装形態では、第1の信号に含まれる情報量は第2の信号に含まれる情報量よりも少ない。
【００１３】
比較的大量の情報を含む第2の信号は、比較的少数の第2の空間リソースを使用して送信されるが、比較的少量の情報を含む第1の信号は、比較的多数の第1の空間リソースを使用して送信される。これにより、第1のネットワークデバイスの電力オーバーヘッドおよびエネルギーオーバーヘッドが低減されてもよく、それにより、システムリソースのオーバーヘッドが低減される。
【００１４】
第1の態様から第1の態様の第3の可能な実装形態のいずれか1つを参照して、第1の態様の第4の可能な実装形態では、対応する識別情報は、第1の空間リソースが属するリソースセットを示すために使用されるセット識別情報を含み、セット識別情報は、
第1の信号に含まれるセット識別文字、
第1の信号に含まれるシーケンスのタイプ、
第1の信号内の情報用に付加されたスクランブリングコードのタイプ、
第1の信号内の情報用に付加されたマスクのタイプ、または
第1の信号内の情報の巡回冗長検査コードCRCの計算方式
である。
【００１５】
第1の態様から第1の態様の第4の可能な実装形態のいずれか1つを参照して、第1の態様の第5の可能な実装形態では、第2のネットワークデバイスは、少なくとも1つの受信された第1の信号の中で、事前設定条件を満たす第1の信号を決定する。
【００１６】
第1の態様から第1の態様の第5の可能な実装形態のいずれか1つを参照して、第1の態様の第6の可能な実装形態では、事前設定条件を満たす第1の信号は、しきい値以上の信号強度を有する第1の信号であり、しきい値は、第1の信号に対応する第1の空間リソースが属するリソースセットに対応するしきい値である。
【００１７】
このようにして、第2のネットワークデバイスによって受信された第1の信号の信号強度が、事前設定されたしきい値以上であるとき、それは、第1の信号の信号が比較的強いこと、および第1の信号に対応する第1の空間リソースが第2のネットワークデバイスのカバレージ要件を満たすことができることを示すことができる。
【００１８】
第1の態様から第1の態様の第5の可能な実装形態のいずれか1つを参照して、第1の態様の第7の可能な実装形態では、第1の事前設定条件を満たす一組の第1の信号は、第2のネットワークデバイスによって受信された第1の信号の中で、第2のネットワークデバイスと第1のネットワークデバイスとの間で合意された第1の空間リソースに対応する第1の信号を含む。
【００１９】
第1の態様から第1の態様の第7の可能な実装形態のいずれか1つを参照して、第1の態様の第8の可能な実装形態では、第2のネットワークデバイスは、リソースセットに対応する優先順位または第1の空間リソースに対応する優先順位に従って、事前設定条件を満たす第1の信号に対応する第1の空間リソースの中で少なくとも1つの第1の空間リソースを選択し、選択された第1の空間リソースの識別情報を応答信号に付加する。
【００２０】
第1の態様から第1の態様の第7の可能な実装形態のいずれか1つを参照して、第1の態様の第9の可能な実装形態では、第1のネットワークデバイスは、応答信号によって示されたn個の第1の空間リソースの中で、第1の空間リソースが属するリソースセットに対応する優先順位、または第1の空間リソースに対応する優先順位に従って、s個の第1の空間リソースを決定することであって、sが正の整数である、決定することと、s個の第1の空間リソースに対応するk個の第2の空間リソースを決定し、k個の第2の空間リソース上で第2のネットワークデバイスに第2の信号を送信することとを行う。
【００２１】
第1の態様の第8または第9の可能な実装形態を参照して、第1の態様の第10の可能な実装形態では、カバレージ幅がより大きい第1の空間リソースが属するリソースセットは、より小さいしきい値に対応し、しきい値がより小さいリソースセットは、より高い優先順位に対応する。
【００２２】
このようにして、第2のネットワークデバイスは、好ましくは、異なるリソースセット内のカバレージ幅がより大きい第1の空間リソースを第1のネットワークデバイスに送信することができる。カバレージ幅がより大きい第1の空間リソースは、より多くの第2のネットワークデバイスのカバレージ要件を満たすことができ、その結果、第1のネットワークデバイスは、カバレージ幅がより大きい第1の空間リソースに従って、事前設定されたカバレージ要件を満たすことができる比較的少数の第2の空間リソースをより簡単に決定することができ、それにより、システムリソースのオーバーヘッドが低減される。
【００２３】
第1の態様の第9の可能な実装形態を参照して、第1の態様の第11の可能な実装形態では、応答信号を使用して第1の空間リソースを示す多数の第2のネットワークデバイスが存在する場合、第1の空間リソースは高い優先順位を有する。
【００２４】
複数の第2のネットワークデバイスによって示された第1の空間リソースは、複数の第2のネットワークデバイスのカバレージ要件を満たすことができるので、第1のネットワークデバイスは、好ましくは、複数の第2のネットワークデバイスのカバレージ要件を満たすことができる第1の空間デバイスを選択することができ、それにより、事前設定されたカバレージ要件を満たすことができるs個の第1の空間リソースの数が削減され、対応する第2の空間リソースの数kがさらに削減され、システムリソースのオーバーヘッドが低減される。
【００２５】
第1の態様の第8または第9の可能な実装形態を参照して、第1の態様の第12の可能な実装形態では、リソースセットに対応する優先順位および第1の空間リソースに対応する優先順位は、第1のネットワークデバイスと第2のネットワークデバイスとの間で事前交渉される。
【００２６】
第2の態様によれば、プロセッサ、メモリ、およびトランシーバを含むネットワークデバイスが提供される。メモリは命令を記憶するように構成される。プロセッサは、メモリに記憶された命令を実行して、信号の受信および送信を実行するようにトランシーバを制御するように構成される。プロセッサがメモリに記憶された命令を実行すると、ネットワークデバイスは、第1の態様および第1の態様のすべての可能な実装形態のいずれか1つによる方法において、第1のネットワークデバイスに対応するアクションを実行するように構成される。
【００２７】
第3の態様によれば、プロセッサ、メモリ、およびトランシーバを含むネットワークデバイスが提供される。メモリは命令を記憶するように構成される。プロセッサは、メモリに記憶された命令を実行して、信号の受信および送信を実行するようにトランシーバを制御するように構成される。プロセッサがメモリに記憶された命令を実行すると、ネットワークデバイスは、第1の態様および第1の態様のすべての可能な実装形態のいずれか1つによる方法において、第2のネットワークデバイスに対応するアクションを実行するように構成される。
【００２８】
第4の態様によれば、第2の態様に記載されたネットワークデバイスおよび第3の態様に記載されたネットワークデバイスを含むワイヤレス通信システムが提供される。
【００２９】
理解を容易にするために、以下では、参考のため本発明に関連するいくつかの概念を記載するために例を使用する。
【００３０】
第3世代パートナーシッププロジェクト（英語：3rd Generation Partnership Project、略して3GPP）は、ワイヤレス通信ネットワークの開発に専念するプロジェクトである。一般に、3GPPに関連する機関は3GPP機関と呼ばれる。
【００３１】
ワイヤレス通信ネットワークは、ワイヤレス通信機能を提供するネットワークである。ワイヤレス通信ネットワークは、様々な通信技術、たとえば、符号分割多元接続（英語：Code Division Multiple Access、略してCDMA）、広帯域符号分割多元接続（Wideband Code Division Multiple Access、略してWCDMA（登録商標））、時分割多元接続（英語：Time Division Multiple Access、略してTDMA）、周波数分割多元接続（英語：Frequency Division Multiple Access、略してFDMA）、直交周波数分割多元接続（英語：Orthogonal Frequency−division Multiple access、略してOFDMA）、シングルキャリア周波数分割多元接続（英語：Single Carrier FDMA、略してSC−FDMA）、または衝突回避を伴うキャリアセンス多元接続（英語：Carrier Sense Multiple Access with Collision Avoidance）を使用することができる。様々なネットワークの容量、速度、および遅延などの要因に応じて、ネットワークは2G（英語：Generation）ネットワーク、3Gネットワーク、または4Gネットワークに分類されてもよい。典型的な2Gネットワークには、モバイル通信用グローバルシステム（英語：Global System For Mobile Communications／General Packet Radio Service、略してGSM（登録商標））ネットワークまたは汎用パケット無線サービス（英語：General Packet Radio Service、略してGPRS）ネットワークが含まれる。典型的な3Gネットワークには、ユニバーサルモバイルテレコミュニケーションシステム（英語：Universal Mobile Telecommunications System、略してUMTS）ネットワークが含まれる。典型的な4Gネットワークには、ロングタームエボリューション（英語：Long Term Evolution、略してLTE）ネットワークが含まれる。UMTSネットワークは、時々、ユニバーサル地上無線アクセスネットワーク（英語：Universal Terrestrial Radio Access Network、略してUTRAN）と呼ばれる場合がある。LTEネットワークは、時々、発展型ユニバーサル地上無線アクセスネットワーク（英語：Evolved Universal Terrestrial Radio Access Network、略してE−UTRAN）と呼ばれる場合がある。様々なリソース割振り方式に応じて、ネットワークは、セルラー通信ネットワークおよびワイヤレスローカルエリアネットワーク（英語：Wireless Local Area Networks、略してWLAN）に分類されてもよい。セルラー通信ネットワークはスケジューリング優位であり、WLANは競争優位である。前述の2G、3G、および4Gネットワークは、すべてセルラー通信ネットワークである。当業者は、技術の発展に伴い、本発明の実施形態において提供される技術的解決策が、別のワイヤレス通信ネットワーク、たとえば、4．5Gネットワークもしくは5Gネットワーク、または別の非セルラー通信ネットワークに適用されてもよいことを知るべきである。簡潔にするために、ワイヤレス通信ネットワークは、本発明の実施形態では、時々、単にネットワークと呼ばれる場合がある。
【００３２】
FDMAは、周波数分割多重マルチキャリア伝送方式である。多重化された信号（サブキャリア）は直交している。
【００３３】
セルラー通信ネットワークは、ワイヤレス通信ネットワークの1つである。セルラー通信ネットワークは、セルラーワイヤレスネットワーキング方式でワイヤレスチャネルを使用することにより、端末デバイスとワイヤレスネットワークデバイスを接続し、その結果、ユーザは活動中に互いに通信することができる。セルラー通信ネットワークの主な特徴は端末のモビリティである。セルラー通信ネットワークは、セル間のハンドオーバー、およびローカルエリアネットワーク間の自動ローミングを実行する機能をサポートする。
【００３４】
ユーザ機器（英語：User Equipment、略してUE）は端末デバイスである。ユーザ機器は、モバイル端末デバイスであってもよいし、非モバイル端末デバイスであってもよい。機器は、主にサービスデータを受信または送信するように構成される。ユーザ機器はネットワーク内に分散されていてもよい。ユーザ機器は、様々なネットワークにおける様々な名称、たとえば、端末、移動局、ユーザユニット、局、携帯電話、ワイヤレスモデム、ワイヤレス通信デバイス、セッション開始プロトコル（SIP）電話、スマートフォン、ワイヤレスローカルループ（WLL）ステーション、携帯情報端末（PDA）、ラップトップコンピュータ、ハンドヘルド通信デバイス、および衛星ワイヤレスデバイスを有する。ユーザ機器は、無線アクセスネットワーク（Radio Access Network、略してRAN）（ワイヤレス通信ネットワークのアクセス部分）を使用することにより、1つまたは複数のコアネットワークと通信することができる。ユーザ機器は、1つまたは複数のユーザ機器と通信するように構成されてもよいし（たとえば、D2D通信）、1つまたは複数の基地局と通信するように構成されてもよい。ユーザ機器は、ユーザ端末と呼ばれる場合もあり、システム、ユーザユニット、ユーザ局、移動局、モバイルワイヤレス端末、モバイルデバイス、ノード、デバイス、リモートステーション、リモート端末、端末、ワイヤレス通信デバイス、ワイヤレス通信装置、またはユーザエージェントの機能の一部またはすべてを含んでもよい。
【００３５】
基地局（英語：Base Station、略してBS）デバイスは、基地局と呼ばれる場合もあり、無線アクセスネットワーク上に展開されてワイヤレス通信機能を提供する装置である。たとえば、2Gネットワークにおいて基地局機能を提供するデバイスには、ワイヤレストランシーバ基地局（英語：Base Transceiver Station、略してBTS）および基地局コントローラ（英語：Base Station Controller、略してBSC）が含まれ、3Gネットワークにおいて基地局機能を提供するデバイスには、ノードB（英語略称：NodeB）および無線ネットワークコントローラ（英語：Radio Network Controller、略してRNC）が含まれ、4Gネットワークにおいて基地局機能を提供するデバイスには、発展型ノードB（英語：Evolved NodeB、略してeNB）が含まれ、WLANにおいて基地局機能を提供するデバイスは、アクセスポイント（英語：Access Point、略してAP）である。基地局は、1つまたは複数のユーザ機器と通信するように構成されてもよいし、いくつかのユーザ機器機能（たとえば、マクロ基地局とマイクロ基地局との間の通信、またはアクセスポイント間の通信）を有する1つまたは複数の基地局と通信するように構成されてもよい。基地局は、エアインタフェースを使用してワイヤレス端末と通信することができる。通信は、1つまたは複数のセクタを使用することによって実施されてもよい。基地局はまた、ワイヤレス端末とアクセスネットワークの別の部分との間のルータとして働くために、受信されたエアインタフェースフレームをIPパケットに変換することができ、アクセスネットワークにはインターネットプロトコル（IP）ネットワークが含まれる。加えて、基地局は、エアインタフェース属性の管理を調整することができ、また有線ネットワークとワイヤレスネットワークとの間のゲートウェイであってもよい。
【００３６】
ワイヤレスネットワークデバイスは、ワイヤレス通信ネットワーク内に配置されたデバイスである。そのデバイスは、基地局、ユーザ機器などであってもよい。
【００３７】
フレーム構造、無線フレーム、サブフレーム、シンボル、およびタイムスロットは、以下のように説明される。
【００３８】
フレーム構造は、信号を送信するために使用される時間リソース（時間領域）の分割を示す構造である。ワイヤレス通信では、フレーム構造内で通常使用される時間単位は、降順の無線フレーム、サブフレーム、およびタイムスロットである。具体的には、各時間単位に対応する時間長は、具体的なプロトコル要件に応じて設定されてもよい。一例として、LTEにおけるフレーム構造が使用される。無線フレーム（Radio Frame）は、10msの長さを有し、10個のサブフレーム（Subframe）を含む。各サブフレームは1msの長さを有し、2つのタイムスロットをさらに含む。各タイムスロット（Slot）は0．5msである。シンボル（Symbol）は信号の最小単位である。一例として、LTEネットワークが使用される。各OFDMサブキャリアはOFDMシンボルに対応する。シンボル間のガードインターバルが考慮されないとき、OFDMシンボルの長さ（占有時間）は1  ／サブキャリア間の間隔である。シンボル間のガードインターバルが考慮されると、OFDMシンボルによって占有される時間は、OFDMシンボルの長さとサイクリックプレフィックス（CP）の長さの和である。
【００３９】
OFDMシステムでは、シンボル間干渉を最大限に除去するために、各OFDMシンボルの間にガードインターバルが挿入される必要がある。ガードインターバルの長さTgは、一般に、無線チャネルの最大遅延拡散よりも大きくなければならない。このようにして、シンボルのマルチパス成分は次のシンボルと干渉しない。
【００４０】
ガードインターバル内では、信号は挿入されない。すなわち、ガードインターバルはアイドル送信時間セグメントである。しかしながら、この場合、マルチパス伝搬に起因して、チャネル間干渉が発生する。すなわち、サブキャリア間の直交性が損なわれ、結果として、異なるサブキャリア間で干渉が発生する。マルチパス伝播によって生じるチャネル間干渉を除去するために、元の幅がTであるOFDMシンボルに対して周期的な拡張が実行され、ガードインターバルを満たすために拡張信号が使用される。
【００４１】
フレーム番号は、各無線フレームの番号である。一例として、LTEネットワークが使用される。LTEにおけるフレームは、0から1023までの番号が付けられ、次いで、再び0からの番号が付けられる。
【００４２】
リソースには、時間リソース、周波数リソース、コードリソース、および空間リソースが含まれる。
【００４３】
時間リソースは、信号によって占有され、時間で測定されるリソースである。たとえば、信号は、2つのOFDMシンボル、または1つのサブフレーム、または3つの無線フレームを時間的に占有する。時間リソースは、絶対時間リソースおよび相対時間リソース、たとえば、無線フレーム番号、無線フレーム内のサブフレームの相対位置、およびサブフレーム内のシンボルの相対位置のうちの少なくとも1つを含んでもよい。時間リソースが固定または可変であるという一般的な説明は、相対時間リソースについてである。しかしながら、時間リソースが同じであるという一般的な説明は、絶対時間リソースが同じであることを意味してもよいし、相対時間リソースが同じであることを意味してもよい。
【００４４】
周波数リソースは、信号によって占有され、周波数で測定されるリソースである。たとえば、信号は10MHzの周波数を占有する。OFDMシステムでは、占有された周波数リソースを記述するために、一般にサブキャリア数が使用される。
【００４５】
時間周波数リソースは、信号によって占有され、時間および周波数で測定されるリソースである。たとえば、信号は時間的に2つのOFDMシンボルを占有し、10MHzの周波数を占有する。
【００４６】
コードリソースは、信号によって占有され、コード、たとえば、WCDMA（登録商標）における拡散コードで測定されるリソースである。信号によって使用されるシーケンスリソース、たとえば、同期信号によって使用されるシーケンスも、コードリソースと呼ばれる。
【００４７】
シーケンスはコードリソースの1つである。
【００４８】
空間リソースは、信号によって占有され、ビームで測定されるリソースである。多入力多出力（Multiple Input Multiple Output、MIMO）送信の場合、信号は異なる方向を指すビームを使用して同じ時間周波数リソース上で並列に送信されてもよい。
【００４９】
アクセスは、ワイヤレスネットワークデバイス間の初期接続を確立するプロセスである。ワイヤレスネットワークデバイスの具体的なタイプは限定されなくてもよい。アクセスは、通常、UEと基地局との間、およびマイクロ基地局とマクロ基地局との間で実行される。本発明の実施形態では、アクセスはUE間にも適用される。
【００５０】
同期信号は、送信側との周波数同期または時間同期のうちの少なくとも1つを実施するために受信側によって使用される信号である。
【００５１】
セル固有基準信号（英語：Cell Reference Signal、略してCRS）は、チャネルプリコーディングに関連する情報を搬送し、ダウンリンクチャネル推定を実行する際にUEを支援し、またチャネル品質検出に使用されてもよい。
【００５２】
チャネル状態情報基準信号（英語：Channel State Information−Reference Signal、略してCSI−RS）は、基準信号が配置されたときのチャネル品質インジケータ、プリコーディングインジケータ、またはランクなどの情報を測定するために使用される。
【００５３】
物理ブロードキャストチャネル（英語：Physical Broadcast Channel、略してPBCH）は、ブロードキャストチャネルを搬送し、QPSK変調を使用する。トランスポートブロックの持続時間は40msである。
【００５４】
システム情報、すなわち、システム情報ブロードキャスト（System Information Broadcast）は、主に、UEとのワイヤレス接続を確立するためのアクセス対象ネットワークの主要情報を提供し、その結果、UEは、十分なアクセス情報ならびにセルの選択および再選択の公開構成パラメータを取得する。LTEにおけるシステム情報は、複数のシステム情報ブロック（System Information Block、SIB）に分割される。システム情報ブロックの1つは、マスタ情報ブロック（Master Information Block、MIB）と呼ばれる。MIBはブロードキャスト信号とも呼ばれる。他のSIBはシステム情報と呼ばれる。LTEシステム情報のブロードキャスティングおよび3Gシステム情報のブロードキャスティングは機能的に同じであるが、スケジューリングおよび具体的な情報内容には依然として大きい違いがある。MIBは、通常、限られた数の最も重要で最も一般的に使用される伝送パラメータを含むが、他のSIBは、通常、セル無線構成、セル再選択情報、隣接セルリスト、ホームeNB識別子（Home eNB Identifier）、地震津波警報システム（ETWS）または商用モバイル警告システム（CMAS）などの通知情報、およびマルチメディアマルチキャスト（MBMS）制御情報などのパラメータを含む。
【００５５】
本発明の実施形態または従来技術における技術的解決策をより明確に記載するために、以下で、実施形態または従来技術を記載するために必要とされる添付図面を簡単に記載する。明らかに、以下の説明における添付図面は本発明のいくつかの実施形態を示すにすぎず、当業者は、創造的な努力なしに、これらの添付図面から他の図面をさらに導出することができる。
【図面の簡単な説明】
【００５６】
【図１】本発明の一実施形態による、1つのタイプのビームカバレージの概略図である。
【図２】本発明の一実施形態による、別のタイプのビームカバレージの概略図である。
【図３】本発明の一実施形態による、ワイヤレス通信方法のフローチャートである。
【図４ａ】本発明の一実施形態による、別のタイプのビームカバレージの概略図である。
【図４ｂ】本発明の一実施形態による、別のタイプのビームカバレージの概略図である。
【図５】本発明の一実施形態による、別のワイヤレス通信方法のフローチャートである。
【図６】本発明の一実施形態による、別のワイヤレス通信方法のフローチャートである。
【図７】本発明の一実施形態による、別のワイヤレス通信方法のフローチャートである。
【図８】本発明の一実施形態による、別のワイヤレス通信方法のフローチャートである。
【図９】本発明の一実施形態による、別のワイヤレス通信方法のフローチャートである。
【図１０】本発明の一実施形態による、別のワイヤレス通信方法のフローチャートである。
【図１１】本発明の一実施形態による、別のワイヤレス通信方法のフローチャートである。
【図１２】本発明の一実施形態による、別のタイプのビームカバレージの概略図である。
【図１３】本発明の一実施形態による、別のワイヤレス通信方法のフローチャートである。
【図１４】本発明の一実施形態による、別のワイヤレス通信方法のフローチャートである。
【図１５】本発明の一実施形態による、別のタイプのビームカバレージの概略図である。
【図１６】本発明の一実施形態による、ネットワークデバイスの概略構造図である。
【図１７】本発明の一実施形態による、別のネットワークデバイスの概略構造図である。
【図１８】本発明の一実施形態による、ワイヤレス通信システムの基本アーキテクチャの概略図である。
【発明を実施するための形態】
【００５７】
以下で、本発明の実施形態における添付図面を参照して、本発明の実施形態における技術的解決策を明確かつ完全に説明する。明らかに、説明される実施形態は、本発明の実施形態のうちの一部にすぎず、すべてではない。創造的な努力なしに、本発明の実施形態に基づいて当業者によって取得されるすべての他の実施形態は、本発明の保護範囲内に入るべきである。
【００５８】
本出願において使用される「構成要素」、「モジュール」、および「システム」などの用語は、コンピュータ関連エンティティを示すために使用される。コンピュータ関連エンティティは、ハードウェア、ファームウェア、ハードウェアとソフトウェアの組合せ、ソフトウェア、または実行中のソフトウェアであってもよい。たとえば、構成要素は、限定はしないが、プロセッサ上で動作するプロセス、プロセッサ、オブジェクト、実行可能ファイル、実行スレッド、プログラム、および／またはコンピュータであってもよい。一例では、コンピューティングデバイスとコンピューティングデバイス上で動作するアプリケーションの両方は、構成要素であってもよい。1つまたは複数の構成要素は、プロセスおよび／または実行スレッドの中に存在してもよく、1つの構成要素は、1つのコンピュータ上に配置されてもよく、かつ／または2つ以上のコンピュータ間で分散されてもよい。加えて、これらの構成要素は、様々なデータ構造をもつ様々なコンピュータ可読媒体から実行されてもよい。これらの構成要素は、ローカルおよび／またはリモートのプロセスを使用することにより、かつ、たとえば、1つまたは複数のデータパケット（たとえば、ローカルシステムもしくは分散システム内の別の構成要素と対話する、かつ／または信号を使用することにより、インターネットなどのネットワークを介して他のシステムと対話する1つの構成要素からのデータ）を有する信号に従って、通信することができる。
【００５９】
すべての態様、実施形態、または特徴は、複数のデバイス、構成要素、モジュールなどを含んでもよいシステムを説明することにより、本出願において提示される。各システムは、別のデバイス、構成要素、モジュールなどを含んでもよく、かつ／または添付の図面を参照して説明されるすべてのデバイス、構成要素、モジュールなどを含まなくてもよいことを諒解されたい。加えて、これらの解決策の組合せが使用されてもよい。
【００６０】
本発明の実施形態における「例」という単語は、例、例示、または説明を与えることを表すために使用される。本出願において「例」として記載される任意の実施形態または設計方式は、別の実施形態または設計方式よりも好ましいか、または多くの利点を有するものとして説明されるべきではない。正確には、「たとえば」は、具体的に概念を提示するために使用される。
【００６１】
本発明の実施形態では、情報（Information）、信号（Signal）、メッセージ（Message）、またはチャネル（Channel）のうちの1つが時々使用される場合がある。違いが強調されていないとき、表現された意味が一致していることに留意されたい。「の（of）」、「関連する（Corresponding、Relevant）」、または「対応する（Corresponding）」のうちの1つが時々使用される場合がある。違いが強調されていないとき、表現された意味が一致していることに留意されたい。
【００６２】
本発明の実施形態に記載されたネットワークアーキテクチャおよびサービスシナリオは、本発明の実施形態における技術的解決策をより明確に記載するものであり、本発明の実施形態において提供される技術的解決策に対していかなる制限も構成しない。当業者は、ネットワークアーキテクチャの進化および新しいサービスシナリオの出現に伴い、本発明の実施形態において提供される技術的解決策が、同様の技術的問題にも適用可能であることを理解することができる。
【００６３】
本発明の実施形態は、時分割複信（Time Division Duplexing、TDD）シナリオだけでなく、周波数分割複信（Frequency Division Duplexing、FDD）シナリオにも適用されてよい。
【００６４】
本発明の実施形態は、ワイヤレス通信ネットワークの中のLTEネットワークのシナリオに基づいて記載される。本発明の実施形態における解決策は、別のワイヤレス通信ネットワークに適用されてもよいことに留意されたい。対応する名称は、別のワイヤレス通信ネットワーク内の対応する機能の名称で置き換えられてもよい。
【００６５】
LTEネットワークはOFDM技術を使用する。OFDM技術は、シリアル／パラレル変換により高速データストリームを複数の並列低速データストリームに変換し、次いで、低速データストリームを送信用に異なる周波数のいくつかのサブキャリア上のサブチャネルに割り振る。OFDM技術は、互いに直交するサブキャリアを利用する。各サブキャリアはシンボルに対応するので、サブキャリアのスペクトルが重複し、それによってスペクトル利用率が大幅に改善される。OFDMシステムでは、サブキャリア間隔Δfは、OFDMシステムにおける2つの隣接するサブキャリア間の周波数差である。OFDMシステムの帯域幅は、サブキャリア間隔にシステムのサブキャリアの理論上の最大数を掛けたものに等しい。システムのサブキャリアの理論上の最大数は、周波数ガード帯域幅が考慮されていないときのサブキャリアの最大数である。しかしながら、実際のところ、OFDMシステムは、通常、ガード帯域幅の約10％を確保する。したがって、システム向けに実際に構成されたサブキャリアの数は、サブキャリアの最大数よりも少ない。
【００６６】
本発明の実施形態における方法またはデバイスは、狭ビームカバレージシナリオにおいて基地局とユーザ機器との間に適用されてもよいし、基地局間（たとえば、マクロ基地局とマイクロ基地局との間）に適用されてもよいし、（たとえば、D2Dシナリオにおいて）ユーザ機器間に適用されてもよい。このことは本明細書では限定されない。
【００６７】
狭ビームカバレージシナリオにおいて、ユーザ機器の通信要件を満たすために、従来技術では、ワイヤレス信号は、通常、ユーザ機器にサービスために各ビームを使用して送信され、それにより、システムリソースのオーバーヘッドが大きくなるという問題がもたらされる。
【００６８】
ワイヤレス通信が狭ビームカバレージシナリオにおいて実行されるときに存在する従来技術における前述の問題に対処するために、本発明の実施形態は、通信方法およびシステム、ならびにデバイスを提供する。主要原理は以下の通りである：第1のネットワークデバイスは、異なるリソースセット内の第1の空間リソースを使用してm個の第1の信号を送信し、各第1の信号は対応する識別情報を含み、対応する識別情報は第1の信号に対応する第1の空間リソースを示すために使用され、第1の空間リソースが属するリソースセットを示すためにさらに使用される。第2のネットワークデバイスは、少なくとも1つの受信された第1の信号、第1の信号に対応する第1の空間リソース、および各第1の空間リソースが属するリソースセットに従って、少なくとも1つの第1の空間リソースを選択し、応答信号を使用して第1のネットワークデバイスに選択された第1の空間リソースを示す。第1のネットワークデバイスは、応答信号に従って、既存の第2のネットワークデバイス、および第2のワイヤレスネットワークと示された第1の空間リソースとの間の対応関係を知り、したがって、事前設定されたカバレージ要件を満たすことができるk個の第2の空間リソースを決定し、k個の第2の空間リソース上で第2の信号を送信し、kは比較的小さい値である。このようにして、第1のネットワークデバイスは、k個の第2の空間リソースを使用して第2のネットワークデバイスにサービスする。したがって、第2の信号はより効率的に送信することができ、それにより、第2の空間リソースが節約され、無効な第2の空間リソース上で第2の信号を送信するために必要なシステムリソースのオーバーヘッドが節約される。
【００６９】
第1の信号および第2の信号は、ワイヤレス通信プロセスにおいて作用される様々なタイプのワイヤレス信号であってもよい。本発明の実施形態では、第1の信号および第2の信号の情報タイプは限定されない。たとえば、第1の信号は、同期信号、CRSまたはCSI−RSなどの測定信号、PBCHブロードキャスト信号などであってもよく、第2の信号は、システム情報、同期信号、基準信号、データ信号などであってもよい。
【００７０】
前述の事前設定されたカバレージ要件は、実際の要件に応じて設定されてもよい。たとえば、事前設定されたカバレージ要件を満たすことは、すべての第2のネットワークデバイスのカバレージ要件を満たすこと、または第2のネットワークデバイスの95％のカバレージ要件を満たすことであってもよい。第2の空間リソースを使用して第2のネットワークデバイスによって受信された第2の信号の信号強度が事前設定された値以上であるとき、それは、第2のネットワークデバイスのカバレージ要件が満たされていることを示す。
【００７１】
第1の信号を送信するために第1のネットワークデバイスによって使用された第1の空間リソースが異なるリソースセットに属するとき、第2のネットワークデバイスによって送信された応答信号内で示された第1の空間リソースも異なるリソースセットに属してもよい。異なるリソースセット内の第1の空間リソースの空間カバレージエリアは同じではないので、カバレージエリアが異なる第1の空間リソースは、異なる数の第2のネットワークデバイスのカバレージ要件を満たすことができる。したがって、第1のネットワークデバイスは、第2のネットワークデバイスと送信された応答信号内で示された第1の空間リソースとの間の対応関係に従って、かつ異なるリソースセットに属する第1の空間リソースのカバレージエリアに応じて、事前設定されたカバレージ要件を満たすことができる比較的少数の第2の空間リソースの組合せを決定し、決定された第2の空間リソースを使用して第2の信号を送信することができ、それにより、第2のネットワークデバイスにサービスする第2の空間リソースの数が削減され、システムリソースのオーバーヘッドが低減される。
【００７２】
加えて、第1の信号および第2の信号を送信するとき、第1のネットワークデバイスは、いくつかの空間リソース、時間リソース、周波数リソース、およびコードリソースを占有する。第2のネットワークデバイスにサービスする空間リソースの数が減少すると、第2のネットワークデバイスにサービスする時間リソース、周波数リソース、およびコードリソースがそれに応じて減少し、それにより、システムリソースのオーバーヘッドがさらに低減される。
【００７３】
以下に、具体的な実施形態を使用することによって詳細説明を提供する。
【００７４】
図3を参照すると、本発明の一実施形態はワイヤレス通信方法を提供し、方法は以下のステップを含んでもよい。
【００７５】
101．第1のネットワークデバイスが、m個の第1の信号、各第1の信号に対応する第1の空間リソース、および各第1の空間リソースが属するリソースセットを決定し、ここで、mは正の整数である。
【００７６】
このステップでは、第1のネットワークデバイスは、m個の第1の信号、m個の第1の信号を送信するm個の第1の空間リソース、およびm個の第1の空間リソースが属するリソースセットを決定することができ、ここで、mは1より大きい正の整数であってもよい。本明細書における空間リソースは、ビームと同じ意味をもつ。各ビームは、カバレージ幅およびカバレージ長を含む、特定の空間カバレージエリアを有する。本明細書におけるリソースセットは、ビームセットと同じ意味をもつ。
【００７７】
m個の第1の空間リソースは異なるリソースセットに属してもよい。異なるリソースセット内のビームは、正確に同じカバレージ長または正確に同じカバレージ幅をもたない。同じリソースセット内の異なる第1の空間リソースは、おおよそ同じカバレージ長およびおおよそ同じカバレージ幅をもつ。
【００７８】
たとえば、第1のネットワークデバイスは、図4aに示された2つのリソースセット内の12個のビームを使用して第1の信号を送信することができる。12個のビームは、同じセル識別子を有してもよく、または同じ無線リソース制御レイヤによって制御されてもよい。加えて、各リソースセット内のビームは、セル1のエリアのカバレージに対応してもよい。ビーム0からビーム7は、リソースセット1に属し、セル1をカバーすることができる。ビーム8からビーム11は、リソースセット2に属し、セル1をカバーすることができる。
【００７９】
別の例を挙げると、第1のネットワークデバイスは、図4bに示された3つのリソースセット内の14個のビームを使用して第1の信号を送信することができる。14個のビームは、同じセル識別子を有してもよく、または同じ無線リソース制御レイヤによって制御されてもよい。ビーム0からビーム7はリソースセット1に属してもよく、ビーム8からビーム11はリソースセット2に属してもよく、ビーム12およびビーム13はリソースセット3に属してもよい。ビーム12およびビーム13も、セル1をカバーすることができる。
【００８０】
図4aおよび図4bに示されたビーム0からビーム7は、図2に示された狭ビームセット内のビーム0からビーム7と同じである。
【００８１】
リソースセット2のビームと比較して、リソースセット1のビームはより小さいカバレージ幅およびより大きいカバレージ長を有し、リソースセット1のビームと比較して、リソースセット2のビームはより大きいカバレージ幅およびより小さいカバレージ長を有することが図4aから分かる。リソースセット1のビーム、リソースセット2のビーム、およびリソースセット3のビームが比較されると、リソースセット1のビームは最小のカバレージ幅および最大のカバレージ長を有し、リソースセット3のビームは最大のカバレージ幅および最小のカバレージ長を有し、リソースセット2のビームは中程度のカバレージ幅および同様に中程度のカバレージ長を有することが図4bから分かる。実際には、アンテナから放射されるエネルギーは限られているので、形成されるビームのカバレージ幅およびカバレージ長は通常反比例する。
【００８２】
本発明のこの実施形態は、第1の信号を送信するために使用される第1の空間リソースの具体的な数、および第1の空間リソースが属するリソースセットの具体的な数に対していかなる制限も行わないことに留意されたい。m個の第1の空間リソースが属するリソースセットの数は、2以上である。
【００８３】
本発明のこの実施形態では、第1の信号を送信するために使用される第1の空間リソースが、図4aに示された2つのリソースセット内の12個のビームであり、図4aに示された基地局が第1のネットワークデバイスであり、図4aに示されたユーザ機器UE1およびユーザ機器UE2が第2のネットワークデバイスである例を使用することによって、説明が提供される。
【００８４】
102．第1のネットワークデバイスが、各対応する第1の空間リソース上で第1の信号を送信し、各第1の信号は対応する識別情報を含み、対応する識別情報は、第1の信号に対応する第1の空間リソースを示すために使用され、対応する識別情報は、第1の空間リソースが属するリソースセットを示すためにさらに使用される。
【００８５】
第1のネットワークデバイスは、図4aに示された各第1の空間リソース上で1つの第1の信号を送信する。第1の信号が送信される第1の空間リソースは、第1の信号に対応する第1の空間リソースである。加えて、第1の信号を送信するために使用される時間リソース、周波数リソース、およびコードリソースは、システムの実際の要件に応じて設定されてもよい。このことは本明細書では限定されない。
【００８６】
各第1の信号は対応する識別情報を含む。対応する識別情報は、第1の信号に対応する第1の空間リソース、および第1の空間リソースが属するリソースセットを示すために使用されてもよい。
【００８７】
対応する識別情報は、第1の信号に対応する第1の空間リソースを示すために使用されるリソース識別情報を含んでもよい。図2に示されたように、従来技術では、ワイヤレス信号は、通常、ビームセット1に対応するビーム0からビーム7の各ビーム上で送信され、ワイヤレス信号は、通常、ビームを識別するために使用されるビーム識別情報を含む。したがって、本発明のこの実施形態では、従来技術に存在する識別方式、たとえばビーム番号が、識別情報の中のリソース識別情報に使用されてもよい。詳細は本明細書では記載されない。
【００８８】
対応する識別情報は、第1の空間リソースが属するリソースセットを示すために使用されるセット識別情報をさらに含んでもよい。セット識別情報は、
第1の信号に含まれるセット識別文字、
第1の信号に含まれるシーケンスのタイプ、
第1の信号内の情報用に付加されたスクランブリングコードのタイプ、
第1の信号内の情報用に付加されたマスクのタイプ、または
第1の信号内の情報の巡回冗長検査コードCRCの計算方式
であってもよい。
【００８９】
たとえば、第1の信号は同期信号を含む。同期信号は、一次同期信号PSSおよび／または二次同期信号SSSを含む。セット識別情報は、PSSおよび／またはSSS内のシーケンスのタイプである。同期信号の中の一次同期信号PSSは、シーケンス1〜8を使用して、第1の信号に対応する第1の空間リソースが属するリソースセットをリソースセット1として識別し、シーケンス9〜12を使用して、第1の信号に対応する第1の空間リソースが属するリソースセットをリソースセット2として識別することができる。加えて、同期信号がSSSをさらに含むとき、異なるリソースセットを識別するために、PSSおよび／またはSSS内で異なるシーケンスタイプが使用されてもよい。
【００９０】
たとえば、第1の信号は、物理ブロードキャストチャネルPBCH搬送情報を含み、セット識別情報は、PBCH搬送情報内のリソースセット識別文字である。現在、PBCH搬送情報は14ビットの指示情報を含む。指示情報は、主に、ダウンリンクシステム帯域幅、システムフレーム番号、物理ハイブリッド自動再送インジケータチャネル（Physical Hybrid ARQ Indicator Channel、PHICH）構成などを示すために使用される。14ビットの指示情報以外に、PBCH搬送情報は10個のアイドルビットをさらに含む。本発明のこの実施形態では、第1のネットワークデバイスは、10個のアイドルビットを使用してセット識別文字を搬送し、セット識別情報としてセット識別文字を使用して、第1の信号に対応する第1の空間リソースが属するリソースセットを識別することができる。たとえば、PBCH搬送情報では、セット識別文字を搬送するために15番目のビットが使用される。15ビット番目のビット内の文字が0であるとき、それは、第1の信号に対応する第1の空間リソースが属するリソースセットがリソースセット1であることを表すことができる。15ビット番目のビット内の文字が1であるとき、それは、第1の信号に対応する第1の空間リソースが属するリソースセットがリソースセット2であることを表すことができる。
【００９１】
たとえば、第1の信号は、物理ブロードキャストチャネルPBCH搬送情報を含み、セット識別情報は、PBCH搬送情報用に付加されたスクランブリングコードのタイプである。たとえば、第1の信号内のPBCH搬送情報用に付加されたスクランブリングコード1は、第1の信号に対応する第1の空間リソースが属するリソースセットをリソースセット1として識別するために使用されてもよく、第1の信号内のPBCH搬送情報用に付加されたスクランブリングコード2は、第1の信号に対応する第1の空間リソースが属するリソースセットをリソースセット2として識別するために使用されてもよい。
【００９２】
たとえば、第1の信号はCSRまたはCSI−RSを含み、セット識別情報は、CSRまたはCSI−RS用に付加されたスクランブリングコードのタイプである。
【００９３】
たとえば、第1の信号は、物理ブロードキャストチャネルPBCH搬送情報を含み、セット識別情報は、PBCH搬送情報の巡回冗長検査コードCRC用に付加されたマスクのタイプである。たとえば、第1の信号内のPBCH搬送情報の巡回冗長検査コードCRC用に付加されたマスク1は、第1の信号に対応する第1の空間リソースが属するリソースセットをリソースセット1として識別するために使用されてもよく、第1の信号内のPBCH搬送情報の巡回冗長検査コードCRC用に付加されたマスク2は、第1の信号に対応する第1の空間リソースが属するリソースセットをリソースセット2として識別するために使用されてもよい。
【００９４】
たとえば、第1の信号は、物理ブロードキャストチャネルPBCH搬送情報を含み、セット識別情報は、PBCH搬送情報の巡回冗長検査コードCRCの計算方式である。たとえば、第1の信号内のPBCH搬送情報の巡回冗長検査コードCRCによって使用される計算方式1は、第1の信号が配置された第1の空間リソースセットを第1のビームセットとして識別するために使用されてもよく、第1の信号内のPBCH搬送情報の巡回冗長検査コードCRCによって使用される計算方式2は、第1の信号が配置された第1の空間リソースセットを第2のビームセットとして識別するために使用されてもよい。
【００９５】
第1の信号内のセット識別情報の前述の説明は例にすぎず、またセット識別情報が他の形態であってもよいことに留意されたい。例は本明細書では一つずつ記載されていない。
【００９６】
103．第2のネットワークデバイスが少なくとも1つの第1の信号を受信する。
【００９７】
第2のネットワークデバイスは、第1のネットワークデバイスによって送信された少なくとも1つの第1の信号を受信する。各第1の信号は対応する識別情報を含む。対応する識別情報は、第1の信号に対応する第1の空間リソースを示すために使用され、対応する識別情報は、第1の空間リソースが属するリソースセットを示すためにさらに使用される。異なる第1の空間リソース上で第2のネットワークデバイスが受信する第1の信号は、異なる信号強度を有する。
【００９８】
104．第2のネットワークデバイスが、少なくとも1つの第1の信号、第1の信号に対応する第1の空間リソース、および各第1の空間リソースが属するリソースセットに従って応答信号を決定し、応答信号は、少なくとも1つの選択された第1の空間リソースを示すために使用される。
【００９９】
少なくとも1つの第1の信号を受信した後、第2のネットワークデバイスは、少なくとも1つの第1の信号、第1の信号に対応する第1の空間リソース、および各第1の空間リソースが属するリソースセットに従って、第2のネットワークデバイスに対応する少なくとも1つの第1の空間リソースを選択し、応答信号を使用して第1のネットワークデバイスに選択された第1の空間リソースを示すことができる。
【０１００】
105．第2のネットワークデバイスが第1のネットワークデバイスに応答信号を送信する。
【０１０１】
106．第1のネットワークデバイスが、第2のネットワークデバイスによって送信された応答信号を受信し、応答信号はn個の第1の空間リソースを示すために使用され、nは正の整数である。
【０１０２】
第1のネットワークデバイスは、各第2のネットワークデバイスによって送信された応答信号を受信し、応答信号内で示されたn個の第1の空間リソースを取得し、ここで、nは正の整数である。
【０１０３】
107．第1のネットワークデバイスが、応答信号に従ってk個の第2の空間リソース上で第2のネットワークデバイスに第2の信号を送信し、ここで、kは正の整数である。
【０１０４】
応答信号を受信した後、第1のネットワークデバイスは、応答信号に従って、セル1内に存在する第2のネットワークデバイス、および第2のワイヤレスネットワークと示された第1の空間リソースとの間の対応関係を知り、したがって、事前設定されたカバレージ要件を満たすことができるk個の第2の空間リソースを決定することができ、ここで、kは比較的小さい値である。このようにして、第1のネットワークデバイスは、k個の第2の空間リソースを使用して第2のネットワークデバイスにサービスする。したがって、第2の信号はより効率的に送信することができ、それにより、第2の空間リソースが節約され、無効な第2の空間リソース上で第2の信号を送信するために必要なシステムリソースのオーバーヘッドが節約される。加えて、第2の信号がk個の第2の空間リソース以外の無効な第2の空間リソース上で送信されるときの干渉がさらに回避されてもよい。
【０１０５】
第1の信号を送信するために第1のネットワークデバイスによって使用された第1の空間リソースが異なるリソースセットに属するとき、第2のネットワークデバイスによって送信された応答信号内で示された第1の空間リソースも異なるリソースセットに属してもよいことに留意されたい。異なるリソースセット内の第1の空間リソースの空間カバレージエリアは同じではないので、カバレージエリアが異なる第1の空間リソースは、異なる数の第2のネットワークデバイスのカバレージ要件を満たすことができる。したがって、第1のネットワークデバイスは、第2のネットワークデバイスと送信された応答信号内で示された第1の空間リソースとの間の対応関係に従って、かつ異なるリソースセットに属する第1の空間リソースのカバレージエリアに応じて、事前設定されたカバレージ要件を満たすことができる比較的少数の第2の空間リソースを決定し、決定された第2の空間リソースを使用して第2の信号を送信することができ、それにより、第2のネットワークデバイスにサービスする第2の空間リソースの数が削減され、システムリソースのオーバーヘッドが低減される。
【０１０６】
加えて、ユーザ機器にサービスする空間リソースの数が減少すると、ユーザ機器にサービスする時間リソース、周波数リソース、およびコードリソースがそれに応じて減少し、それにより、システムオーバーヘッドがさらに低減される。
【０１０７】
前述のプロセスでは、第1の信号は、比較的少量の情報を含む信号であってもよく、第2の信号は、比較的大量の情報を含む信号であってもよい。第2の信号は、第1のネットワークデバイスによって決定された比較的少数の第2の空間リソース上で送信される。したがって、比較的大量の情報を含む第2の信号が比較的少数の第2の空間リソースを使用して送信され、比較的少量の情報を含む第1の信号が比較的多数の第1の空間リソースを使用して送信されるとき、第1のネットワークデバイスの電力オーバーヘッドおよびエネルギーオーバーヘッドはさらに低減されてもよい。
【０１０８】
図5、図6、および図7を参照すると、前述のステップ104は、具体的に、以下のステップ1041および1042の組合せ、以下のステップ1041および1043の組合せ、または以下のステップ1041および1044の組合せを含んでもよい。
【０１０９】
1041．第2のネットワークデバイスが、少なくとも1つの第1の信号の中で、事前設定条件を満たす第1の信号を決定する。
【０１１０】
場合によっては、第2のネットワークデバイスにより、事前設定条件を満たす第1の信号を決定するステップは、
第2のネットワークデバイスにより、対応するしきい値以上の信号強度を有する第1の信号を決定するステップであって、対応するしきい値は、第1の信号に対応する第1の空間リソースが属するリソースセットに対応するしきい値である、ステップ
を含んでもよい。
【０１１１】
具体的には、第2のネットワークデバイスによって受信された少なくとも1つの第1の信号の中で、第1の信号の信号強度が、第1の信号に対応する第1の空間リソースが属するリソースセットに対応するしきい値以上であるとき、それは、第1の空間リソース上で送信された第1の信号が比較的強いこと、および第1の空間リソースが第2のワイヤレスネットワークのカバレージ要件を満たすことができることを示すことができる。異なるリソースセットに対応するしきい値は、具体的なケースに応じて設定されてもよい。この場合、たとえば、事前設定条件を満たし、UE1によって決定された第1の信号に対応する第1の空間リソースは、ビーム2およびビーム9であってもよく、事前設定条件を満たし、UE2によって決定された第1の信号に対応する第1の空間リソースは、ビーム3およびビーム9であってもよい。
【０１１２】
前述の事前設定条件は一例にすぎず、保護範囲を限定するものではなく、事前設定条件は実際の要件に応じて具体的に設定されてもよいことに留意されたい。たとえば、事前設定条件を満たす第1の信号は、第1のネットワークデバイスと第2のネットワークデバイスとの間であらかじめ合意された第1の空間リソース上で送信される第1の信号であってもよい。第2のネットワークデバイスが第1の信号を受信すると、第1の信号に対応する第1の空間リソースが、第2のネットワークデバイスと第1のネットワークデバイスとの間であらかじめ合意された第1の空間リソースである場合、第1の信号は事前設定条件を満たす第1の信号である。
【０１１３】
事前設定条件を満たす第1の信号を決定した後、第2のネットワークデバイスは、事前設定条件を満たす第1の信号に対応する第1の空間リソースの中で、少なくとも1つの第1の空間リソースを選択することができる。少なくとも1つの第1の空間リソースは、事前設定条件を満たす第1の信号に対応する第1の空間リソースのうちの少なくとも1つの第1の空間リソース、複数の第1の空間リソース、またはすべての第1の空間リソースを含んでもよい。たとえば、UE1は、事前設定条件を満たす第1の信号に対応するビーム2およびビーム9中のビーム2もしくはビーム9を選択し、選択されたビームを基地局に示すか、またはビーム2およびビーム9を選択し、2つのビームを基地局に示すことができ、UE2は、事前設定条件を満たす第1の信号に対応するビーム3およびビーム9中のビーム3もしくはビーム9を選択し、選択されたビームを基地局に示すか、またはビーム3およびビーム9を選択し、2つのビームを基地局に示すことができる。
【０１１４】
具体的には、第2のネットワークデバイスは、ステップ1042またはステップ1043を実行することにより、事前設定条件を満たす第1の信号に対応する第1の空間リソースの中で、少なくとも1つの第1の空間リソースを選択することができる。
【０１１５】
1042．第2のネットワークデバイスが、リソースセットに対応する優先順位に従って、事前設定条件を満たす第1の信号に対応する第1の空間リソースの中で、少なくとも1つの第1の空間リソースを選択し、選択された第1の空間リソースの識別情報を応答信号に付加する。
【０１１６】
このステップでは、第2のネットワークデバイスは、リソースセットに対応する優先順位に従って、かつ事前設定条件を満たす第1の信号に対応する第1の空間リソースの中で、比較的高い優先順位に対応するリソースセットに属する1つまたは複数の第1の空間リソースを選択し、選択された1つまたは複数の第1の空間リソースの識別情報を応答信号に付加して、選択された1つまたは複数の第1の空間リソースを第1のネットワークデバイスに示すことができる。
【０１１７】
リソースセットに対応する優先順位は、実際のケースに応じて設定されてもよい。たとえば、リソースセットの優先順位は、セット識別情報に従ってあらかじめソートされてもよい。たとえば、セット識別情報がPBCH搬送情報内で搬送されたセット識別文字であり、PBCH搬送情報内の15番目のビット0はリソースセット1に対応し、PBCH搬送情報内の15番目のビット1はリソースセット2に対応するとき、セット識別文字1に対応するリソースセット2の優先順位が、セット識別文字0に対応するリソースセット1の優先順位よりも高いと事前設定されてもよい。たとえば、しきい値がより小さいリソースセットはより高い優先順位に対応する。
【０１１８】
場合によっては、図8を参照すると、前述のステップ1042は、具体的に、以下のステップであってもよい。
【０１１９】
10420．第2のネットワークデバイスが、リソースセットに対応する優先順位に従って、かつ事前設定条件を満たす第1の信号に対応する第1の空間リソースの中で、優先順位が最も高いリソースセットに属する第1の空間リソースを選択する。
【０１２０】
しきい値がより小さいリソースセットがより高い優先順位に対応する場合、第2のネットワークデバイスは、リソースセットに対応する優先順位に従って、かつ事前設定条件を満たす第1の信号に対応する第1の空間リソースの中で、しきい値がより小さいリソースセットに属する第1の空間リソースを選択することができる。
【０１２１】
場合によっては、カバレージ幅がより大きい第1の空間リソースが属するリソースセットは、より小さいしきい値に対応する。一般に、アンテナの利得がより大きいとき、アンテナによって放射される一組のビーム内のビームのカバレージ幅はより小さく、空間カバレージ長はより大きく、信号強度を検出するために使用され、一組のビーム、たとえば、図4aに示されたビームセット1に対応するしきい値もより大きくなければならず、アンテナの利得がより小さいとき、アンテナによって放射される一組のビーム内のビームのカバレージ長はより小さく、カバレージ幅はより大きく、信号強度を検出するために使用され、一組のビーム、たとえば、図4aに示されたビームセット2に対応するしきい値もより小さくなければならない。
【０１２２】
前述のステップ10420において、第2のネットワークデバイスは、事前設定条件を満たす第1の信号の中で、カバレージ幅が最も大きい第1の空間リソースを選択することができる。カバレージ幅が最も大きい第1の空間リソースが属するリソースセットは、最小のしきい値に対応し、したがって、そのリソースセットの優先順位が最も高い。たとえば、UE1は、選択される第1の空間リソースとして、ビーム2およびビーム9の中でカバレージ幅がより大きいビーム9を選択することができるか、または、UE2は、選択される第1の空間リソースとして、ビーム2およびビーム9の中でカバレージ幅がより大きいビーム9を選択することができる。
【０１２３】
狭ビームカバレージシナリオは、第1のネットワークデバイスからより遠く離れた第2のネットワークデバイスのカバレージ要件を満たすことであり、第1のネットワークデバイスは、通常、第2のワイヤレスネットワークが比較的集中している場所に配置され、第1のネットワークデバイスからより遠く離れた第2のワイヤレスネットワーク（たとえば、セルエッジ）の割合は比較的小さく、したがって、一般に、カバレージ幅が比較的小さいがカバレージ長が比較的大きい狭ビームと比較して、カバレージ幅が比較的大きいがカバレージ長が比較的小さい広ビームは、比較的多数の第2のネットワークデバイスのカバレージ要件を満たす可能性がより高いことに留意されたい。
【０１２４】
カバレージ幅がより大きい第1の空間リソースが属するリソースセットは、より小さいしきい値に対応する。したがって、しきい値がより小さいリソースセットがより高い優先順位に対応するとき、かつ第2のネットワークデバイスが、事前設定条件を満たす第1の信号に対応する第1の空間リソースの中で、優先順位が最も高いリソースセットに対応する第1の空間リソースを選択するとき、第2のネットワークデバイスは、事前設定条件を満たす第1の信号に対応する第1の空間リソースの中で、カバレージ幅が最も大きい第1の空間リソースセットを選択することができる。加えて、第2のネットワークデバイスが第1のネットワークデバイスに近いとき、カバレージ幅が比較的大きい第1の空間リソースは、複数のUEのカバレージ要件を同時に満たすことができる。カバレージ要件は、第1の空間リソース上で送信され、UEによって受信された第1の信号の信号強度が、第1の空間リソースが属するリソースセットに対応するしきい値以上であることと理解されてもよい。したがって、応答信号は、第1のワイヤレスデバイスに対して比較的大きいカバレージ幅を有する第1の空間リソースを示すために使用され、その結果、第1のネットワークデバイスは、異なる第2のネットワークデバイスによって示された比較的大きいカバレージ幅を有する第1の空間リソースに従って、事前設定されたカバレージ要件を満たすことができる比較的少数の第2の空間リソースを決定することができ、それにより、第2のネットワークデバイスにサービスする第2の空間リソースの数が削減され、システムリソースのオーバーヘッドが低減される。
【０１２５】
1043．第2のネットワークデバイスが、第1の空間リソースに対応する優先順位に従って、事前設定条件を満たす第1の信号に対応する第1の空間リソースの中で、少なくとも1つの第1の空間リソースを選択し、選択された第1の空間リソースの識別情報を応答信号に付加する。
【０１２６】
このステップでは、第1の空間リソースに対応する優先順位は、実際のケースに応じて設定されてもよい。たとえば、リソース識別情報に従ってリソースセットに対して優先順位のソーティングが実行されてもよい。たとえば、第1の空間リソースに対応する事前設定された優先順位に関する情報は、ビーム9の優先順位がビーム2の優先順位よりも高く、ビーム9の優先順位がビーム3の優先順位より高いことを含む場合がある。事前設定条件を満たす第1の第1の信号がビーム2およびビーム9であると判断すると、UE1は、選択される第1の空間リソースとして優先順位がより高いビーム9を使用し、ビーム9を基地局に示すことができる。事前設定条件を満たす第1の信号に対応する第1の空間リソースがビーム3およびビーム9であると判断した後、UE2は、選択される第1の空間リソースとして優先順位がより高いビーム9を使用し、ビーム9を基地局に示すことができる。
【０１２７】
1044．第2のネットワークデバイスが、事前設定条件を満たすすべての第1の信号に対応する第1の空間リソースを選択し、選択された第1の空間リソースの識別情報を応答信号に付加する。
【０１２８】
ステップ1041において事前設定条件を満たす第1の信号を決定した後、第2のネットワークデバイスは、事前設定条件を満たすすべての第1の信号に対応する第1の空間リソースを選択し、選択された第1の空間リソースの識別情報を応答信号に付加して、選択された第1の空間リソースを第1のネットワークデバイスに示すことができる。
【０１２９】
たとえば、UE1が事前設定条件を満たす第1の信号に対応する第1の空間リソースがビーム2およびビーム9であると判断すると、UE1は、応答信号を使用してビーム2とビーム9の両方を基地局に示す。UE2が事前設定条件を満たす第1の信号に対応する第1の空間リソースがビーム3およびビーム9であると判断すると、UE2は、応答信号を使用してビーム3とビーム9の両方を基地局に示す。
【０１３０】
図9を参照すると、前述のステップ107において、第1のネットワークデバイスにより、応答信号に従ってk個の第2の空間リソース上で第2のネットワークデバイスに第2の信号を送信するステップは、以下のステップを含んでもよい。
【０１３１】
1071．第1のネットワークデバイスが、応答信号に従ってs個の第1の空間リソースを決定し、ここで、sは正の整数である。
【０１３２】
1072．第1のネットワークデバイスが、s個の第1の空間リソースに対応するk個の第2の空間リソースを決定し、k個の第2の空間リソース上で第2のネットワークデバイスに第2の信号を送信する。
【０１３３】
ステップ1072におけるs個の第1の空間リソースの各々は、それに対応する第2の空間リソースを有することができる。本明細書における第1の空間リソースと第2の空間リソースとの間の対応関係は、カバレージエリアがおおよそ同じであることを意味することができる。たとえば、beamの主ローブは均一なカバレージを有するか、またはカバレージエリアは高い相関性を有する。第1の空間リソースのビーム幅および対応する第2の空間リソースのビーム幅は、同じであっても異なっていてもよい。第1の空間リソースのビーム方向および対応する第2の空間リソースのビーム方向は、同じであっても異なっていてもよい。第1の空間リソースおよび第2の空間リソースは、同じ空間分割粒度または異なる空間分割粒度（小もしくは大）を使用してもよい。たとえば、8つの第1の空間リソースがあり、8つの第1の空間リソースは第2の空間リソースであるか、または8つの第1の空間リソースおよび4つの第2の空間リソースがあり、2つごとの第1の空間リソースは1つの第2の空間リソースに対応する。第1の空間リソースと第2の空間リソースとの間の具体的な対応関係は、実際の要件に応じて設定されてもよく、1対多の対応関係、多対1の対応関係、または多対多の対応関係であってもよい。このことは本明細書では限定されない。たとえば、対応する第2の空間リソースおよび第1の空間リソースは、同じビーム幅およびビーム方向を有し、または対応する第2の空間リソースおよび第1の空間リソースは、同じビーム幅を有するが、第2の空間リソースのビーム方向と第1の空間リソースのビーム方向との間に、あるしきい値以内の位相偏差が存在し、しきい値は、実際の要件、たとえば、10度もしくは20度に応じて定義されてもよく、または対応する第2の空間リソースおよび第1の空間リソースは、同じビーム方向を有するか、もしくはあるしきい値以内の位相偏差が存在し、第2の空間リソースのビーム幅は第1の空間リソースのビーム幅よりも大きいかもしくは小さい。1つの第2の空間リソースは、2つ以上の第1の空間リソースに対応してもよく、または1つの第1の空間リソースは、2つ以上の第2の空間リソースに対応する。前述の対応関係は、s個の第1の空間リソースとk個の第2の空間リソースとの間に存在するので、kとsは等しくても異なっていてもよい。
【０１３４】
第1の信号を送信するために第1のネットワークデバイスによって使用された第1の空間リソースが異なるリソースセットに属するとき、第2のネットワークデバイスによって送信された応答信号内で示された第1の空間リソースも異なるリソースセットに属してもよいことに留意されたい。異なるリソースセット内の第1の空間リソースの空間カバレージエリアは同じではないので、カバレージエリアが異なる第1の空間リソースは、異なる数の第2のネットワークデバイスのカバレージ要件を満たすことができる。したがって、第1のネットワークデバイスは、空間カバレージエリアが異なる第1の空間リソースの組合せを使用することにより、複数のリソースセット内の第1の空間リソースの中で、事前設定されたカバレージ要件を満たすことができるs個の第1の空間リソースを決定することであって、sが可能な限り小さい、決定することと、s個の第1の空間リソースに従って、s個の第1の空間リソースに対応するk個の第2の空間リソースを決定することであって、sおよびkが比較的小さい値である、決定することと、k個の第2の空間リソース上で第2の信号を送信することとを行うことができ、それにより、第2のネットワークデバイスにサービスする第2の空間リソースの数が削減され、システムリソースのオーバーヘッドが低減される。
【０１３５】
場合によっては、図10を参照すると、前述のステップ1071は、具体的に、以下のステップであってもよい。
【０１３６】
108．第1のネットワークデバイスが、応答信号によって示されたn個の第1の空間リソースの中で、第1の空間リソースが属するリソースセットに対応する優先順位に従って、s個の第1の空間リソースを決定する。
【０１３７】
第1のネットワークデバイスは、各第2のネットワークデバイスによって送信された応答信号を受信する。応答信号は、第2のネットワークデバイスによって選択されたn個の第1の空間リソースを示す。第1のネットワークデバイスは、リソースセットに対応する優先順位に従って、s個の第1の空間リソースを決定することができる。リソースセットに対応する優先順位の説明については、前述のステップ1042を参照されたい。場合によっては、カバレージ幅がより大きい第1の空間リソースが属するリソースセットは、より高い優先順位に対応する。
【０１３８】
図11を参照すると、ステップ108は、具体的に、以下のステップであってもよい。
【０１３９】
1080．第1のネットワークデバイスが、各応答信号によって示された第1の空間リソースの中で、優先順位が最も高いリソースセットに属する第1の空間リソースを決定し、s個の第1の空間リソースを形成するために、すべての応答信号によって示された第1の空間リソースの中で、優先順位が最も高いリソースセットに属する第1の空間リソースを使用する。
【０１４０】
s個の第1の空間リソースは、すべての応答信号によって示された第1の空間リソースの中で優先順位が最も高いリソースセットに属する第1の空間リソースである。したがって、s個の第1の空間リソースは、応答信号を送信するすべての第2のネットワークデバイスのカバレージ要件を満たすことができる。カバレージ幅が比較的大きい第1の空間リソースは、より多くの第2のネットワークデバイスのカバレージ要件を満たすことができるので、カバレージ幅がより大きい第1の空間リソースが属するリソースセットはより高い優先順位を有し、その結果、第1のネットワークデバイスによってより少ない第1の空間リソースが決定され、すなわち、第1の空間リソース数sはより小さい。加えて、すべての第1の空間リソースに対応する第2の空間リソースは、おおよそ同じカバレージエリアを有し、したがって数sが比較的小さいとき、第2の空間リソース数kも比較的小さくてもよく、それにより、第2のネットワークデバイスにサービスする第2の空間リソースの数が削減され、システムリソースのオーバーヘッドが低減される。
【０１４１】
たとえば、図4aに示されたシナリオが一例として使用される。UE1によって送信された応答信号によって示された第1の空間リソースがビーム2およびビーム9を含み、UE2によって送信された応答信号によって示された第1の空間リソースがビーム3およびビーム9を含む場合、基地局は、各応答信号によって示された第1の空間リソースの中で、優先順位が最も高いリソースセットに属する第1の空間リソースを決定する。
【０１４２】
カバレージ幅がより大きい第1の空間リソースが属するリソースセットがより高い優先順位に対応する場合、基地局は、UE1によって送信された応答信号によって示された第1の空間リソースの中で、カバレージ幅が最も大きいビーム9を優先順位が最も高いリソースセットに属する第1の空間リソースとして決定することができ、基地局は、UE2によって送信された応答信号によって示された第1の空間リソースの中で、カバレージ幅が最も大きいビーム9を優先順位が最も高いリソースセットに属する第1の空間リソースとして決定することができる。したがって、形成されたs個の第1の空間リソースはビーム9であり、sは1である。基地局は、ビーム9（s個の第1の空間リソース）に従って、ビーム9に対応する第2の空間リソースが、ビーム9とおおよそ同じカバレージエリアを有するビーム9’であると判断することができる。詳細については、図12に示された概略ビームカバレージ図を参照されたい。基地局は、1つのビーム9’を使用することにより第2の信号を送信して、UE1およびUE2に同時にサービスする。基地局が、ビーム2とおおよそ同じカバレージエリアを有するビーム2’を使用することにより、かつビーム3とおおよそ同じカバレージエリアを有するビーム3’を使用することにより第2の信号を送信することと比較して、または基地局が、図2に示されたビーム0〜ビーム7を使用することにより、（本発明のこの実施形態における第1の信号および第2の信号を含む）ワイヤレス信号を送信することと比較して、ビーム9’を使用することにより第2の信号を送信することは、UEにサービスするビームの数を削減することができ、それにより、システムリソースのオーバーヘッドが低減される。
【０１４３】
たとえば、図4aに示されたシナリオが一例としてまだ使用される。UE1によって送信された応答信号によって示された第1の空間リソースが比較的広いカバレージエリアを有するビーム9のみを含み、UE2によって送信された応答信号によって示された第1の空間リソースが比較的広いカバレージエリアを有するビーム9のみを含む場合、すべての応答信号によって示された第1の空間リソースは、比較的広いカバレージエリアを有するビーム9のみを含み、すべての応答信号に従って基地局によって決定されたs個の第1の空間リソースは、ビーム9である必要がある。この場合、基地局は、ビーム9（s個の第1の空間リソース）に従って、ビーム9に対応する第2の空間リソースが、ビーム9とおおよそ同じカバレージエリアを有するビーム9’であると判断することができる。
【０１４４】
別の例を挙げると、図4aに示されたシナリオが一例としてまだ使用される。UE1によって送信された応答信号によって示された第1の空間リソースがビーム2およびビーム9を含む場合、基地局は、UE1によって送信された応答信号によって示された第1の空間リソースの中で、カバレージ幅が最も大きいビーム9を優先順位が最も高いリソースセットに属する第1の空間リソースとして決定することができ、基地局は、UE2によって送信された応答信号によって示された第1の空間リソースの中で、カバレージ幅が最も大きいビーム9を優先順位が最も高いリソースセットに属する第1の空間リソースとして決定することができる。したがって、形成されたs個の第1の空間リソースはビーム9である。それに応じて、基地局は、ビーム9（s個の第1の空間リソース）に従って、ビーム9に対応する第2の空間リソースが、ビーム9とおおよそ同じカバレージエリアを有するビーム9’であると判断することができる。
【０１４５】
場合によっては、図13を参照すると、前述のステップ1071は、具体的に、以下のステップであってもよい。
【０１４６】
109．第1のネットワークデバイスが、応答信号によって示されたn個の第1の空間リソースの中で、第1の空間リソースに対応する優先順位に従って、s個の第1の空間リソースを決定する。
【０１４７】
第1のネットワークデバイスは、各第2のネットワークデバイスによって送信された応答信号を受信する。応答信号は、第2のネットワークデバイスによって選択されたn個の第1の空間リソースを示す。第1のネットワークデバイスは、第1の空間リソースに対応する優先順位に従って、s個の第1の空間リソースを決定することができる。第1の空間リソースに対応する優先順位の説明については、前述のステップ1043を参照されたい。加えて、応答信号を使用して第1の空間リソースを示す多数の第2のネットワークデバイスが存在する場合、第1の空間リソースは高い優先順位を有する。
【０１４８】
図14を参照すると、ステップ109は、具体的に、以下のステップであってもよい。
【０１４９】
1090．第1のネットワークデバイスが、好ましくは、選択されたs個の第1の空間リソースが事前設定条件を満たすまで、応答信号によって示されたn個の第1の空間リソースの中で、優先順位がより高い第1の空間リソースを選択する。
【０１５０】
本明細書における事前設定条件は、要件に応じて設定されてもよく、事前設定条件は、事前設定されたカバレージ要件であってもよい。場合によっては、事前設定条件は、すべての第2のネットワークデバイスのカバレージ要件が満たされることであるか、または事前設定条件は、第2のネットワークデバイスの95％のカバレージ要件が満たされることなどである。本明細書におけるすべての第2のネットワークデバイスは、第1の空間リソースによってカバーされるセル1内のすべての第2のネットワークデバイスである。
【０１５１】
第1の空間リソースを示すより多数の対応する応答信号は、示された第1の空間リソースが、より多くの第2のネットワークデバイスのカバレージ要件を満たすことができることを示す。したがって、比較的少数の第1の空間リソースは、第2のネットワークデバイスのすべてまたは一部のカバレージ要件を満たすことができる。すなわち、数sは比較的小さくてもよい。このようにして、第1の空間リソース数sに対応する第2の空間リソース数kも比較的小さくてもよく、それにより、第2のネットワークデバイスにサービスする第2の空間リソースの数が削減され、システムリソースオーバーヘッドが低減される。
【０１５２】
たとえば、図4aに示されたシナリオが一例として使用される。UE1によって送信された応答信号によって示された第1の空間リソースがビーム2およびビーム9を含み、UE2によって送信された応答信号によって示された第1の空間リソースがビーム3およびビーム9を含む場合、応答信号を使用してビーム2を示すUEの数は1であり、応答信号を使用してビーム3を示すUEの数は1であり、応答信号を使用してビーム9を示すUEの数は2である。したがって、ビーム9は最も高い優先順位に対応する。加えて、ビーム9は、UE1のカバレージ要件だけでなく、UE2のカバレージ要件も満たすことができるので、ビーム9は決定された第1の空間リソースである。この場合、基地局は、ビーム9とおおよそ同じカバレージエリアを有し、ビーム9（s個の第1の空間リソース）に対応するビーム9’がk個の第2の空間リソースであると判断し、したがって、ビーム9’上の第2の信号を送信して、UE1およびUE2に同時にサービスすることができる。
【０１５３】
前述のプロセスから、m個の第1の空間リソースが図2に示されたリソースセット1内のビーム0からビーム7のみを含む場合、第2の空間リソースに対応する第1の空間リソースが、ビーム0からビーム7の中で決定され得ることが分かる。この場合、第2の信号は、第1の空間リソースビーム2に対応する第2の空間リソースビーム2’を使用してUE1に送信されてもよく、第2の信号は、第1の空間リソースビーム3に対応する第2の空間リソースビーム3’を使用してUE2に送信されてもよい。詳細については、図15に示された概略ビームカバレージ図を参照されたい。
【０１５４】
m個の第1の空間リソースが複数のリソースセット、たとえば図4aに示されたリソースセット1およびリソースセット2を含む場合、第2の空間リソースに対応する第1の空間リソースは、ビーム0からビーム11の中で決定されてもよい。この場合、第2の信号は、第1の空間リソースビーム9に対応する第2の空間リソースビーム9’を使用してUE1およびUE2に同時に送信されてもよく、それにより、UEにサービスする第2の空間リソースの数が削減され、システムリソースのオーバーヘッドが低減される。
【０１５５】
加えて、本発明のこの実施形態において提供された前述のワイヤレス通信方法の理解を容易にするために、以下で、例を使用して前述のワイヤレス通信方法の具体的な適用シナリオを簡単に説明する。
【０１５６】
たとえば、アクセスシナリオでは、第1のネットワークデバイスは、第1の信号内で、前述のワイヤレス通信方法を使用することにより、比較的少量の情報を有する同期信号を送信することができ、その結果、第1の信号を受信する第2のネットワークデバイスは、第1のネットワークデバイスと同期されてもよい。第1のネットワークデバイスは、前述のワイヤレス通信方法に従って、事前設定されたカバレージ要件を満たすことができる比較的少数の第2の空間リソースを決定し、第2の空間リソース上で第2の信号を送信する。第2の信号は、比較的大量の情報を含み、アクセスに必要な別の信号を含む。すべての第1の空間リソースを使用することにより、アクセスに必要な各信号が送信される従来技術と比較して、前述のワイヤレス通信方法は、第2のネットワークデバイスがワイヤレスネットワークにアクセスするときに、システムリソースのオーバーヘッドを低減することができる。
【０１５７】
たとえば、CSI−RSを構成するとき、第1のネットワークデバイスは、前述のワイヤレス通信方法を使用することにより、事前設定されたカバレージ要件を満たすことができる比較的少数の第2の空間リソースを決定し、各第2の空間リソース上にCSI−RSを構成することができる。しかしながら、従来技術では、CSI−RSは、各第1の空間リソース上にのみ構成されてもよい。したがって、従来技術と比較して、前述のワイヤレス通信方法を使用してCSI−RSを構成すると、システムリソースのオーバーヘッドが低減され得る。
【０１５８】
本発明の前述の実施形態は、ワイヤレス通信方法を提供する。第1のネットワークデバイスは、異なるリソースセット内の第1の空間リソースを使用してm個の第1の信号を送信し、各第1の信号は対応する識別情報を含み、対応する識別情報は第1の信号に対応する第1の空間リソースを示すために使用され、第1の空間リソースが属するリソースセットを示すためにさらに使用される。第2のネットワークデバイスは、少なくとも1つの受信された第1の信号、第1の信号に対応する第1の空間リソース、および各第1の空間リソースが属するリソースセットに従って、少なくとも1つの第1の空間リソースを選択し、応答信号を使用して第1のネットワークデバイスに選択された第1の空間リソースを示す。第1のネットワークデバイスは、応答信号に従って、既存の第2のネットワークデバイス、および第2のワイヤレスネットワークと第1の空間リソースとの間の対応関係を知り、したがって、事前設定されたカバレージ要件を満たすことができるk個の第2の空間リソースを決定し、k個の第2の空間リソース上で第2の信号を送信し、kは比較的小さい値である、それにより、k個の第2の空間リソースを使用して第2のネットワークデバイスがサービスされる。したがって、第2の信号はより効率的に送信することができ、それにより、第2の空間リソースが節約され、無効な第2の空間リソース上で第2の信号を送信するために必要なシステムリソースのオーバーヘッドが節約される。
【０１５９】
第1の信号を送信するために第1のネットワークデバイスによって使用された第1の空間リソースが異なるリソースセットに属するとき、第2のネットワークデバイスによって送信された応答信号内で示された第1の空間リソースも異なるリソースセットに属してもよい。異なるリソースセット内の第1の空間リソースの空間カバレージエリアは同じではないので、カバレージエリアが異なる第1の空間リソースは、異なる数の第2のネットワークデバイスのカバレージ要件を満たすことができる。したがって、第1のネットワークデバイスは、第2のネットワークデバイスと送信された応答信号内で示された第1の空間リソースとの間の対応関係に従って、かつ異なるリソースセットに属する第1の空間リソースのカバレージエリアに応じて、事前設定されたカバレージ要件を満たすことができる比較的少数の第2の空間リソースを決定し、決定された第2の空間リソースを使用して第2の信号を送信することができ、それにより、第2のネットワークデバイスにサービスする第2の空間リソースの数が削減され、システムリソースのオーバーヘッドが低減される。
【０１６０】
加えて、第2のネットワークデバイスにサービスする空間リソースの数が減少すると、第2のネットワークデバイスにサービスする時間リソース、周波数リソース、およびコードリソースがそれに応じて減少し、それにより、システムリソースのオーバーヘッドがさらに低減される。
【０１６１】
本発明の前述の実施形態において提供された方法によれば、本発明の一実施形態は、図16に示されたようなネットワークデバイス100をさらに提供する。ネットワークデバイス100は、前述の方法実施形態における第1のネットワークデバイスに対応し、プロセッサ110と、メモリ120と、システムバス130と、受信機140と、送信機150とを含んでもよい。メモリ120は命令を記憶するように構成される。プロセッサ110は、前述のワイヤレス通信方法におけるステップを実行するために、メモリ120に記憶された命令を実行して、信号を受信するように受信機140を制御し、信号を送信するように送信機150を制御するように構成される。受信機140および送信機150は、同じ物理エンティティまたは異なる物理エンティティであってもよい。同じ物理エンティティであるとき、受信機140および送信機150はトランシーバと総称される場合がある。
【０１６２】
一実装形態では、受信機140および送信機150の機能は、トランシーバ回路または専用トランシーバチップを使用することによって実現されてもよい。プロセッサ110は、専用処理チップ、処理回路、プロセッサ、または汎用チップを使用することによって実装されてもよい。
【０１６３】
前述のワイヤレス通信方法におけるステップは、少なくとも、
m個の第1の信号、各第1の信号に対応する第1の空間リソース、および各第1の空間リソースが属するリソースセットを決定するステップであって、mが正の整数である、ステップと、
各対応する第1の空間リソース上で第1の信号を送信するステップであって、各第1の信号が対応する識別情報を含み、対応する識別情報が、第1の信号に対応する第1の空間リソースを示すために使用され、対応する識別情報が、第1の空間リソースが属するリソースセットを示すためにさらに使用される、ステップと、
第2のネットワークデバイスによって送信された応答信号を受信するステップであって、応答信号がn個の第1の空間リソースを示すために使用され、nが正の整数である、ステップと、
応答信号に従ってk個の第2の空間リソース上で第2のネットワークデバイスに第2の信号を送信するステップであって、kが正の整数である、ステップと
を含んでもよい。
【０１６４】
対応する識別情報は、第1の空間リソースが属するリソースセットを示すために使用されるセット識別情報を含み、セット識別情報は、
第1の信号に含まれるセット識別文字、
第1の信号に含まれるシーケンスのタイプ、
第1の信号内の情報用に付加されたスクランブリングコードのタイプ、
第1の信号内の情報用に付加されたマスクのタイプ、または
第1の信号内の情報の巡回冗長検査コードCRCの計算方式
である。
【０１６５】
場合によっては、応答信号に従ってk個の第2の空間リソース上で第2のネットワークデバイスに第2の信号を送信するステップは、
応答信号に従ってs個の第1の空間リソースを決定するステップであって、sが正の整数である、ステップと、
s個の第1の空間リソースに対応するk個の第2の空間リソースを決定し、k個の第2の空間リソース上で第2のネットワークデバイスに第2の信号を送信するステップと
を含む。
【０１６６】
場合によっては、応答信号に従ってs個の第1の空間リソースを決定するステップは、
応答信号によって示されたn個の第1の空間リソースの中で、第1の空間リソースが属するリソースセットに対応する優先順位に従って、s個の第1の空間リソースを決定するステップ
を含む。
【０１６７】
具体的には、応答信号によって示されたn個の第1の空間リソースの中で、第1の空間リソースが属するリソースセットに対応する優先順位に従って、s個の第1の空間リソースを決定するステップは、
各応答信号によって示された第1の空間リソースの中で、優先順位が最も高いリソースセットに属する第1の空間リソースを決定するステップと、
s個の第1の空間リソースを形成するために、応答信号によって示された第1の空間リソースの中で、優先順位が最も高いリソースセットに属する第1の空間リソースを使用するステップと
を含む。
【０１６８】
カバレージ幅がより大きい第1の空間リソースが属するリソースセットは、より高い優先順位に対応する。
【０１６９】
場合によっては、応答信号に従ってs個の第1の空間リソースを決定するステップは、
応答信号によって示されたn個の第1の空間リソースの中で、第1の空間リソースに対応する優先順位に従って、s個の第1の空間リソースを決定するステップ
を含む。
【０１７０】
具体的には、応答信号によって示されたn個の第1の空間リソースの中で、第1の空間リソースに対応する優先順位に従って、s個の第1の空間リソースを決定するステップは、
好ましくは、選択されたs個の第1の空間リソースが事前設定条件を満たすまで、応答信号によって示されたn個の第1の空間リソースの中で優先順位がより高い第1の空間リソースを選択するステップ
を含む。
【０１７１】
事前設定条件は、すべての第2のネットワークデバイスのカバレージ要件が満たされることである。
【０１７２】
加えて、応答信号を使用して第1の空間リソースを示す多数の第2のネットワークデバイスが存在する場合、第1の空間リソースは高い優先順位を有する。
【０１７３】
第1のネットワークデバイスに関して本発明のこの実施形態において提供された技術的解決策に関連する概念、説明、詳細説明、および他のステップについては、前述の方法または別の実施形態における内容の説明を参照されたい。詳細は本明細書では記載されない。
【０１７４】
本発明の前述の実施形態において提供された方法によれば、図17を参照すると、本発明の一実施形態はネットワークデバイス200をさらに提供する。ネットワークデバイス200は、前述の方法実施形態における第2のネットワークデバイスに対応し、プロセッサ210と、メモリ220と、システムバス230と、受信機240と、送信機250とを含んでもよい。プロセッサ210、メモリ220、受信機240、および送信機250は、システムバス230を使用して接続される。メモリ220は命令を記憶するように構成される。プロセッサ210は、前述のワイヤレス通信方法におけるステップを実行するために、メモリ220に記憶された命令を実行して、信号を受信するように受信機240を制御し、信号を送信するように送信機250を制御するように構成される。受信機240および送信機250は、同じ物理エンティティまたは異なる物理エンティティであってもよい。同じ物理エンティティであるとき、受信機240および送信機250はトランシーバと総称される場合がある。
【０１７５】
一実装形態では、受信機240および送信機250の機能は、トランシーバ回路または専用トランシーバチップを使用することによって実現されてもよい。プロセッサ210は、専用処理チップ、処理回路、プロセッサ、または汎用チップを使用することによって実装されてもよい。
【０１７６】
前述のワイヤレス通信方法におけるステップは、少なくとも、
少なくとも1つの第1の信号を受信するステップであって、各第1の信号が対応する識別情報を含み、対応する識別情報が、第1の信号に対応する第1の空間リソースを示すために使用され、対応する識別情報が、第1の空間リソースが属するリソースセットを示すためにさらに使用される、ステップと、
少なくとも1つの第1の信号、第1の信号に対応する第1の空間リソース、および各第1の空間リソースが属するリソースセットに従って応答信号を決定するステップであって、応答信号が少なくとも1つの選択された第1の空間リソースを示すために使用される、ステップと、
第1のネットワークデバイスに応答信号を送信するステップと
を含んでもよい。
【０１７７】
場合によっては、少なくとも1つの第1の信号、第1の信号に対応する第1の空間リソース、および各第1の空間リソースが属するリソースセットに従って応答信号を決定するステップであって、応答信号が少なくとも1つの選択された第1の空間リソースを示すために使用される、ステップは、
少なくとも1つの第1の信号の中で、事前設定条件を満たす第1の信号を決定するステップと、
リソースセットに対応する優先順位に従って、事前設定条件を満たす第1の信号に対応する第1の空間リソースの中で少なくとも1つの第1の空間リソースを選択し、選択された第1の空間リソースの識別情報を応答信号に付加するステップ、または
第1の空間リソースに対応する優先順位に従って、事前設定条件を満たす第1の信号に対応する第1の空間リソースの中で少なくとも1つの第1の空間リソースを選択し、選択された第1の空間リソースの識別情報を応答信号に付加するステップと
を含む。
【０１７８】
場合によっては、リソースセットに対応する優先順位に従って、事前設定条件を満たす第1の信号に対応する第1の空間リソースの中で少なくとも1つの第1の空間リソースを選択するステップは、
リソースセットに対応する優先順位に従って、かつ事前設定条件を満たす第1の信号に対応する第1の空間リソースの中で、優先順位が最も高いリソースセットに属する第1の空間リソースを選択するステップ
を含む。
【０１７９】
場合によっては、事前設定条件を満たす第1の信号を決定するステップは、
対応するしきい値以上の信号強度を有する第1の信号を決定するステップであって、対応するしきい値は、第1の信号に対応する第1の空間リソースが属するリソースセットに対応するしきい値である、ステップ
を含む。
【０１８０】
しきい値がより小さいリソースセットはより高い優先順位に対応する。
【０１８１】
加えて、カバレージ幅がより大きい第1の空間リソースが属するリソースセットは、より小さいしきい値に対応する。
【０１８２】
場合によっては、少なくとも1つの第1の信号、第1の信号に対応する第1の空間リソース、および各第1の空間リソースが属するリソースセットに従って応答信号を決定するステップであって、応答信号が少なくとも1つの選択された第1の空間リソースを示すために使用される、ステップは、
少なくとも1つの第1の信号の中で、事前設定条件を満たす第1の信号を決定するステップと、
事前設定条件を満たすすべての第1の信号に対応する第1の空間リソースを選択し、選択された第1の空間リソースの識別情報を応答信号に付加するステップと
を含む。
【０１８３】
第2のネットワークデバイスに関して本発明のこの実施形態において提供された技術的解決策に関連する概念、説明、詳細説明、および他のステップについては、前述の方法または別の実施形態における内容の説明を参照されたい。詳細は本明細書では記載されない。
【０１８４】
本発明のこの実施形態では、プロセッサ110もしくは210は中央処理装置（Central Processing Unit、略して「CPU」）であってもよいか、またはプロセッサは、別の汎用プロセッサ、デジタル信号プロセッサ（DSP）、特定用途向け集積回路（ASIC）、フィールドプログラマブルゲートアレイ（FPGA）もしくは別のプログラマブル論理デバイス、個別ゲートもしくはトランジスタ論理デバイス、個別ハードウェアアセンブリなどであってもよいことを理解されたい。汎用プロセッサはマクロプロセッサであってもよいか、またはプロセッサは任意の従来のプロセッサなどであってもよい。
【０１８５】
メモリ120または220は、読取り専用メモリおよびランダムアクセスメモリを含み、プロセッサに命令およびデータを供給することができる。メモリの一部は、不揮発性ランダムアクセスメモリをさらに含んでもよい。たとえば、メモリは、デバイスタイプ情報をさらに記憶することができる。
【０１８６】
システムバス130または230は、データバスだけでなく、電源バス、制御バス、ステータス信号バスなども含んでよい。しかしながら、説明を明確にするために、図において、様々なバスはバスシステムによって表記されている。
【０１８７】
一実装プロセスでは、前述の方法のステップは、プロセッサ110または210内のハードウェアの集積論理回路により、またはソフトウェアの形態の命令を使用することによって実施されてもよい。本発明の実施形態を参照して開示された方法のステップは、ハードウェアプロセッサによって直接実装されてもよいし、ハードウェアとプロセッサ内のソフトウェアモジュールの組合せによって実行されてもよい。ソフトウェアモジュールは、ランダムアクセスメモリ、フラッシュメモリ、読取り専用メモリ、プログラマブル読取り専用メモリもしくは電気的消去可能プログラマブルメモリ、またはレジスタなどの、当技術分野で成熟した記憶媒体内に配置されてもよい。記憶媒体はメモリ内に配置され、プロセッサはメモリ内の情報を読み取り、プロセッサのハードウェアと組み合わせて前述の方法内のステップを完了する。繰返しを避けるために、本明細書では詳細は記載されない。
【０１８８】
前述の実施形態において提供された方法およびネットワークデバイスによれば、図18を参照すると、本発明の一実施形態はワイヤレス通信システム300をさらに提供する。ワイヤレス通信システム300は、図16に示された第1のネットワークデバイスと、図17に示された第2のネットワークデバイスとを含んでもよい。第1のネットワークデバイスおよび第2のネットワークデバイスは、前述の方法実施形態におけるステップを実行するように構成される。
【０１８９】
便利で簡潔な説明のために、前述の装置の詳細な動作プロセスについては、前述の方法実施形態内の対応するプロセスに対して参照が行われてもよく、本明細書では詳細は記載されないことは、当業者によって明確に理解されよう。
【０１９０】
本出願において提供されたいくつかの実施形態では、開示されたデバイス、方法、およびシステムは他の方式で実装されてもよいことを理解されたい。たとえば、記載された装置実施形態は例にすぎない。たとえば、ユニット分割は論理的な機能分割にすぎず、実際の実装形態では他の分割であってもよい。たとえば、複数のユニットまたは構成要素は組み合わされるか、もしくは別のシステムに統合されてもよく、または、いくつかの特徴は無視されるか、もしくは実行されなくてもよい加えて、表示または説明された相互結合または直接結合または通信接続は、いくつかのインタフェースを使用して実装されてもよい。装置間またはユニット間の間接結合または通信接続は、電気、機械、または他の形態で実装されてもよい。別々の部分として記載されたユニットは、物理的に分かれていても、分かれていなくてもよく、ユニットとして表示された部分は、物理ユニットであってもそうでなくてもよく、1つの場所に配置されてもよく、複数のネットワークユニット上に分散されてもよい。ユニットの一部またはすべては、本発明の実施形態の解決策の目的を達成するために、実際の必要に応じて選択されてもよい。加えて、本発明の実施形態における機能ユニットは1つの処理ユニットに統合されてもよく、またはユニットの各々は物理的に単独で存在してもよく、または2つ以上のユニットは1つのユニットに統合されてもよい。統合ユニットは、ハードウェアの形態で実装されてもよく、またはソフトウェア機能ユニットに加えてハードウェアの形態で実装されてもよい。
【０１９１】
前述の統合ユニットがソフトウェア機能ユニットの形態で実装されるとき、統合ユニットはコンピュータ可読記憶媒体に記憶されてもよい。ソフトウェア機能ユニットは、記憶媒体に記憶され、本発明の実施形態に記載された方法のステップの一部を実行するように、（パーソナルコンピュータ、サーバ、またはネットワークデバイスであってもよい）コンピュータデバイスに命令するためのいくつかの命令を含む。前述の記憶媒体には、USBフラッシュドライブ、リムーバブルハードディスク、読取り専用メモリ（Read−Only Memory、略してROM）、ランダムアクセスメモリ（Random Access Memory、略してRAM）、磁気ディスク、または光ディスクなどの、プログラムコードを記憶することができる任意の媒体が含まれる。
【０１９２】
装置、システム、またはデバイスのいくつかの具体的な機能については、前述の方法実施形態における説明を参照されたい。
【０１９３】
最後に、前述の実施形態は本発明の技術的解決策を記載するためのものにすぎず、本発明を限定するためのものではないことに留意されたい。前述の実施形態を参照して本発明が詳細に記載されたが、当業者は、本発明の実施形態の技術的解決策の範囲から逸脱することなく、前述の実施形態に記載された技術的解決策に修正をさらに行うか、またはそれらのいくつかの技術的特徴に均等な置換を行うことができることを理解するべきである。
【符号の説明】
【０１９４】
100  ネットワークデバイス
110  プロセッサ
120  メモリ
130  システムバス
140  受信機
150  送信機
200  ネットワークデバイス
210  プロセッサ
220  メモリ
230  システムバス
240  受信機
250  送信機
300  ワイヤレス通信システム
【手続補正２】
【補正対象書類名】特許請求の範囲
【補正対象項目名】全文
【補正方法】変更
【補正の内容】
【特許請求の範囲】
【請求項１】
ワイヤレス通信方法であって、
m個の第1の信号、各第1の信号に対応する第1の空間リソース、および各第1の空間リソースが属するリソースセットを決定するステップであって、mが正の整数である、ステップと、
各対応する第1の空間リソース上で第1の信号を送信するステップであって、各第1の信号が対応する識別情報を備え、前記対応する識別情報が、第1の信号に対応する第1の空間リソースを示すために使用され、前記対応する識別情報が、第1の空間リソースが属するリソースセットを示すためにさらに使用される、ステップと、
第2のネットワークデバイスによって送信された応答信号を受信するステップであって、前記応答信号がn個の第1の空間リソースを示すために使用され、nが正の整数である、ステップと、
前記応答信号に従ってk個の第2の空間リソース上で前記第2のネットワークデバイスに第2の信号を送信するステップであって、kが正の整数である、ステップと
を備える、方法。
【請求項２】
前記対応する識別情報が、前記第1の空間リソースが属するリソースセットを示すために使用されるセット識別情報を備え、前記セット識別情報が、
前記第1の信号に備えられるセット識別文字、または
前記第1の信号に備えられるシーケンスのタイプ、または
前記第1の信号内の情報用に付加されたスクランブリングコードのタイプ、または
前記第1の信号内の情報用に付加されたマスクのタイプ、または
前記第1の信号内の情報の巡回冗長コードCRCの計算方式
である、請求項1に記載の方法。
【請求項３】
前記応答信号に従ってk個の第2の空間リソース上で前記第2のネットワークデバイスに第2の信号を送信する前記ステップが、
前記応答信号に従ってs個の第1の空間リソースを決定するステップであって、sが正の整数である、ステップと、
前記s個の第1の空間リソースに対応する前記k個の第2の空間リソースを決定し、前記k個の第2の空間リソース上で前記第2のネットワークデバイスに前記第2の信号を送信するステップと
を備える、請求項1に記載の方法。
【請求項４】
前記応答信号に従ってs個の第1の空間リソースを決定する前記ステップが、
前記応答信号によって示された前記n個の第1の空間リソースの中で、前記第1の空間リソースが属するリソースセットに対応する優先順位に従って、前記s個の第1の空間リソースを決定するステップ
を備える、請求項3に記載の方法。
【請求項５】
前記応答信号によって示された前記n個の第1の空間リソースの中で、前記第1の空間リソースが属するリソースセットに対応する優先順位に従って、前記s個の第1の空間リソースを決定する前記ステップが、
各応答信号によって示された第1の空間リソースの中で、優先順位が最も高いリソースセットに属する第1の空間リソースを決定するステップと、
前記s個の第1の空間リソースを形成するために、前記応答信号によって示された前記第1の空間リソースの中で、優先順位が最も高いリソースセットに属する第1の空間リソースを決定するステップと
を備える、請求項4に記載の方法。
【請求項６】
カバレージ幅がより大きい第1の空間リソースが属するリソースセットが、より高い優先順位に対応する、請求項4または5に記載の方法。
【請求項７】
前記応答信号に従ってs個の第1の空間リソースを決定する前記ステップが、
前記応答信号によって示された前記n個の第1の空間リソースの中で、前記第1の空間リソースに対応する優先順位に従って、前記s個の第1の空間リソースを決定するステップ
を備える、請求項3に記載の方法。
【請求項８】
前記応答信号によって示された前記n個の第1の空間リソースの中で、前記第1の空間リソースに対応する優先順位に従って、前記s個の第1の空間リソースを決定する前記ステップが、
好ましくは、前記選択されたs個の第1の空間リソースが事前設定条件を満たすまで、前記応答信号によって示された前記n個の第1の空間リソースの中で優先順位がより高い第1の空間リソースを選択するステップ
を備える、請求項7に記載の方法。
【請求項９】
前記事前設定条件が、すべての第2のネットワークデバイスのカバレージ要件が満たされることである、請求項8に記載の方法。
【請求項１０】
前記応答信号を使用して前記第1の空間リソースを示す多数の第2のネットワークデバイスが存在する場合、前記第1の空間リソースが高い優先順位を有する、請求項7から9のいずれか一項に記載の方法。
【請求項１１】
ワイヤレス通信方法であって、
少なくとも1つの第1の信号を受信するステップであって、各第1の信号が対応する識別情報を備え、前記対応する識別情報が、第1の信号に対応する第1の空間リソースを示すために使用され、前記対応する識別情報が、第1の空間リソースが属するリソースセットを示すためにさらに使用される、ステップと、
前記少なくとも1つの第1の信号、前記第1の信号に対応する前記第1の空間リソース、および各第1の空間リソースが属するリソースセットに従って応答信号を決定するステップであって、前記応答信号が少なくとも1つの選択された第1の空間リソースを示すために使用される、ステップと、
第1のネットワークデバイスに前記応答信号を送信するステップと
を備える、方法。
【請求項１２】
前記少なくとも1つの第1の信号、前記第1の信号に対応する前記第1の空間リソース、および各第1の空間リソースが属するリソースセットに従って応答信号を決定する前記ステップであって、前記応答信号が少なくとも1つの選択された第1の空間リソースを示すために使用される、前記ステップが、
前記少なくとも1つの第1の信号の中で、事前設定条件を満たす第1の信号を決定するステップと、
前記事前設定条件を満たすすべての第1の信号に対応する第1の空間リソースを選択し、前記選択された第1の空間リソースの識別情報を前記応答信号に付加するステップと
を備える、請求項11に記載の方法。
【請求項１３】
前記少なくとも1つの第1の信号、前記第1の信号に対応する前記第1の空間リソース、および各第1の空間リソースが属するリソースセットに従って応答信号を決定する前記ステップであって、前記応答信号が少なくとも1つの選択された第1の空間リソースを示すために使用される、前記ステップが、
前記少なくとも1つの第1の信号の中で、事前設定条件を満たす第1の信号を決定するステップと、
リソースセットに対応する優先順位に従って、前記事前設定条件を満たす第1の信号に対応する第1の空間リソースの中で少なくとも1つの第1の空間リソースを選択し、前記選択された第1の空間リソースの識別情報を前記応答信号に付加するステップ、または
第1の空間リソースに対応する優先順位に従って、前記事前設定条件を満たす第1の信号に対応する第1の空間リソースの中で少なくとも1つの第1の空間リソースを選択し、前記選択された第1の空間リソースの識別情報を前記応答信号に付加するステップと
を備える、請求項11に記載の方法。
【請求項１４】
事前設定条件を満たす第1の信号を決定する前記ステップが、
対応するしきい値以上の信号強度を有する第1の信号を決定するステップであって、前記対応するしきい値が、前記第1の信号に対応する第1の空間リソースが属するリソースセットに対応するしきい値である、ステップ
を備える、請求項12または13に記載の方法。
【請求項１５】
リソースセットに対応する優先順位に従って、前記事前設定条件を満たす第1の信号に対応する第1の空間リソースの中で少なくとも1つの第1の空間リソースを選択する前記ステップが、
前記リソースセットに対応する前記優先順位に従って、かつ前記事前設定条件を満たす前記第1の信号に対応する前記第1の空間リソースの中で、優先順位が最も高いリソースセットに属する第1の空間リソースを選択するステップ
を備える、請求項13または14に記載の方法。
【請求項１６】
しきい値がより小さいリソースセットがより高い優先順位に対応する、請求項15に記載の方法。
【請求項１７】
カバレージ幅がより大きい第1の空間リソースが属するリソースセットが、より小さいしきい値に対応する、請求項16に記載の方法。
【請求項１８】
プロセッサ、メモリ、およびトランシーバを備えるネットワークデバイスであって、前記メモリが命令を記憶するように構成され、前記プロセッサが、前記メモリに記憶された前記命令を実行して、信号の受信および送信を実行するように前記トランシーバを制御するように構成され、前記プロセッサが前記メモリに記憶された前記命令を実行すると、前記ネットワークデバイスが、請求項1から10のいずれか一項に記載の方法を実行するように構成される、ネットワークデバイス。
【請求項１９】
プロセッサ、メモリ、およびトランシーバを備えるネットワークデバイスであって、前記メモリが命令を記憶するように構成され、前記プロセッサが、前記メモリに記憶された前記命令を実行して、信号の受信および送信を実行するように前記トランシーバを制御するように構成され、前記プロセッサが前記メモリに記憶された前記命令を実行すると、前記ネットワークデバイスが、請求項11から17のいずれか一項に記載の方法を実行するように構成される、ネットワークデバイス。
【請求項２０】
請求項18に記載のネットワークデバイスと、請求項19に記載のネットワークデバイスとを備える、ワイヤレス通信システム。
【国際調査報告】
2019500815.tif 000022
2019500815.tif 000023
2019500815.tif 000024
2019500815.tif 000025